(57)【要約】  動的スペクトルアービトラージ（ＤＳＡ）システムは、異なるネットワークにわたる資源（例えば、スペクトル資源）の割り当て及び使用を共に動的に管理する動的スペクトルポリシコントローラ（ＤＰＣ）及び動的スペクトルコントローラ（ＤＳＣ）を含むことができる。動的スペクトルアービトラージアプリケーションパート（ＤＳＡＡＰ）プロトコル／コンポーネント／モジュールは、ＤＳＡシステムの効率及び速度を向上させるため、ＤＳＣとＤＰＣとの間の通信を可能にする、促進する、サポートする又は増大することができる。ＤＳＡＡＰは、ＤＰＣ及び／又はＤＳＣコンポーネントが、異なるネットワークにわたって資源をより良くプールすること、様々なネットワークにおいてトラフィック及び資源使用をより良くモニタすること、入札及び入札情報をより効率的に伝達すること、コンポーネントの登録及び登録解除を素早く且つ効率的に行うこと、ならびに、バックオフ動作をより良く実行することを可能にすることができる。ＤＳＡＡＰは、入札、インボイスの生成、資源の広告、資源の要求、資源の購入、入札認証情報の有効性の確認などのための手順の性能及び効率を向上することによって、ＤＳＡ資源オークション動作の改善を行うことができる。
2016525819.tif 000002
【特許請求の範囲】
【請求項１】
動的スペクトルポリシコントローラ（ＤＰＣ）プロセッサを備えるＤＰＣと、
第１の通信リンクを介して前記ＤＰＣと結合された第１の動的スペクトルコントローラ（ＤＳＣ）プロセッサを備える、第１の電気通信ネットワークの第１のＤＳＣと、
第２の通信リンクを介して前記ＤＰＣと結合された第２のＤＳＣプロセッサを備える、第２の電気通信ネットワークの第２のＤＳＣと、
第３の通信リンクを介して前記第２のＤＳＣと結合されたｅＮｏｄｅＢプロセッサを備える、前記第２の電気通信ネットワークのｅＮｏｄｅＢと
を備える動的スペクトルアービトラージ（ＤＳＡ）システムであって、
前記第１のＤＳＣプロセッサが、
動的スペクトルアービトラージアプリケーションパート（ＤＳＡＡＰ）プロトコルを使用して前記第１の通信リンクを介して前記ＤＰＣと通信すること
を含む動作をプロセッサ実行可能命令を用いて実行するように構成され、
前記第２のＤＳＣプロセッサが、プロセッサ実行可能命令を用いて、
前記ＤＳＡＡＰプロトコルを使用して前記第２の通信リンクを介して前記ＤＰＣと通信すること
を含む動作を実行するように構成され、
前記ｅＮｏｄｅＢプロセッサが、プロセッサ実行可能命令を用いて、
前記ＤＳＡＡＰプロトコルを使用して前記第３の通信リンクを介して前記第２のＤＳＣと通信すること
を含む動作を実行するように構成される、ＤＳＡシステム。
【請求項２】
前記第１及び第２の通信リンクがＸｄインタフェース上で定義され、且つ
前記第３の通信リンクがＸｅインタフェース上で定義される、請求項１に記載のＤＳＡシステム。
【請求項３】
前記ｅＮｏｄｅＢプロセッサが、
ネットワーク状態をモニタし、
前記モニタリングの結果に基づいてレポートを生成すること
をさらに含む動作をプロセッサ実行可能命令を用いて実行するように構成され、
前記ｅＮｏｄｅＢプロセッサは、前記ＤＳＡＡＰプロトコルを使用して前記第３の通信リンクを介して前記第２のＤＳＣと通信することが、
前記第３の通信リンクを介して前記第２のＤＳＣに前記生成レポートを送信すること
を含むように、プロセッサ実行可能命令を用いて動作を実行するように構成される、請求項１に記載のＤＳＡシステム。
【請求項４】
前記ｅＮｏｄｅＢプロセッサが、ネットワーク状態をモニタすることがネットワーク混雑、資源使用及び資源利用可能性のうちの１つをモニタすることを含むように、プロセッサ実行可能命令を用いて動作を実行するように構成される、請求項３に記載のＤＳＡシステム。
【請求項５】
前記第２のＤＳＣプロセッサが、
前記第３の通信リンクを介して、且つ前記ＤＳＡＡＰプロトコルを使用して、前記ｅＮｏｄｅＢから前記生成レポートを受信し、
前記受信レポートに含まれる情報を使用して前記第１の電気通信ネットワークによる割り当て及び使用に対して利用可能な余分なネットワーク資源が前記第２の電気通信ネットワークにあるかどうかを判断すること
を含む動作をプロセッサ実行可能命令を用いて実行するように構成される、請求項３に記載のＤＳＡシステム。
【請求項６】
前記第２のＤＳＣプロセッサが、資源と関連付けられた地理的境界を決定することをさらに含む動作をプロセッサ実行可能命令を用いて実行するように構成され、
前記第２のＤＳＣプロセッサは、前記ＤＳＡＡＰプロトコルを使用して前記第２の通信リンクを介して前記ＤＰＣと通信することが前記第３の通信リンクを介して前記ｅＮｏｄｅＢに前記決定された地理的境界を特定する情報を送信することを含むように、プロセッサ実行可能命令を用いて動作を実行するように構成される、請求項１に記載のＤＳＡシステム。
【請求項７】
前記ＤＰＣプロセッサが、
前記第２の電気通信ネットワーク及び少なくとも１つの他の電気通信ネットワークを含む異なるネットワークによる割り当てに対して利用可能にされた資源を特定する情報を受信するため、前記ＤＳＡＡＰプロトコルを介し、前記第２のＤＳＣ及び少なくとも１つの他のＤＳＣと通信し、
前記受信情報を使用して前記異なるネットワークによる割り当てに対して利用可能にされた前記資源をプールし、
前記第１の電気通信ネットワークのワイヤレスデバイスによるアクセス及び使用のために前記資源のプールの一部分を割り当てるため、前記ＤＳＡＡＰプロトコルを介して前記第１のＤＳＣと通信すること
を含む動作をプロセッサ実行可能命令を用いて実行するように構成される、請求項１に記載のＤＳＡシステム。
【請求項８】
前記ＤＰＣプロセッサが、
前記第２の通信リンクを介して前記第２のＤＳＣからユーザトラフィック及び資源使用情報を受信し、
前記受信情報を使用して前記第２の電気通信ネットワークのトラフィック及び資源使用をモニタし、
前記モニタリングの結果に基づいて、前記第２の電気通信ネットワークの資源を前記第１の電気通信ネットワークに割り当てるため、前記第１の通信リンクを介して前記第１のＤＳＣと通信すること
を含む動作をプロセッサ実行可能命令を用いて実行するように構成される、請求項１に記載のＤＳＡシステム。
【請求項９】
前記ＤＰＣプロセッサが、
前記第１の通信リンクを介して前記第１のＤＳＣから入札情報を受信し、
前記第１の通信リンクを介して前記第１のＤＳＣに入札通知情報を送信すること
を含む動作をプロセッサ実行可能命令を用いて実行するように構成される、請求項１に記載のＤＳＡシステム。
【請求項１０】
前記ＤＰＣプロセッサが、
前記第１の通信リンクを介して前記第１のＤＳＣから登録情報を受信し、
前記受信された登録情報を使用して前記第１のＤＳＣを認証し、
前記第１のＤＳＣの認証に応答してＤＳＣ識別子を前記ＤＰＣの登録メモリに格納し、
複数の情報要素を含む登録受諾メッセージを生成し、
前記第１の通信リンクを介して前記第１のＤＳＣに前記生成された登録受諾メッセージを送信すること
を含む動作をプロセッサ実行可能命令を用いて実行するように構成される、請求項１に記載のＤＳＡシステム。
【請求項１１】
前記ＤＰＣプロセッサは、前記登録受諾メッセージを生成することがトランスポート層セッションの確立における使用に適したアドレス値を含むＸＥｈシグナリングトランスポートネットワーク層（ＴＮＬ）アドレス情報要素を含む前記登録受諾メッセージを生成することを含むように、プロセッサ実行可能命令を用いて動作を実行するように構成され、且つ
前記第１のＤＳＣプロセッサは、前記ＤＳＡＡＰプロトコルを使用して前記第１の通信リンクを介して前記ＤＰＣと通信することが前記第１の通信リンクを介して前記登録受諾メッセージを受信することを含むように、プロセッサ実行可能命令を用いて動作を実行するように構成され、
前記第１のＤＳＣプロセッサは、
前記受信された登録メッセージの前記ＸＥｈシグナリングＴＮＬアドレス情報要素に含まれる前記アドレス値を使用してトランスポート層セッションを確立すること
をさらに含む動作をプロセッサ実行可能命令を用いて実行するように構成される、請求項１０に記載のＤＳＡシステム。
【請求項１２】
前記ＤＰＣプロセッサは、前記ＤＳＡＡＰプロトコルを使用して前記第１の通信リンクを介して前記ＤＰＣと通信することが
前記第１の通信リンクを介して前記ＤＰＣからインボイスを受信すること
を含むように、プロセッサ実行可能命令を用いて動作を実行するように構成される、請求項１に記載のＤＳＡシステム。
【請求項１３】
前記第２のＤＳＣプロセッサは、
前記第２のＤＳＣによってサービス提供される前記第２の電気通信ネットワークのセル内に割り当てに対して利用可能な資源があるかどうかを判断し、
前記第２のＤＳＣによってサービス提供される前記セル内に割り当てに対して利用可能な資源があるという判断に応答して資源登録要求メッセージを生成すること
を含む動作をプロセッサ実行可能命令を用いて実行するように構成され、
前記第２のＤＳＣプロセッサは、前記ＤＳＡＡＰプロトコルを使用して前記第２の通信リンクを介して前記ＤＰＣと通信することが
前記第２の通信リンクを介して前記ＤＰＣに前記生成された資源登録要求メッセージを送信すること
を含むように、プロセッサ実行可能命令を用いて動作を実行するように構成される、請求項１に記載のＤＳＡシステム。
【請求項１４】
前記ＤＰＣプロセッサが、
前記第２の通信リンクを介して、且つ前記ＤＳＡＡＰプロトコルを使用して、前記第２のＤＳＣから前記資源登録要求メッセージを受信し、
前記受信された資源登録要求メッセージで特定された資源の格納及びサービス提供に対してメモリが不十分であるという判断に応答して前記受信された資源登録要求メッセージを拒否し、
前記受信された資源登録要求メッセージの拒否に応答して前記第２の通信リンクを介して前記第２のＤＳＣに資源登録要求拒否メッセージを送信すること
を含む動作をプロセッサ実行可能命令を用いて実行するように構成される、請求項１３に記載のＤＳＡシステム。
【請求項１５】
前記第１のＤＳＣプロセッサは、利用可能な入札要求メッセージを生成することをさらに含む動作をプロセッサ実行可能命令を用いて実行するように構成され、且つ
前記第１のＤＳＣプロセッサは、動的スペクトルアービトラージアプリケーションパート（ＤＳＡＡＰ）プロトコルを使用して前記第１の通信リンクを介して前記ＤＰＣと通信することが、
前記第１の通信リンクを介して前記ＤＰＣに前記生成された利用可能な入札要求メッセージを送信し、
前記生成された利用可能な入札要求メッセージの送信に応答して前記第１の通信リンクを介して前記ＤＰＣから前記第２の電気通信ネットワークによる割り当てに対して利用可能にされている資源に関する情報を受信すること
を含むように、プロセッサ実行可能命令を用いて動作を実行するように構成される、請求項１に記載のＤＳＡシステム。
【請求項１６】
前記第１のＤＳＣプロセッサは、前記利用可能な入札要求メッセージを生成することが
前記第２の電気通信ネットワークのパブリックランドモバイルネットワーク識別子（ＰＬＭＮ  ＩＤ）を含み、かつ前記第２の電気通信ネットワークからの特定の資源を要求する前記利用可能な入札要求メッセージを生成すること
を含むように、プロセッサ実行可能命令を用いて動作を実行するように構成される、請求項１５に記載のＤＳＡシステム。
【請求項１７】
前記ＤＰＣプロセッサは、
前記第１の通信リンクを介し、入札を含む入札要求メッセージを前記第１のＤＳＣから受信し、
前記入札が前記第２の電気通信ネットワークの要件に準拠するどうかを判断することによって、前記入札が有効であるかどうかを判断し、
前記入札が有効であるという判断に応答して前記第１の通信リンクを介して前記第１のＤＳＣに入札受諾メッセージを送信し、
前記入札が有効ではないという判断に応答して前記第１の通信リンクを介して前記第１のＤＳＣに入札拒否メッセージを送信すること
を含む動作をプロセッサ実行可能命令を用いて実行するように構成される、請求項１に記載のＤＳＡシステム。
【請求項１８】
前記第２のＤＳＣプロセッサは、前記ＤＳＡＡＰプロトコルを使用して前記第２の通信リンクを介して前記ＤＰＣと通信することが、前記第１の電気通信ネットワークのワイヤレスデバイスによるアクセス及び使用のために前記ＤＰＣと通信して前記第２の電気通信ネットワークのセルの資源を割り当てることを含むように、プロセッサ実行可能命令を用いて動作を実行するように構成され、且つ
前記第２のＤＳＣプロセッサは、
前記セルが混雑しているかどうかを判断するため、セルトラフィックをモニタし、
前記セルが混雑しているという判断に応答し、前記第２の通信リンクを介し、前記セルの前記割り当てられた資源を使用する前記ワイヤレスデバイスを選択的にハンドオーバするという前記第１のＤＳＣへの指示を前記ＤＰＣに行わせるのに適した情報を含むバックオフコマンドメッセージを前記ＤＰＣに送信すること
を含む動作をプロセッサ実行可能命令を用いて実行するように構成される、請求項１に記載のＤＳＡシステム。
【請求項１９】
前記ＤＰＣプロセッサは、
前記第２のＤＳＣから前記バックオフコマンドメッセージを受信し、
前記ＤＳＡＡＰプロトコルを使用して前記第１のＤＳＣと通信することで、前記第１のＤＳＣに前記第１の電気通信ネットワークの対象セルを選択させて前記セルの前記割り当てられた資源を使用する前記ワイヤレスデバイスをハンドオフすること
を含む動作をプロセッサ実行可能命令を用いて実行するように構成される、請求項１８に記載のＤＳＡシステム。
【請求項２０】
動的スペクトルアービトラージアプリケーションパート（ＤＳＡＡＰ）プロトコルを使用して第１の通信リンクを介して動的スペクトルポリシコントローラ（ＤＰＣ）と第１の電気通信ネットワークの第１の動的スペクトルコントローラ（ＤＳＣ）との間で情報を伝達し、
前記ＤＳＡＡＰプロトコルを使用して第２の通信リンクを介して前記ＤＰＣと第２の電気通信ネットワークの第２のＤＳＣとの間で情報を伝達し、
前記ＤＳＡＡＰプロトコルを使用して第３の通信リンクを介して前記第２の電気通信ネットワークのｅＮｏｄｅＢと前記第２のＤＳＣとの間で情報を伝達すること
を含む動的スペクトルアービトラージ（ＤＳＡ）方法。
【請求項２１】
前記第１及び第２の通信リンクがＸｄインタフェース上で定義され、且つ前記第３の通信リンクがＸｅインタフェース上で定義される、請求項２０に記載のＤＳＡ方法。
【請求項２２】
前記第２の電気通信ネットワークのネットワーク状態を前記ｅＮｏｄｅＢのｅＮｏｄｅＢプロセッサでモニタし、
前記モニタリングの結果に基づいてレポートを生成すること
をさらに含み、
前記ＤＳＡＡＰプロトコルを使用して前記第３の通信リンクを介して前記第２の電気通信ネットワークの前記ｅＮｏｄｅＢと前記第２のＤＳＣとの間で情報を伝達することが、前記第３の通信リンクを介して前記ｅＮｏｄｅＢから前記第２のＤＳＣに前記生成レポートを送信することを含む、請求項２０に記載のＤＳＡ方法。
【請求項２３】
前記第２の電気通信ネットワークのネットワーク状態をモニタすることが、
ネットワーク混雑、
資源使用、及び
資源利用可能性
のうちの１つをモニタすることを含む、請求項２２に記載のＤＳＡ方法。
【請求項２４】
前記第３の通信リンクを介して前記ｅＮｏｄｅＢから前記生成レポートを前記第２のＤＳＣで受信し、
前記受信レポートに含まれる情報を使用して前記第１の電気通信ネットワークのワイヤレスデバイスによる割り当て及び使用に対して利用可能な余分なネットワーク資源が前記第２の電気通信ネットワークにあるかどうかを判断する、
請求項２２に記載のＤＳＡ方法。
【請求項２５】
資源と関連付けられた地理的境界を前記第２のＤＳＣで決定することをさらに含み、前記ＤＳＡＡＰプロトコルを使用して前記第３の通信リンクを介して前記第２の電気通信ネットワークの前記ｅＮｏｄｅＢと前記第２のＤＳＣとの間で情報を伝達することが、
前記第３の通信リンクを介して前記ｅＮｏｄｅＢに前記決定された地理的境界を特定する情報を送信すること
を含む、請求項２０に記載のＤＳＡ方法。
【請求項２６】
前記第２の電気通信ネットワーク及び少なくとも１つの他の電気通信ネットワークを含む異なるネットワークによる割り当てに対して利用可能にされた資源を特定する情報を前記ＤＰＣで受信し、
前記受信情報を使用して前記異なるネットワークによる割り当てに対して利用可能にされた前記資源をプールすること
をさらに含み、
前記ＤＳＡＡＰプロトコルを使用して前記第１の通信リンクを介して前記ＤＰＣと前記第１の電気通信ネットワークの第１のＤＳＣとの間で情報を伝達することが、
前記第１の電気通信ネットワークのワイヤレスデバイスによるアクセス及び使用のために前記資源のプールの一部分を割り当てるため、前記第１の通信リンクを介して前記第１のＤＳＣに資源割り当て情報を送信すること
を含む、請求項２０に記載のＤＳＡ方法。
【請求項２７】
前記ＤＳＡＡＰプロトコルを使用して前記第２の通信リンクを介して前記ＤＰＣと前記第２の電気通信ネットワークの前記第２のＤＳＣとの間で情報を伝達することが、前記第２の通信リンクを介して前記第２のＤＳＣからユーザトラフィック及び資源使用情報を前記ＤＰＣで受信することを含む、請求項２０に記載のＤＳＡ方法であって、
前記受信情報を使用して前記第２の電気通信ネットワークのトラフィック及び資源使用をモニタし、
前記モニタリングの結果に基づいて、前記第２の電気通信ネットワークの資源を前記第１の電気通信ネットワークに割り当てるため、前記第１の通信リンクを介して前記第１のＤＳＣと通信すること
をさらに含む、請求項２０に記載のＤＳＡ方法。
【請求項２８】
前記ＤＳＡＡＰプロトコルを使用して前記第１の通信リンクを介して前記ＤＰＣと前記第１の電気通信ネットワークの第１のＤＳＣとの間で情報を伝達することが、
前記第１の通信リンクを介して前記第１のＤＳＣから入札情報を前記ＤＰＣで受信し、
前記第１の通信リンクを介して前記第１のＤＳＣに入札通知情報を送信すること
を含む、請求項２０に記載のＤＳＡ方法。
【請求項２９】
前記ＤＳＡＡＰプロトコルを使用して前記第１の通信リンクを介して前記ＤＰＣと前記第１の電気通信ネットワークの第１のＤＳＣとの間で情報を伝達することが、前記第１のＤＳＣから登録情報を前記ＤＰＣで受信することを含む、請求項２０に記載のＤＳＡ方法であって、
前記受信された登録情報を使用して前記第１のＤＳＣを認証し、
前記第１のＤＳＣの認証に応答してＤＳＣ識別子を前記ＤＰＣの登録メモリに格納し、
複数の情報要素を含む登録受諾メッセージを生成し、
前記第１の通信リンクを介して前記第１のＤＳＣに前記生成された登録受諾メッセージを送信すること
をさらに含む、請求項２０に記載のＤＳＡ方法。
【請求項３０】
前記登録受諾メッセージを生成することが、トランスポート層セッションの確立における使用に適したアドレス値を含むＸＥｈシグナリングトランスポートネットワーク層（ＴＮＬ）アドレス情報要素を含む前記登録受諾メッセージを生成することを含む、請求項２９に記載のＤＳＡ方法であって、
前記第１の通信リンクを介して前記登録受諾メッセージを前記第１のＤＳＣで受信し、
前記受信された登録メッセージの前記ＸＥｈシグナリングＴＮＬアドレス情報要素に含まれる前記アドレス値を使用してトランスポート層セッションを確立すること
をさらに含む、請求項２９に記載のＤＳＡ方法。
【請求項３１】
前記ＤＳＡＡＰプロトコルを使用して前記第１の通信リンクを介して前記ＤＰＣと前記第１の電気通信ネットワークの第１のＤＳＣとの間で情報を伝達することが、
前記第１の通信リンクを介して前記ＤＰＣから前記第１のＤＳＣにインボイスを送信すること
を含む、請求項２０に記載のＤＳＡ方法。
【請求項３２】
前記第２のＤＳＣによってサービス提供されるセル内の割り当てに対して利用可能な資源があるかどうかを前記第２のＤＳＣによって判断し、
前記第２のＤＳＣによってサービス提供される前記セル内の割り当てに対して利用可能な資源があるという判断に応答して資源登録要求メッセージを生成すること
をさらに含み、
前記ＤＳＡＡＰプロトコルを使用して前記第２の通信リンクを介して前記ＤＰＣと前記第２の電気通信ネットワークの前記第２のＤＳＣとの間で情報を伝達することが、
前記第２の通信リンクを介して前記ＤＰＣに前記生成された資源登録要求メッセージを送信すること
を含む、請求項２０に記載のＤＳＡ方法。
【請求項３３】
前記ＤＳＡＡＰプロトコルを使用して前記第２の通信リンクを介して前記ＤＰＣと前記第２の電気通信ネットワークの前記第２のＤＳＣとの間で情報を伝達することが、前記第２の通信リンクを介して前記第２のＤＳＣから前記資源登録要求メッセージを前記ＤＰＣで受信することを含む、請求項３２に記載のＤＳＡ方法であって、
前記受信された資源登録要求メッセージで特定された資源の格納及びサービス提供に対してメモリが不十分であるという判断に応答して前記受信された資源登録要求メッセージを拒否し、
前記受信された資源登録要求メッセージの拒否に応答して前記第２の通信リンクを介して前記第２のＤＳＣに資源登録要求拒否メッセージを送信することと
をさらに含む、請求項３２に記載のＤＳＡ方法。
【請求項３４】
利用可能な入札要求メッセージを前記第１のＤＳＣで生成することをさらに含み、前記ＤＳＡＡＰプロトコルを使用して前記第１の通信リンクを介して前記ＤＰＣと前記第１の電気通信ネットワークの第１のＤＳＣとの間で情報を伝達することが、
前記第１の通信リンクを介して前記ＤＰＣに前記生成された利用可能な入札要求メッセージを送信し、
前記生成された利用可能な入札要求メッセージの送信に応答して前記第１の通信リンクを介して前記ＤＰＣから前記第２の電気通信ネットワークによる割り当てに対して利用可能にされている資源に関する情報を受信することと
を含む、請求項２０に記載のＤＳＡ方法。
【請求項３５】
前記利用可能な入札要求メッセージを生成することが、前記第２の電気通信ネットワークのパブリックランドモバイルネットワーク識別子（ＰＬＭＮ  ＩＤ）を含み、かつ前記第２の電気通信ネットワークからの特定の資源を要求する前記利用可能な入札要求メッセージを生成することを含む、請求項３４に記載のＤＳＡ方法。
【請求項３６】
前記ＤＳＡＡＰプロトコルを使用して前記第１の通信リンクを介して前記ＤＰＣと前記第１の電気通信ネットワークの第１のＤＳＣとの間で情報を伝達することが、前記第１の通信リンクを介して前記第１のＤＳＣから入札要求メッセージを前記ＤＰＣで受信することを含む、請求項２０に記載のＤＳＡ方法であって、
入札が前記第２の電気通信ネットワークの要件に準拠するどうかを判断することによって、前記受信された入札要求メッセージに含まれる前記入札が有効であるかどうかを判断し、
前記入札が有効であるという判断に応答して前記第１の通信リンクを介して前記第１のＤＳＣに入札受諾メッセージを送信し、
前記入札が有効ではないという判断に応答して前記第１の通信リンクを介して前記第１のＤＳＣに入札拒否メッセージを送信することをさらに含む、請求項２０に記載のＤＳＡ方法。
【請求項３７】
前記ＤＰＣと通信することによって、前記第１の電気通信ネットワークのワイヤレスデバイスによるアクセス及び使用のために前記第２の電気通信ネットワークのセルの資源を前記第２のＤＳＣによって割り当て、
前記セルが混雑しているかどうかを判断するため、セルトラフィックを前記第２のＤＳＣによってモニタすること
をさらに含み、
前記ＤＳＡＡＰプロトコルを使用して前記第２の通信リンクを介して前記ＤＰＣと前記第２の電気通信ネットワークの前記第２のＤＳＣとの間で情報を伝達することが、
前記セルが混雑しているという判断に応答して、前記第２の通信リンクを介して、且つ動的スペクトルアービトラージアプリケーションパート（ＤＳＡＡＰ）プロトコルを使用して、前記セルの前記割り当てられた資源を使用する前記ワイヤレスデバイスを選択的にハンドオーバするという前記第１のＤＳＣへの指示を前記ＤＰＣに行わせるのに適した情報を含むバックオフコマンドメッセージを前記ＤＰＣに送信すること
を含む、請求項２０に記載のＤＳＡ方法。
【請求項３８】
前記ＤＳＡＡＰプロトコルを使用して前記第２の通信リンクを介して前記ＤＰＣと前記第２の電気通信ネットワークの前記第２のＤＳＣとの間で情報を伝達することが、前記第２のＤＳＣから前記バックオフコマンドメッセージを前記ＤＰＣで受信することをさらに含み、
前記ＤＳＡＡＰプロトコルを使用して前記第１の通信リンクを介して前記ＤＰＣと前記第１の電気通信ネットワークの第１のＤＳＣとの間で情報を伝達することが、前記受信されたバックオフコマンドメッセージを前記第１のＤＳＣに送信することで前記第１のＤＳＣに前記第１の電気通信ネットワークの対象セルを選択させ、前記セルの前記割り当てられた資源を使用する前記ワイヤレスデバイスをハンドオフすることを含む、請求項３７に記載のＤＳＡ方法。
【請求項３９】
Ｘｅインタフェースを使用して第１の通信リンクを介してｅＮｏｄｅＢと動的スペクトルコントローラ（ＤＳＣ）との間で情報を伝達する手段と、
Ｘｄインタフェースを使用して第２の通信リンクを介して動的スペクトルポリシコントローラ（ＤＰＣ）と前記ＤＳＣとの間で情報を伝達する手段と
を備える動的スペクトルアービトラージ（ＤＳＡ）システム。
【発明の詳細な説明】
【技術分野】
【０００１】
本出願は、２０１３年５月２８日に出願された「Ｉｎｔｅｒｆａｃｅ  ｂｅｔｗｅｅｎ  ａ  Ｄｙｎａｍｉｃ  Ｓｐｅｃｔｒｕｍ  Ｐｏｌｉｃｙ  Ｃｏｎｔｒｏｌｌｅｒ  ａｎｄ  ａ  Ｄｙｎａｍｉｃ  Ｓｐｅｃｔｒｕｍ  Ｃｏｎｔｒｏｌｌｅｒ」という名称の米国仮特許出願第６１／８２７，９１１号明細書の優先権の利益を主張し、その内容全体は参照により本明細書に組み込まれる。
【背景技術】
【０００２】
ネットワークにアクセスし、大容量のファイル（例えば、ビデオファイル）をダウンロードするためのワイヤレス通信デバイスの使用が増え続けることで、無線周波数スペクトルに対する需要がますます増えている。あまりにも多くのデバイスがそのようなサービスに割り当てられた有限のＲＦ帯域幅へアクセスを試みることにより、通話が途切れたり、インターネットへのアクセス速度が低下するなどの問題が生じ、スマートフォンユーザが不満を抱いている。それにもかかわらず、救急サービス（例えば、警察、消防、救助など）専用のＲＦ帯域などのＲＦスペクトルの一部は、そのような音声・無線通信帯域は非継続的で一時的にしか使用されないため、大部分が未使用のままである。従って、他のネットワークに加入しているワイヤレスデバイスがアクセスしたり使用するために、第１の電気通信ネットワークのうち活用されていない電気通信資源（例えば、ＲＦスペクトルなど）を動的に割り当てるための改善方法及び解決法は、電気通信ネットワーク、サービスプロバイダ及び電気通信サービスの消費者にとって有益となる。
【発明の概要】
【課題を解決するための手段】
【０００３】
様々な実施形態は、動的スペクトルアービトラージアプリケーションパート（ＤＳＡＡＰ）プロトコルを使用して第１の通信リンクを介して動的スペクトルポリシコントローラ（ＤＰＣ）と第１の電気通信ネットワークの第１の動的スペクトルコントローラ（ＤＳＣ）との間で情報を伝達するステップと、ＤＳＡＡＰプロトコルを使用して第２の通信リンクを介してＤＰＣと第２の電気通信ネットワークの第２のＤＳＣとの間で情報を伝達するステップと、ＤＳＡＡＰプロトコルを使用して第３の通信リンクを介して第２の電気通信ネットワークのｅＮｏｄｅＢと第２のＤＳＣとの間で情報を伝達するステップとを含む動的スペクトルアービトラージ（ＤＳＡ）方法を含む。一つの実施形態では、第１及び第２の通信リンクはＸｄインタフェース上で定義することができ、且つ第３の通信リンクはＸｅインタフェース上で定義することができる。
【０００４】
さらなる実施形態では、上記方法は、第２の電気通信ネットワークの様々なネットワーク状態をｅＮｏｄｅＢのｅＮｏｄｅＢプロセッサでモニタするステップと、モニタリングの結果に基づいてレポートを生成するステップとを含むことができる。一つの実施形態では、ＤＳＡＡＰプロトコルを使用して第３の通信リンクを介して第２の電気通信ネットワークのｅＮｏｄｅＢと第２のＤＳＣとの間で情報を伝達するステップは、第３の通信リンクを介してｅＮｏｄｅＢから第２のＤＳＣに生成レポートを送信するステップを含むことができる。さらなる実施形態では、第２の電気通信ネットワークのネットワーク状態をモニタするステップは、ネットワーク混雑レベル、資源使用レベル、及び資源利用可能性のうちの１つをモニタするステップを含むことができる。
【０００５】
さらなる実施形態では、上記方法は、第３の通信リンクを介してｅＮｏｄｅＢから生成レポートを第２のＤＳＣで受信するステップと、受信レポートに含まれる情報を使用して第１の電気通信ネットワークのワイヤレスデバイスによる割り当て及び使用に対して利用可能な余分なネットワーク資源が第２の電気通信ネットワークにあるかどうかを判断するステップとを含むことができる。さらなる実施形態では、上記方法は、資源と関連付けられた地理的境界を第２のＤＳＣで決定するステップを含むことができる。さらなる実施形態では、ＤＳＡＡＰプロトコルを使用して第３の通信リンクを介して第２の電気通信ネットワークのｅＮｏｄｅＢと第２のＤＳＣとの間で情報を伝達するステップは、第３の通信リンクを介してｅＮｏｄｅＢに決定された地理的境界を特定する情報を送信するステップを含むことができる。
【０００６】
さらなる実施形態では、上記方法は、異なるネットワークによる割り当てに対して利用可能にされた資源を特定する情報をＤＰＣで受信するステップを含むことができる。異なるネットワークは、第２の電気通信ネットワーク及び少なくとも１つの他の電気通信ネットワークを含むことができる。さらなる実施形態では、上記方法は、受信情報を使用して異なるネットワークによる割り当てに対して利用可能にされた資源をプールするステップを含み得る。
【０００７】
一つの実施形態では、ＤＳＡＡＰプロトコルを使用して第１の通信リンクを介してＤＰＣと第１の電気通信ネットワークの第１のＤＳＣとの間で情報を伝達するステップは、第１の電気通信ネットワークのワイヤレスデバイスによるアクセス及び使用のために資源のプールの一部分を割り当てるため、第１の通信リンクを介して第１のＤＳＣに資源割り当て情報を送信するステップを含むことができる。さらなる実施形態では、ＤＳＡＡＰプロトコルを使用して第２の通信リンクを介してＤＰＣと第２の電気通信ネットワークの第２のＤＳＣとの間で情報を伝達するステップは、第２の通信リンクを介して第２のＤＳＣからユーザトラフィック及び資源使用情報をＤＰＣで受信するステップを含むことができる。
【０００８】
一つの実施形態では、上記方法は、受信情報を使用して第２の電気通信ネットワークのトラフィック及び資源使用をモニタするステップと、モニタリングの結果に基づいて、第２の電気通信ネットワークの利用可能な資源を第１の電気通信ネットワークに割り当てるため、第１の通信リンクを介して第１のＤＳＣと通信するステップとをさらに含むことができる。
【０００９】
さらなる実施形態では、ＤＳＡＡＰプロトコルを使用して第１の通信リンクを介してＤＰＣと第１の電気通信ネットワークの第１のＤＳＣとの間で情報を伝達するステップは、第１の通信リンクを介して第１のＤＳＣから入札情報をＤＰＣで受信するステップと、ＤＰＣが第１の通信リンクを介して第１のＤＳＣに入札通知情報を送信するステップとを含むことができる。
【００１０】
さらなる実施形態では、ＤＳＡＡＰプロトコルを使用して第１の通信リンクを介してＤＰＣと第１の電気通信ネットワークの第１のＤＳＣとの間で情報を伝達するステップは、第１のＤＳＣから登録情報をＤＰＣで受信するステップを含むことができる。一つの実施形態では、方法は、受信された登録情報を使用して第１のＤＳＣを認証するステップと、第１のＤＳＣの認証に応答してＤＳＣ識別子をＤＰＣの登録メモリに格納するステップと、複数の情報要素を含む登録受諾メッセージを生成するステップと、第１の通信リンクを介して第１のＤＳＣに生成された登録受諾メッセージを送信するステップとをさらに含むことができる。
【００１１】
さらなる実施形態では、登録受諾メッセージを生成するステップは、トランスポート層セッションの確立における使用に適したアドレス値を含むＸＥｈシグナリングトランスポートネットワーク層（ＴＮＬ）アドレス情報要素を含む登録受諾メッセージを生成するステップを含むことができる。さらなる実施形態では、上記方法は、第１の通信リンクを介して登録受諾メッセージを第１のＤＳＣで受信するステップと、受信された登録メッセージのＸＥｈシグナリングＴＮＬアドレス情報要素に含まれるアドレス値を使用してトランスポート層セッションを確立するステップとを含むことができる。
【００１２】
さらなる実施形態では、ＤＳＡＡＰプロトコルを使用して第１の通信リンクを介してＤＰＣと第１の電気通信ネットワークの第１のＤＳＣとの間で情報を伝達するステップは、第１の通信リンクを介してＤＰＣから第１のＤＳＣにインボイスを送信するステップを含むことができる。さらなる実施形態では、上記方法は、第２のＤＳＣによってサービス提供されるセル内に割り当てに対して利用可能な資源があるかどうかを第２のＤＳＣによって判断するステップと、第２のＤＳＣによってサービス提供されるセル内に割り当てに対して利用可能な資源があるという判断に応答して資源登録要求メッセージを生成するステップとを含むことができる。一つの実施形態では、ＤＳＡＡＰプロトコルを使用して第２の通信リンクを介してＤＰＣと第２の電気通信ネットワークの第２のＤＳＣとの間で情報を伝達するステップは、第２の通信リンクを介してＤＰＣに生成された資源登録要求メッセージを送信するステップを含む。
【００１３】
さらなる実施形態では、ＤＳＡＡＰプロトコルを使用して第２の通信リンクを介してＤＰＣと第２の電気通信ネットワークの第２のＤＳＣとの間で情報を伝達するステップは、第２の通信リンクを介して（例えば、第２のＤＳＣから）資源登録要求メッセージをＤＰＣで受信するステップを含むことができる。さらなる実施形態では、上記方法は、受信された資源登録要求メッセージで特定された資源の格納及びサービス提供に対してメモリが不十分であるという判断に応答して受信された資源登録要求メッセージを拒否するステップと、受信された資源登録要求メッセージの拒否に応答して第２の通信リンクを介して第２のＤＳＣに資源登録要求拒否メッセージを送信するステップとを含むことができる。
【００１４】
さらなる実施形態では、上記方法は、利用可能な入札要求メッセージを第１のＤＳＣで生成するステップを含むことができ、ＤＳＡＡＰプロトコルを使用して第１の通信リンクを介してＤＰＣと第１の電気通信ネットワークの第１のＤＳＣとの間で情報を伝達するステップは、第１の通信リンクを介してＤＰＣに生成された利用可能な入札要求メッセージを送信するステップと、生成された利用可能な入札要求メッセージの送信に応答して第１の通信リンクを介してＤＰＣから第２の電気通信ネットワークによる割り当てに対して利用可能にされている資源に関する情報を受信するステップとを含むことができる。
【００１５】
さらなる実施形態では、利用可能な入札要求メッセージを生成するステップは、第２の電気通信ネットワークのパブリックランドモバイルネットワーク識別子（ＰＬＭＮ  ＩＤ）を含む及び／又は第２の電気通信ネットワークからの特定の資源を要求する利用可能な入札要求メッセージを生成するステップを含むことができる。
【００１６】
さらなる実施形態では、ＤＳＡＡＰプロトコルを使用して第１の通信リンクを介してＤＰＣと第１の電気通信ネットワークの第１のＤＳＣとの間で情報を伝達するステップは、第１の通信リンクを介して第１のＤＳＣから入札要求メッセージをＤＰＣで受信するステップを含むことができる。さらなる実施形態では、上記方法は、入札が第２の電気通信ネットワークの要件に準拠するどうかを判断することによって、受信された入札要求メッセージに含まれる入札が有効であるかどうかを判断するステップと、入札が有効であるという判断に応答して第１の通信リンクを介して第１のＤＳＣに入札受諾メッセージを送信するステップと、入札が有効ではないという判断に応答して第１の通信リンクを介して第１のＤＳＣに入札拒否メッセージを送信するステップとを含むことができる。
【００１７】
さらなる実施形態では、上記方法は、ＤＰＣと通信することによって、第１の電気通信ネットワークのワイヤレスデバイスによるアクセス及び使用のために第２の電気通信ネットワークのセルの資源を第２のＤＳＣによって割り当てるステップと、セルが混雑しているかどうかを判断するため、セルトラフィックを第２のＤＳＣによってモニタするステップとを含むことができる。一つの実施形態では、ＤＳＡＡＰプロトコルを使用して第２の通信リンクを介してＤＰＣと第２の電気通信ネットワークの第２のＤＳＣとの間で情報を伝達するステップは、セルが混雑しているという判断に応答して、第２の通信リンクを介して、且つ動的スペクトルアービトラージアプリケーションパート（ＤＳＡＡＰ）プロトコルを使用して、ＤＰＣにバックオフコマンドメッセージを送信するステップを含むことができ、バックオフコマンドメッセージは、セルの割り当てられた資源を使用するワイヤレスデバイスを選択的にハンドオーバするという第１のＤＳＣへの指示をＤＰＣに行わせるのに適した情報を含む。
【００１８】
さらなる実施形態では、ＤＳＡＡＰプロトコルを使用して第２の通信リンクを介してＤＰＣと第２の電気通信ネットワークの第２のＤＳＣとの間で情報を伝達するステップは、第２のＤＳＣからバックオフコマンドメッセージをＤＰＣで受信するステップをさらに含むことができる。一つの実施形態では、上記方法は、セルの割り当てられた資源を使用するワイヤレスデバイスをハンドオフするために第１の電気通信ネットワークの対象セルを第１のＤＳＣに選択させるため、第１のＤＳＣに受信されたバックオフコマンドメッセージを送信することによって、ＤＳＡＡＰプロトコルを使用して第１の通信リンクを介してＤＰＣと第１の電気通信ネットワークの第１のＤＳＣとの間で情報を伝達するステップを含むことができる。
【００１９】
さらなる実施形態は、ＤＰＣサーバ、第１の電気通信ネットワークの第１のＤＳＣサーバ、第２の電気通信ネットワークの第２のＤＳＣおよび第２の電気通信ネットワークのｅＮｏｄｅＢを含む動的スペクトルアービトラージ（ＤＳＡ）システムを含むことができる。様々な実施形態では、ＤＳＡシステムのコンポーネントのいずれかまたは全ては、上記で論じられる方法に対応する様々な動作のいずれかまたは全てをプロセッサ実行可能命令を用いて実行するように構成されたプロセッサまたは処理コアを含むことができる。
【００２０】
さらなる実施形態は、上記で論じられる方法に対応する様々な動作をプロセッサ実行可能命令を用いて実行するように構成された１つまたは複数のプロセッサを有するサーバコンピューティングデバイスを含むことができる。
【００２１】
さらなる実施形態は、上記で論じられる方法操作に対応する機能を実行するための様々な手段を有するサーバコンピューティングデバイスを含むことができる。
【００２２】
さらなる実施形態は、上記で論じられる方法操作に対応する様々な動作を１つ又は複数のプロセッサに実行させるように構成されたプロセッサ実行可能命令がその上に格納された非一時的なプロセッサ可読記憶媒体を含むことができる。
【００２３】
本明細書に組み込まれ、本明細書の一部を構成する添付の図面は、本発明の例示的な実施形態を示し、上記で与えられる一般的な説明や、下記で与えられる詳細な説明と共に、本発明の特徴を説明する上で役立つ。
【図面の簡単な説明】
【００２４】
【図１Ａ】様々な実施形態を実装するために使用することができる通信システムの様々な論理及び機能コンポーネントならびに通信リンクを示すシステムブロック図である。
【図１Ｂ】様々な実施形態を実装するために使用することができる通信システムの様々な論理及び機能コンポーネントならびに通信リンクを示すシステムブロック図である。
【図１Ｃ】様々な実施形態を実装するために使用することができる通信システムの様々な論理及び機能コンポーネントならびに通信リンクを示すシステムブロック図である。
【図１Ｄ】様々な実施形態を実装するために使用することができる通信システムの様々な論理及び機能コンポーネントならびに通信リンクを示すシステムブロック図である。
【図１Ｅ】様々な実施形態を実装するために使用することができる通信システムの様々な論理及び機能コンポーネントならびに通信リンクを示すシステムブロック図である。
【図２Ａ】実施形態による、動的スペクトルポリシコントローラ（ＤＰＣ）の観点から資源を割り当てるための動的スペクトルアービトラージ（ＤＳＡ）方法を示すプロセスフロー図である。
【図２Ｂ】実施形態による、資源を割り当てる際のＤＳＡ通信システムのコンポーネント間のメッセージ通信を示すメッセージフロー図である。
【図３】ＤＰＣ、２つの動的スペクトルコントローラ（ＤＳＣ）及びワイヤレスデバイスを含む通信システムにおける資源の割り当て及びアクセスを行うＤＳＡ方法の実施形態を示すプロセスフロー図である。
【図４】ＤＰＣ、２つの動的スペクトルコントローラ（ＤＳＣ）及びワイヤレスデバイスを含む通信システムにおける資源の割り当て及びアクセスを行うＤＳＡ方法の実施形態を示すプロセスフロー図である。
【図５】ＤＰＣ、２つの動的スペクトルコントローラ（ＤＳＣ）及びワイヤレスデバイスを含む通信システムにおける資源の割り当て及びアクセスを行うＤＳＡ方法の実施形態を示すプロセスフロー図である。
【図６】ＤＰＣ、２つの動的スペクトルコントローラ（ＤＳＣ）及びワイヤレスデバイスを含む通信システムにおける資源の割り当て及びアクセスを行うＤＳＡ方法の実施形態を示すプロセスフロー図である。
【図７】ＤＰＣ、２つの動的スペクトルコントローラ（ＤＳＣ）及びワイヤレスデバイスを含む通信システムにおける資源の割り当て及びアクセスを行うＤＳＡ方法の実施形態を示すプロセスフロー図である。
【図８Ａ】動的スペクトルアービトラージアプリケーションパート（ＤＳＡＡＰ）登録方法の実施形態を示すメッセージフロー図である。
【図８Ｂ】動的スペクトルアービトラージアプリケーションパート（ＤＳＡＡＰ）登録方法の実施形態を示すメッセージフロー図である。
【図８Ｃ】動的スペクトルアービトラージアプリケーションパート（ＤＳＡＡＰ）登録方法の実施形態を示すメッセージフロー図である。
【図９Ａ】ＤＳＡＡＰ広告方法の実施形態を示すメッセージフロー図である。
【図９Ｂ】ＤＳＡＡＰ広告方法の実施形態を示すメッセージフロー図である。
【図１０Ａ】利用可能な資源のリストを伝達するためのＤＳＡＡＰ方法の実施形態を示すメッセージフロー図である。
【図１０Ｂ】利用可能な資源のリストを伝達するためのＤＳＡＡＰ方法の実施形態を示すメッセージフロー図である。
【図１１Ａ】ＤＳＡＡＰ入札方法の実施形態を示すメッセージフロー図である。
【図１１Ｂ】ＤＳＡＡＰ入札方法の実施形態を示すメッセージフロー図である。
【図１２Ａ】入札動作の結果を参加ネットワークに通知するためのＤＳＡＡＰ通知方法の実施形態を示すメッセージフロー図である。
【図１２Ｂ】入札動作の結果を参加ネットワークに通知するためのＤＳＡＡＰ通知方法の実施形態を示すメッセージフロー図である。
【図１２Ｃ】入札動作の結果を参加ネットワークに通知するためのＤＳＡＡＰ通知方法の実施形態を示すメッセージフロー図である。
【図１２Ｄ】入札動作の結果を参加ネットワークに通知するためのＤＳＡＡＰ通知方法の実施形態を示すメッセージフロー図である。
【図１３Ａ】資源を速やかに（又はほぼ速やかに）購入するためのＤＳＡＡＰ購入方法の実施形態を示すメッセージフロー図である。
【図１３Ｂ】資源を速やかに（又はほぼ速やかに）購入するためのＤＳＡＡＰ購入方法の実施形態を示すメッセージフロー図である。
【図１４Ａ】借主ネットワークのコンポーネントによるアクセス及び使用のために貸主ネットワークの資源を割り当てるためのＤＳＡＡＰ割り当て方法の実施形態を示すメッセージフロー図である。
【図１４Ｂ】借主ネットワークのコンポーネントによるアクセス及び使用のために貸主ネットワークの資源を割り当てるためのＤＳＡＡＰ割り当て方法の実施形態を示すメッセージフロー図である。
【図１５Ａ】貸主ネットワークから借主ネットワーク（すなわち、そのホームのＰＬＭＮ）にワイヤレスデバイスを選択的に引き戻すＤＳＡＡＰバックオフ方法の実施形態を示すメッセージフロー図である。
【図１５Ｂ】貸主ネットワークから借主ネットワーク（すなわち、そのホームのＰＬＭＮ）にワイヤレスデバイスを選択的に引き戻すＤＳＡＡＰバックオフ方法の実施形態を示すメッセージフロー図である。
【図１６Ａ】ＤＳＡ動作を終了させるためのＤＳＣ始動ＤＳＡＡＰ登録解除方法の実施形態を示すメッセージフロー図である。
【図１６Ｂ】ＤＳＡ動作を終了させるためのＤＰＣ始動ＤＳＡＡＰ登録解除方法の実施形態を示すメッセージフロー図である。
【図１７Ａ】エラーを報告するためのＤＳＣ始動ＤＳＡＡＰエラー表示方法を示すメッセージフロー図である。
【図１７Ｂ】エラーを報告するためのＤＰＣ始動ＤＳＡＡＰエラー表示方法を示すメッセージフロー図である。
【図１８】ＤＳＡ資源更新方法を実行する場合、通信システムでの様々なコンポーネント間での動作及び情報フローを示す活動図である。
【図１９】異なるネットワーク間での資源の割り当て及び割り当て解除のＤＳＡ方法実施形態を示すプロセス流れ図である。
【図２０】異なるネットワーク間での資源の割り当て及び割り当て解除のＤＳＡ方法実施形態を示すプロセス流れ図である。
【図２１】様々な実施形態での使用に適した例示的なワイヤレスデバイスのコンポーネントブロック図である。
【図２２】実施形態での使用に適したサーバのコンポーネントブロック図である。
【発明を実施するための形態】
【００２５】
添付の図面を参照して様々な実施形態について詳細に説明する。可能な限り、図面全体を通じて、同じ又は同様の部分を指すために同じ参照番号を使用する。特定の例及び実装形態への言及は、例示を目的とし、本発明又は請求項の範囲を限定することを意図しない。
【００２６】
本明細書で使用されるように、「ワイヤレスデバイス」、「ワイヤレスデバイス」及び「ユーザ機器（ＵＥ）」という用語は、交換可能に使用することができ、様々なセルラフォン、パーソナルデータアシスタント（ＰＤＡ）、パームトップコンピュータ、ワイヤレスモデムを有するラップトップコンピュータ、ワイヤレス電子メールレシーバ（例えば、Ｂｌａｃｋｂｅｒｒｙ（登録商標）及びＴｒｅｏ（登録商標）デバイス）、マルチメディアインターネット可セルラフォン（例えば、ｉＰｈｏｎｅ（登録商標））及び同様のパーソナル電子デバイスのいずれか１つを指す。ワイヤレスデバイスは、プログラマブルプロセッサ及びメモリを含み得る。好ましい実施形態では、ワイヤレスデバイスは、セルラフォン通信ネットワークを介して通信することができるセルラハンドヘルドデバイス（例えば、ワイヤレスデバイス）である。
【００２７】
本出願で使用されるように、「コンポーネント」、「モジュール」、「エンジン」、「マネージャ」という用語は、これらに限定されないが、特定の動作又は機能を実行するように構成された、ハードウェア、ファームウェア、ハードウェアとソフトウェアの組合せ、ソフトウェア又は実行中のソフトウェアなどのコンピュータ関連の実体を含むことを意図する。例えば、コンポーネントは、これらに限定されないが、プロセッサ上で実行しているプロセス、プロセッサ、オブジェクト、実行可能なもの、実行スレッド、プログラム、コンピュータ、サーバ、ネットワークハードウェアなどであり得る。例示として、コンピューティングデバイス上で実行しているアプリケーション及びコンピューティングデバイスは両方とも、コンポーネントと呼ぶことができる。１つ又は複数のコンポーネントは、プロセス及び／又は実行スレッド内に存在することができ、コンポーネントは、１つのプロセッサもしくはコア上に局在させること及び／又は２つ以上のプロセッサもしくはコア間で分散させることができる。それに加えて、これらのコンポーネントは、様々な命令及び／又はデータ構造がその上に格納される様々な非一時的なコンピュータ可読媒体から実行することができる。
【００２８】
多くの異なるセルラ及びモバイル通信サービス及び規格が将来利用可能であるか又は企図され、サービス及び規格の全てを実装して様々な実施形態から利益を得ることができる。そのようなサービス及び規格は、例えば、第３世代パートナーシッププロジェクト（３ＧＰＰ：ｔｈｉｒｄ  ｇｅｎｅｒａｔｉｏｎ  ｐａｒｔｎｅｒｓｈｉｐ  ｐｒｏｊｅｃｔ）、ロングタームエボリューション（ＬＴＥ：ｌｏｎｇ  ｔｅｒｍ  ｅｖｏｌｕｔｉｏｎ）システム、第３世代ワイヤレスモバイル通信技術（３Ｇ）、第４世代ワイヤレスモバイル通信技術（４Ｇ）、モバイル通信用グローバルシステム（ＧＳＭ（登録商標）：ｇｌｏｂａｌ  ｓｙｓｔｅｍ  ｆｏｒ  ｍｏｂｉｌｅ  ｃｏｍｍｕｎｉｃａｔｉｏｎｓ）、ユニバーサルモバイル電気通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）、３ＧＳＭ、汎用パケット無線サービス（ＧＰＲＳ：ｇｅｎｅｒａｌ  ｐａｃｋｅｔ  ｒａｄｉｏ  ｓｅｒｖｉｃｅ）、符号分割多重アクセス（ＣＤＭＡ：ｃｏｄｅ  ｄｉｖｉｓｉｏｎ  ｍｕｌｔｉｐｌｅ  ａｃｃｅｓｓ）システム（例えば、ｃｄｍａＯｎｅ、ＣＤＭＡ２０００（登録商標））、ＧＳＭ進化型高速データレート（ＥＤＧＥ：ｅｎｈａｎｃｅｄ  ｄａｔａ  ｒａｔｅｓ  ｆｏｒ  ＧＳＭ  ｅｖｏｌｕｔｉｏｎ）、先進移動電話システム（ＡＭＰＳ：ａｄｖａｎｃｅｄ  ｍｏｂｉｌｅ  ｐｈｏｎｅ  ｓｙｓｔｅｍ）、デジタルＡＭＰＳ（ＩＳ−１３６／ＴＤＭＡ）、進化データ最適化（ＥＶ−ＤＯ：ｅｖｏｌｕｔｉｏｎ−ｄａｔａ  ｏｐｔｉｍｉｚｅｄ）、デジタル強化コードレス電気通信（ＤＥＣＴ：ｄｉｇｉｔａｌ  ｅｎｈａｎｃｅｄ  ｃｏｒｄｌｅｓｓ  ｔｅｌｅｃｏｍｍｕｎｉｃａｔｉｏｎｓ）、マイクロ波アクセスのための世界規模の相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ワイヤレスローカルエリアネットワーク（ＷＬＡＮ：ｗｉｒｅｌｅｓｓ  ｌｏｃａｌ  ａｒｅａ  ｎｅｔｗｏｒｋ）、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、Ｗｉ−Ｆｉ保護アクセスＩ＆ＩＩ（ＷＰＡ、ＷＰＡ２）、Ｂｌｕｅｔｏｏｔｈ（登録商標）、統合デジタル強化ネットワーク（ｉｄｅｎ：ｉｎｔｅｇｒａｔｅｄ  ｄｉｇｉｔａｌ  ｅｎｈａｎｃｅｄ  ｎｅｔｗｏｒｋ）、陸上移動無線（ＬＭＲ：ｌａｎｄ  ｍｏｂｉｌｅ  ｒａｄｉｏ）及び進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）を含む。これらの技術の各々は、例えば、音声、データ、信号及び／又はコンテンツメッセージの送信及び受信に関与する。特に請求項の用語での記述がない限り、個々の電気通信規格又は技術に関連する専門用語及び／又は技術詳細へのいかなる言及も、単なる例示を目的とし、請求項の範囲を特定の通信システム又は技術に限定することを意図しないことを理解すべきである。
【００２９】
様々な実施形態は、無線周波数（ＲＦ）スペクトル及びＲＦスペクトル資源などの電気通信資源の利用可能性、割り当て、アクセス及び使用を動的に管理するように構成された動的スペクトルアービトラージ（ＤＳＡ）システムを含む。ＤＳＡシステムは、動的スペクトルポリシコントローラ（ＤＰＣ）及び動的スペクトルコントローラ（ＤＳＣ）コンポーネントなどの様々なＤＳＡコンポーネントを含むことができる。ＤＰＣコンポーネントは、参加ネットワークの各々のＤＳＣコンポーネントと頻繁に通信を必要とする２つ以上のネットワーク間（例えば、貸主ネットワークと借主ネットワークとの間）のＤＳＡ動作及び相互作用を管理するように構成することができる。これらのＤＳＡ動作の一部としてＤＳＡコンポーネント（例えば、ＤＰＣ、ＤＳＣなど）は、大量の情報を頻繁に伝達及び／又は伝送する必要がある。従って、これらのコンポーネント間の通信、相互作用及び通信インタフェースは、ＤＳＡシステム及び参加電気通信ネットワークの効率及び速度に対してかなりの悪影響を及ぼす可能性がある。
【００３０】
様々な実施形態は、ＤＳＡシステムの効率及び速度を向上させるため、ＤＳＡコンポーネント（例えば、ＤＰＣ、ＤＳＣ、ｅＮｏｄｅＢなど）間の通信を可能にする、促進する、サポートする又は増大するように構成された動的スペクトルアービトラージアプリケーションパート（ＤＳＡＡＰ）プロトコル及びコンポーネントを含む。それに加えて、ＤＳＡＡＰプロトコル／コンポーネントは、ＤＳＡコンポーネントが、特定の情報の伝達、ならびに、ＤＳＡシステム及び参加ネットワークの効率及び速度を向上する様々なＤＳＡ機能を共に提供する動作の実行を行えるように構成することができる。
【００３１】
様々な実施形態では、全て又は一定の部分のＤＳＡＡＰコンポーネントは、ＤＰＣコンポーネント、ＤＳＣコンポーネント、ｅＮｏｄｅＢコンポーネント、独立したＤＳＡコンポーネント又はそれらの任意の組合せに含めることができる。ＤＳＡＡＰコンポーネントは、ハードウェア、ソフトウェア、又は、ハードウェアとソフトウェアの組合せで実装することができる。一つの実施形態では、ＤＳＡＡＰコンポーネントは、Ｘｅ、Ｘｄ及び／又はＸ２基準点上で定義することができるＤＳＡＡＰプロトコルを実装するように構成することができる。様々な実施形態では、ＤＳＣとｅＮｏｄｅＢとの間のＸｅ基準点は、ＤＳＡＡＰプロトコル、ＴＲ−０６９プロトコル及び／又はＴＲ−１９２データモデル拡張を使用してｅＮｏｄｅＢにおける利用可能な資源のリストアップ及びｅＮｏｄｅＢへの入札／買い確認の通知をサポートすることができる。ＤＳＣとＤＰＣとの間のＸｄ基準点は、動的スペクトル及び資源アービトラージ動作のためのＤＳＡＡＰプロトコルを使用することができる。ｅＮｏｄｅＢ間のＸ２インタフェース／基準点もまた、ＤＳＡＡＰプロトコルを使用して情報を伝達することができる。
【００３２】
様々な実施形態では、ＤＳＡＡＰコンポーネントは、ｅＮｏｄｅＢがＤＳＣコンポーネント（例えば、Ｘｅインタフェースを介して）、他のｅＮｏｄｅＢ（例えば、Ｘ２インタフェースを介して）及び様々な他のコンポーネント（例えば、Ｓ１インタフェースを介して）と通信できるように構成することができる。ｅＮｏｄｅＢがこれらのコンポーネントと効率的に通信できるようにすることにより、ＤＳＡＡＰコンポーネントは、ＤＳＡシステムの効率及び速度をさらに向上することができる。
【００３３】
例えば、一つの実施形態では、ＤＳＡシステムは、ＤＳＣアプリケーションプロトコル及び混雑モニタリング（ＤＡＰＣＭ）モジュールが装備されたｅＮｏｄｅＢを含むことができる。ＤＡＰＣＭモジュールは、様々なネットワーク状態（例えば、ネットワーク混雑、資源使用、資源利用可能性など）をモニタし、モニタリングに基づいてレポートを生成し、ＤＳＡＡＰを介してＤＳＣコンポーネントに生成レポートを送信するように構成することができる。ＤＳＣは、そのような情報を受信及び使用して資源要求をより良くもしくはより多く情報を得たものにするように、及び／又は、割り当てに対して利用可能にすることができる資源をより良く特定するように構成することができる。
【００３４】
別の例として一つの実施形態では、ＤＳＣは、様々な資源と関連付けられた地理的エリア／境界の特定に適した記録を維持するように構成されたｅＮｏｄｅＢ地理的境界管理（ＥＧＢＭ）モジュールを含むことができる。ＥＧＢＭは、この情報をｅＮｏｄｅＢに伝達する（例えば、ＤＳＡＡＰを介して）ように構成することができ、ｅＮｏｄｅＢは、そのような情報を受信及び使用して割り当てられた資源の使用をより良い且つより効率的なものにすることができる。例えば、ｅＮｏｄｅＢは、ＤＳＣから受信された地理的情報を使用してワイヤレスデバイスが割り当てられた資源を使用することができる地理的領域（例えば、ゾーン、セルサイトなど）をより良く決定することができる。また、そのような通信は、ＤＳＡシステムが、対象地理的エリアに資源をより良く割り当てることができるように、及び、ユーザ毎、セクタ毎、基地局毎、セルクラスタ毎、ライセンスエリア毎などに資源をより良く割り当てることができるようにする。
【００３５】
様々な実施形態では、ＤＳＡＡＰコンポーネントは、ＤＳＡシステム及び電気通信ネットワークの効率及び速度を向上させるため、ＤＳＣコンポーネントとＤＰＣコンポーネントとの間の通信を可能にする、促進する、サポートする又は増大するように構成することができる。そのような通信は、ＤＰＣ及び／又はＤＳＣコンポーネントが、異なるネットワークにわたって資源をより良くプールすること、様々なネットワークにおいてトラフィック及び資源使用をより良くモニタすること、入札及び入札情報をより効率的に伝達すること、コンポーネントの登録及び登録解除を素早く且つ効率的に行うこと、ならびに、バックオフ動作をより良く実行することを可能にすることができる。また、そのような通信は、入札、インボイスの生成、資源の広告、資源の要求、資源の購入、入札認証情報の有効性の確認などのための手順の性能及び効率を向上することによって、ＤＳＡ資源オークション動作の改善も行うことができる。
【００３６】
様々な実施形態では、ＤＳＡＡＰコンポーネントは、様々なＤＳＡコンポーネント（例えば、ＤＳＣ、ＤＰＣ、ｅＮｏｄｅＢなど）が、ＤＳＡＡＰプロトコルを使用した通信及び様々なＤＳＡＡＰ方法の実行を行えるようにすることができる。例えば、ＤＳＡＡＰ方法は、第１の電気通信ネットワーク（例えば、借主ネットワーク）の第１のＤＳＣサーバ、第２の電気通信ネットワーク（例えば、貸主ネットワーク）の第２のＤＳＣサーバ、ならびに、第１及び第２の電気通信ネットワーク外のＤＰＣサーバを含むＤＳＡシステムで実行することができる。
【００３７】
第１のＤＳＣは、第１の通信リンク（すなわち、有線又は無線リンク）を介してＤＰＣと結合された第１のＤＳＣプロセッサを含むことができ、第２のＤＳＣは、第２の通信リンクを介してＤＰＣと結合された第２のＤＳＣプロセッサを含むことができる。それに加えて、第１及び第２のＤＳＣの各々は、ｅＮｏｄｅＢと結合することができる。例えば、第２のＤＳＣは、第３の通信リンクを介して第２の電気通信ネットワークのｅＮｏｄｅＢと結合することができる。第１及び第２の通信リンクは、Ｘｄインタフェース上で定義することができ、第３の通信リンクは、Ｘｅインタフェース上で定義することができる。すなわち、ＤＳＣは、ＤＳＡＡＰプロトコルを使用することによって、Ｘｄインタフェースを介してＤＰＣと通信することができ、ＤＳＣは、ＤＳＡＡＰプロトコルを使用することによって、Ｘｅインタフェースを介してＤＳＣのそれぞれのネットワークのｅＮｏｄｅＢと通信することができる。
【００３８】
一つの実施形態では、ｅＮｏｄｅＢプロセッサは、ネットワーク状態をモニタし、モニタリングの結果に基づいてレポートを生成し、第３の通信リンクを介して第２のＤＳＣに生成レポートを送信するように構成することができる。このことは、ＤＳＡＡＰプロトコルを使用することによって（すなわち、ＤＳＡＡＰ通信メッセージを送信／受信することによって及び／又は本出願で論じられるＤＳＡＡＰ方法のいずれかを実行することによって）実現することができる。一つの実施形態では、ネットワーク状態をモニタすることは、第２の電気通信ネットワークのネットワーク混雑、資源使用及び資源利用可能性のうちの１つをモニタすることを含むことができる。
【００３９】
一つの実施形態では、第２のＤＳＣプロセッサは、第３の通信リンクを介してｅＮｏｄｅＢから生成レポートを受信し（ＤＳＡＡＰプロトコルを使用して）、受信レポートに含まれる情報を使用して第１の電気通信ネットワークのワイヤレスデバイスによる割り当て及び使用に対して利用可能な余分なネットワーク資源が第２の電気通信ネットワークにあるかどうかを判断するように構成することができる。
【００４０】
一つの実施形態では、第２のＤＳＣプロセッサは、資源と関連付けられた地理的境界を決定し、第３の通信リンクを介してｅＮｏｄｅＢに決定された地理的境界を特定する情報を送信する（例えば、ＤＳＡＡＰメッセージを送信する及び／又はＤＳＡＡＰ方法を実行する第２のＤＳＣのＤＳＡＡＰコンポーネントを介して）ように構成することができる。
【００４１】
一つの実施形態では、ＤＰＣプロセッサは、ＤＳＡＡＰプロトコルを使用して第２のＤＳＣ及び少なくとも１つの他のＤＳＣコンポーネントと通信するように構成することができる。これらの通信の一部としてＤＰＣは、第２の電気通信ネットワーク及び少なくとも１つの他の電気通信ネットワークを含む、多数の異なるネットワークにおける割り当てに対して利用可能な資源の特定に適した情報を受信することができる。ＤＰＣプロセッサは、受信情報を使用して異なるネットワークで利用可能な資源をプールし、第１の電気通信ネットワークのワイヤレスデバイスによるアクセス及び使用のために資源のプールの一部分を割り当てるため、第１の通信リンクを介して第１のＤＳＣと通信することができる。
【００４２】
一つの実施形態では、ＤＰＣプロセッサは、第２の通信リンクを介して第２のＤＳＣからユーザトラフィック及び資源使用情報を受信し（例えば、ＤＳＡＡＰプロトコルを使用して）、受信情報を使用して第２の電気通信ネットワークのトラフィック及び資源使用をモニタし、第２の電気通信ネットワークの資源を第１の電気通信ネットワークに割り当てるため、第１の通信リンクを介して第１のＤＳＣと通信するように構成することができる。ＤＰＣは、モニタリング動作の結果に基づいて（すなわち、検出されたユーザトラフィック及び資源使用レベルに基づいて）資源を割り当てることができる。
【００４３】
一つの実施形態では、ＤＰＣプロセッサは、第１の通信リンクを介して第１のＤＳＣから入札情報を受信し（ＤＳＡＡＰプロトコルを使用して）、第１の通信リンクを介して第１のＤＳＣに入札通知情報を送信するように構成することができる。
【００４４】
一つの実施形態では、ＤＰＣプロセッサは、第１の通信リンクを介して第１のＤＳＣから登録情報を受信し、受信された登録情報を使用して第１のＤＳＣを認証し、第１のＤＳＣの認証に応答してＤＳＣ識別子をＤＰＣの登録メモリに格納するように構成することができる。また、ＤＰＣプロセッサは、複数の情報要素を含む登録受諾メッセージを生成し、ＤＳＡＡＰプロトコルを使用して（例えば、第１のＤＳＣにＤＳＡＡＰメッセージを送信するＤＰＣのＤＳＡＡＰコンポーネントならびに／あるいはＤＳＡＡＰ方法を実行するＤＰＣ及び第１のＤＳＣを介して）、第１の通信リンクを介して第１のＤＳＣに生成された登録受諾メッセージを送信することができる。一つの実施形態では、ＤＰＣプロセッサは、トランスポート層セッションの確立における使用に適したアドレス値を含むＸＥｈシグナリングトランスポートネットワーク層（ＴＮＬ）アドレス情報要素を含む登録受諾メッセージを生成するように構成することができる。一つの実施形態では、第１のＤＳＣプロセッサは、ＤＳＡＡＰプロトコルを使用して第１の通信リンクを介してＤＰＣから登録受諾メッセージを受信し、受信された登録メッセージのＸＥｈシグナリングＴＮＬアドレス情報要素に含まれるアドレス値を使用してトランスポート層セッションを確立し、ＤＳＡＡＰプロトコルを使用して第１の通信リンクを介して第１のＤＳＣにインボイスを送信するように構成することができる。
【００４５】
一つの実施形態では、第２のＤＳＣプロセッサは、第２のＤＳＣによってサービス提供されるセル内に割り当てに対して利用可能な資源があるかどうかを判断し、第２のＤＳＣによってサービス提供されるセル内に割り当てに対して利用可能な資源があるという判断に応答して資源登録要求メッセージを生成し、ＤＳＡＡＰプロトコルを使用して第２の通信リンクを介してＤＰＣに生成された資源登録要求メッセージを送信するように構成することができる。ＤＰＣプロセッサは、ＤＳＡＡＰプロトコルを使用して第２の通信リンクを介して第２のＤＳＣから資源登録要求メッセージを受信し、受信された資源登録要求メッセージで特定された資源の格納及びサービス提供に対してメモリが不十分であるという判断に応答して受信された資源登録要求メッセージを拒否し、受信された資源登録要求メッセージの拒否に応答して、ＤＳＡＡＰプロトコルを使用して第２の通信リンクを介して第２のＤＳＣに資源登録要求拒否メッセージを送信するように構成することができる。
【００４６】
一つの実施形態では、第１のＤＳＣプロセッサは、利用可能な入札要求メッセージを生成し、第２の通信リンクを介してＤＰＣに生成された利用可能な入札要求メッセージを送信し、生成された利用可能な入札要求メッセージの送信に応答して、ＤＰＣから第２の電気通信ネットワークによる割り当てに対して利用可能にされている資源に関する情報を受信するように構成することができる。さらなる実施形態では、第１のＤＳＣプロセッサは、第２の電気通信ネットワークのパブリックランドモバイルネットワーク識別子（ＰＬＭＮ  ＩＤ）を含む及び第２の電気通信ネットワークからの特定の資源（例えば、特定のＲＦ周波数資源、特定のセルのｅＮｏｄｅＢなど）を要求する利用可能な入札要求メッセージを生成するように構成することができる。
【００４７】
一つの実施形態では、ＤＰＣプロセッサは、第１の通信リンクを介して第１のＤＳＣから入札要求メッセージを受信するように構成することができる。入札要求メッセージは、入札を含むことを含み得る。ＤＰＣプロセッサは、入札が第２の電気通信ネットワークの要件に準拠するどうかを判断することによって、入札が有効であるかどうかを判断することができる。ＤＰＣプロセッサは、入札が有効であるという判断に応答して第１の通信リンクを介して第１のＤＳＣに入札受諾メッセージを送信するか、又は、入札が有効ではないという判断に応答して第１の通信リンクを介して第１のＤＳＣに入札拒否メッセージを送信することができる。
【００４８】
一つの実施形態では、第２のＤＳＣプロセッサは、第１の電気通信ネットワークのワイヤレスデバイスによるアクセス及び使用のために第２の電気通信ネットワークのセルの資源を割り当てるためにＤＰＣと通信し、セルが混雑しているかどうかを判断するため、セルトラフィックをモニタし、セルが混雑しているという判断に応答してＤＳＡＡＰプロトコルを使用して第２の通信リンクを介してＤＰＣにバックオフコマンドメッセージを送信するように構成することができる。バックオフコマンドメッセージは、第２の電気通信ネットワークのセルの割り当てられた資源を使用する第１の電気通信ネットワークのワイヤレスデバイス加入者を選択的にハンドオーバするという第１のＤＳＣへの指示をＤＰＣに行わせるのに適した情報を含むことができる。ＤＰＣプロセッサは、第２のＤＳＣからバックオフコマンドメッセージを受信し、セルの割り当てられた資源を使用するワイヤレスデバイスをハンドオフするために第１の電気通信ネットワークの対象セルを第１のＤＳＣに選択させるため、ＤＳＡＡＰプロトコルを使用して第１のＤＳＣと通信するように構成することができる。
【００４９】
様々な実施形態は、各種の通信システム内で実装することができ、その例が図１Ａ〜１Ｅに示される。図１Ａを参照すると、ワイヤレスデバイス１０２は、基地局１１１に及び基地局１１１から音声、データ及び制御信号を送信及び受信するように構成することができ、基地局１１１は、ベーストランシーバ基地局（ＢＴＳ）、ＮｏｄｅＢ、ｅＮｏｄｅＢなどであり得る。基地局１１１は、アクセスゲートウェイ１１３と通信することができ、アクセスゲートウェイ１１３は、コントローラ、ゲートウェイ、サービングゲートウェイ（ＳＧＷ）、パケットデータネットワークゲートウェイ（ＰＧＷ）、進化型パケットデータゲートウェイ（ｅＰＤＧ）、パケットデータサービングノード（ＰＤＳＮ）、サービングＧＰＲＳサポートノード（ＳＧＳＮ）、任意の同様のコンポーネント又はそれらの提供される特徴／機能の組合せのうちの１つ又は複数を含み得る。これらの構造はよく知られているため及び／又は以下でさらに詳細に論じているため、最も関連する特徴に関する説明に焦点を置くために図１Ａからある特定の詳細を省略している。
【００５０】
アクセスゲートウェイ１１３は、ワイヤレスデバイスのトラフィックの出入りの主要点の働きをするならびに／あるいはワイヤレスデバイス１０２をワイヤレスデバイス１０２の即時のサービスプロバイダ及び／又はパケットデータネットワーク（ＰＤＮ）に接続するいかなる論理及び／又は機能コンポーネントでもあり得る。アクセスゲートウェイ１１３は、音声、データ及び制御信号をユーザデータパケットとして他のネットワークコンポーネントに転送すること、外部のパケットデータネットワークへの接続性を提供すること、コンテキスト（例えば、ネットワーク内部ルーティング情報など）を管理及び格納すること、ならびに、異なる技術（例えば、３ＧＰＰ及び非３ＧＰＰシステム）間のアンカの役割を果たすことができる。アクセスゲートウェイ１１３は、インターネット１０５への及びインターネット１０５からのデータの送信及び受信、ならびに、外部のサービスネットワーク１０４、インターネット１０５、他の基地局１１１、ワイヤレスデバイス１０２への及び外部のサービスネットワーク１０４、インターネット１０５、他の基地局１１１、ワイヤレスデバイス１０２からの音声、データ及び制御信号の送信及び受信を調整することができる。
【００５１】
様々な実施形態では、基地局１１１及び／又はアクセスゲートウェイ１１３は、様々なネットワーク資源（例えば、ＲＦスペクトル、ＲＦスペクトル資源など）の利用可能性、割り当て、アクセス及び使用を動的に管理するように構成された動的スペクトルアービトラージ（ＤＳＡ）システムと結合することができる（例えば、有線又は無線通信リンクを介して）。ＤＳＡシステムについては、以下でさらに詳細に論じる。
【００５２】
図１Ｂは、各種の通信システム／技術（例えば、ＧＰＲＳ、ＵＭＴＳ、ＬＴＥ、ｃｄｍａＯｎｅ、ＣＤＭＡ２０００（登録商標））を使用してサービスネットワーク１０４（そして最終的にインターネット１０５）に及びサービスネットワーク１０４から音声、データ及び制御信号を送信及び受信するようにワイヤレスデバイス１０２を構成できることを示し、それらのいずれか又は全ては、様々な実施形態によってサポートすること又は様々な実施形態の実装に使用することができる。
【００５３】
図１Ｂに示される例では、ワイヤレスデバイス１０２から送信されたロングタームエボリューション（ＬＴＥ）及び／又は進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）データは、ｅＮｏｄｅＢ  １１６によって受信され、コアネットワーク１２０内に位置するサービングゲートウェイ（ＳＧＷ）１１８に送信される。ｅＮｏｄｅＢ  １１６は、シグナリング／制御情報（例えば、呼び出しセットアップ、セキュリティ、認証などについての情報）をモビリティー管理実体（ＭＭＥ）１３０に送信することができる。ＭＭＥ  １３０は、ホーム加入者サーバ（ＨＳＳ）１３２からユーザ／予約購入情報を要求すること、他のＭＭＥコンポーネントと通信すること、様々な管理タスク（例えば、ユーザ認証、ローミング制限の実施など）を実行すること、ＳＧＷ  １１８を選択すること、ならびに、認証及び管理情報をｅＮｏｄｅＢ  １１６及び／又はＳＧＷ  １１８に送信することができる。ＭＭＥ  １３０から認証情報（例えば、認証完了表示、選択されたＳＧＷの識別子など）が受信され次第、ｅＮｏｄｅＢ  １１６は、ワイヤレスデバイス１０２から受信されたデータを選択されたＳＧＷ  １１８に送信することができる。ＳＧＷ  １１８は、受信されたデータについての情報（例えば、ＩＰベアラサービスのパラメータ、ネットワーク内部ルーティング情報など）を格納し、ユーザデータパケットをポリシ制御実施機能（ＰＣＥＦ）及び／又はパケットデータネットワークゲートウェイ（ＰＧＷ）１２８に転送することができる。
【００５４】
図１Ｂは、ワイヤレスデバイス１０２から送信された汎用パケット無線サービス（ＧＰＲＳ：ｇｅｎｅｒａｌ  ｐａｃｋｅｔ  ｒａｄｉｏ  ｓｅｒｖｉｃｅ）データをベーストランシーバ基地局（ＢＴＳ）１０６によって受信し、基地局コントローラ（ＢＳＣ）及び／又はパケット制御ユニット（ＰＣＵ）コンポーネント（ＢＳＣ／ＰＣＵ）１０８に送信できることをさらに示す。ワイヤレスデバイス１０２から送信された符号分割多重アクセス（ＣＤＭＡ：ｃｏｄｅ  ｄｉｖｉｓｉｏｎ  ｍｕｌｔｉｐｌｅ  ａｃｃｅｓｓ）データは、ベーストランシーバ基地局１０６によって受信し、基地局コントローラ（ＢＳＣ）及び／又はパケット制御機能（ＰＣＦ）コンポーネント（ＢＳＣ／ＰＣＦ）１１０に送信することができる。ワイヤレスデバイス１０２から送信されたユニバーサルモバイル電気通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）データは、ＮｏｄｅＢ  １１２によって受信し、無線ネットワークコントローラ（ＲＮＣ）１１４に送信することができる。
【００５５】
ＢＳＣ／ＰＣＵ  １０８、ＢＳＣ／ＰＣＦ  １１０及びＲＮＣ  １１４コンポーネントは、ＧＰＲＳ、ＣＤＭＡ及びＵＭＴＳデータをそれぞれ処理し、処理されたデータをコアネットワーク１２０内のコンポーネントに送信することができる。より具体的には、ＢＳＣ／ＰＣＵ  １０８及びＲＮＣ  １１４ユニットは、処理されたデータをサービングＧＰＲＳサポートノード（ＳＧＳＮ）１２２に送信することができ、ＢＳＣ／ＰＣＦ  １１０は、処理されたデータをパケットデータサービングノード（ＰＤＳＮ）及び／又は高速パケットデータサービングゲートウェイ（ＨＳＧＷ）コンポーネント（ＰＤＳＮ／ＨＳＧＷ）１２６に送信することができる。ＰＤＳＮ／ＨＳＧＷ  １２６は、無線アクセスネットワークとＩＰベースのＰＣＥＦ／ＰＧＷ  １２８との間の接続点の役割を果たし得る。ＳＧＳＮ  １２２は、特定の地理的サービスエリア内のデータのルーティングに対する責任を有することができ、シグナリング（制御プレーン）情報（例えば、呼び出しセットアップ、セキュリティ、認証などについての情報）をＭＭＥ  １３０に送信することができる。ＭＭＥ  １３０は、ホーム加入者サーバ（ＨＳＳ）１３２からユーザ及び予約購入情報を要求すること、様々な管理タスク（例えば、ユーザ認証、ローミング制限の実施など）を実行すること、ＳＧＷ  １１８を選択すること、ならびに、管理及び／又は認証情報をＳＧＳＮ  １２２に送信することができる。
【００５６】
ＳＧＳＮ  １２２は、ＭＭＥ  １３０からの認証情報の受信に応答して、ＧＰＲＳ／ＵＭＴＳデータを選択されたＳＧＷ  １１８に送信することができる。ＳＧＷ  １１８は、データについての情報（例えば、ＩＰベアラサービスのパラメータ、ネットワーク内部ルーティング情報など）を格納し、ユーザデータパケットをＰＣＥＦ／ＰＧＷ  １２８に転送することができる。ＰＣＥＦ／ＰＧＷ  １２８は、シグナリング（制御プレーン）情報をポリシ制御規則機能（ＰＣＲＦ）１３４に送信することができる。ＰＣＲＦ  １３４は、加入者データベースにアクセスすること、一連のポリシ規則を作成すること、及び、他の専門的な機能を実行する（例えば、オンライン／オフライン請求システム、アプリケーション機能などと相互作用する）ことができる。次いで、ＰＣＲＦ  １３４は、実施のためにポリシ規則をＰＣＥＦ／ＰＧＷ  １２８に送信することができる。ＰＣＥＦ／ＰＧＷ  １２８は、帯域幅、サービス品質（ＱｏＳ）、データの特徴、及び、サービスネットワーク１０４とエンドユーザとの間で伝達されるサービスを制御するためにポリシ規則を実装することができる。
【００５７】
様々な実施形態では、上記で論じられるコンポーネントのいずれか又は全て（例えば、コンポーネント１０２〜１３４）は、電気通信資源の利用可能性、割り当て、アクセス及び使用を動的に管理するように構成されたＤＳＡシステムと結合するか又はＤＳＡシステムに含めることができる。
【００５８】
図１Ｃは、ＤＳＡシステム１４２及び進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）１４０を含むシステム１００の一つの実施形態における様々な論理コンポーネント及び通信リンクを示す。図１Ｃに示される例では、ＤＳＡシステム１４２は、動的スペクトルコントローラ（ＤＳＣ）１４４コンポーネントと、動的スペクトルポリシコントローラ（ＤＰＣ）１４６コンポーネントとを含む。Ｅ−ＵＴＲＡＮ  １４０は、コアネットワーク１２０と結合された（例えば、ＭＭＥ、ＳＧＷなどへの接続を介して）多数の相互接続されたｅＮｏｄｅＢ  １１６を含む。
【００５９】
様々な実施形態では、ＤＳＣ  １４４は、Ｅ−ＵＴＲＡＮ  １４０に含めるか又はＥ−ＵＴＲＡＮ  １４０と結合することができ、いずれの場合も、そのコアネットワーク１２０の一部として又はコアネットワーク１２０外に含めるか又は結合することができる。一つの実施形態では、ＤＳＣ  １４４は、１つ又は複数のｅＮｏｄｅＢ  １１６と直接結合することができる（例えば、有線又は無線通信リンクを介して）。
【００６０】
ｅＮｏｄｅＢ  １１６は、Ｘｅインタフェース／基準点を介してＤＳＣ  １４４と通信するように構成することができる。様々な実施形態では、ＤＳＣとｅＮｏｄｅＢ  １１６との間のＸｅ基準点は、ＤＳＡＡＰプロトコル、ＴＲ−０６９プロトコル及び／又はＴＲ−１９２データモデル拡張を使用して、ｅＮｏｄｅＢ  １１６における利用可能な資源のリストアップ及びｅＮｏｄｅＢ  １１６への入札／買い確認についての通知をサポートすることができる。ＤＳＣ  １４４は、Ｘｄインタフェース／基準点を介してＤＰＣ  １４６と通信するように構成することができる。ＤＳＣとＤＰＣとの間のＸｄ基準点は、動的スペクトル及び資源アービトラージ動作のためのＤＳＡＡＰプロトコルを使用することができる。ｅＮｏｄｅＢ  １１６は、相互接続することができ、Ｘ２インタフェース／基準点を介して通信するように構成することができ、Ｘ２インタフェース／基準点もまた、情報を伝達するためにＤＳＡＡＰプロトコルを使用することができる。ｅＮｏｄｅＢ  １１６は、Ｓ１インタフェースを介してコアネットワーク１２０のコンポーネントと通信するように構成することができる。例えば、ｅＮｏｄｅＢ  １１６は、Ｓ１−ＭＭＥインタフェースを介してＭＭＥ  １３０に接続すること、及び、Ｓ１−Ｕインタフェースを介してＳＧＷ  １１８に接続することができる。Ｓ１インタフェースは、ＭＭＥ  １３０と、ＳＧＷ  １１８と、ｅＮｏｄｅＢ  １１６との間の多対多関係をサポートすることができる。一つの実施形態では、ＤＰＣ及び／又はＤＳＣコンポーネントは、ＨＳＳ  １３２コンポーネントと通信するように構成することもできる。
【００６１】
ｅＮｏｄｅＢ  １１６は、ワイヤレスデバイス１０２に対するユーザプレーン（例えば、ＰＤＣＰ、ＲＬＣ、ＭＡＣ、ＰＨＹ）及び制御プレーン（ＲＲＣ）プロトコル終端を提供するように構成することができる。すなわち、ｅＮｏｄｅＢ  １１６は、ワイヤレスデバイス１０２に対する全ての無線プロトコルの終端点の働きをし、音声（例えば、ＶｏＩＰなど）、データ及び制御信号をコアネットワーク１２０のネットワークコンポーネントに中継することによって、ワイヤレスデバイス１０２とコアネットワーク１２０との間のブリッジ（例えば、層２ブリッジ）の役割を果たし得る。また、ｅＮｏｄｅＢ  １１６は、無線インタフェースの使用を制御すること、要求に基づいて資源を割り当てること、様々なサービス品質（ＱｏＳ）要件に従ってトラフィックの優先順位付け及びスケジューリングを行うこと、ネットワーク資源の使用をモニタすることなど、様々な無線資源管理動作を実行するように構成することもできる。それに加えて、ｅＮｏｄｅＢ  １１６は、無線信号レベル測定値を収集し、収集された無線信号レベル測定値を分析し、分析の結果に基づいてワイヤレスデバイス１０２（又はモバイルデバイスへの接続）を別の基地局（例えば、第２のｅＮｏｄｅＢ）に引き渡すように構成することができる。
【００６２】
ＤＳＣ  １４４及びＤＰＣ  １４６は、異なるＥ−ＵＴＲＡＮ  １４０間で無線周波数及び他のネットワーク資源を共有するための動的スペクトルアービトラージプロセスを管理するように構成された機能コンポーネントであり得る。例えば、ＤＰＣ  １４６コンポーネントは、Ｅ−ＵＴＲＡＮネットワークのＤＳＣ  １４４と通信することによって、複数のＥ−ＵＴＲＡＮネットワーク間のＤＳＡ動作及び相互作用を管理するように構成することができる。
【００６３】
図１Ｄは、様々な実施形態によるＤＳＡ動作の実行における使用に適した通信システム１０１に含めることができる様々な論理及び機能コンポーネントを示す。図１Ｄに示される例では、通信システム１０１は、ｅＮｏｄｅＢ  １１６、ＤＳＣ  １４４、ＤＰＣ  １４６、ＭＭＥ  １３０、ＳＧＷ  １１８及びＰＧＷ  １２８を含む。
【００６４】
ｅＮｏｄｅＢ  １１６は、ＤＳＣアプリケーションプロトコル及び混雑モニタリングモジュール１５０、セル間無線資源管理（ＲＲＭ）モジュール１５１、無線ベアラ（ＲＢ）制御モジュール１５２、接続モビリティー制御モジュール１５３、無線許可制御モジュール１５４、ｅＮｏｄｅＢ測定配置及び規定モジュール１５５、ならびに、動的な資源割り当てモジュール１５６を含み得る。これらのモジュール１５０〜１５６の各々は、ハードウェア、ソフトウェア又はハードウェアとソフトウェアの組合せで実装することができる。
【００６５】
それに加えて、ｅＮｏｄｅＢ  １１６は、無線資源制御（ＲＲＣ）層１５７、パケットデータ収束プロトコル（ＰＤＣＰ）層１５８、無線リンク制御（ＲＬＣ）層１５９、媒体アクセス制御（ＭＡＣ）層１６０及び物理（ＰＨＹ）層１６１を含む様々なプロトコル層を含み得る。これらのプロトコル層の各々では、様々なハードウェア及び／又はソフトウェアコンポーネントは、その層に割り当てられた責任に見合った機能性を実装することができる。例えば、データストリームは、物理層１６１で受信することができ、物理層１６１は、無線受信機、バッファ、ならびに、復調する、無線周波数（ＲＦ）信号内のシンボルを認識する、及び受信されたＲＦ信号から生のデータを抽出するための他の動作の実行の動作を実行する、という動作を実行する処理コンポーネントを含み得る。
【００６６】
ＤＳＣ  １４４は、ｅＮｏｄｅＢ地理的境界管理モジュール１６２、ｅＮｏｄｅＢ資源及び混雑管理モジュール１６３、ストリーム制御伝送プロトコル（ＳＣＴＰ）モジュール１６４、層２（Ｌ２）バッファモジュール１６５及び層１（Ｌ１）バッファモジュール１６６を含み得る。ＤＰＣ  １４６は、ｅＮｏｄｅＢ資源入札管理モジュール１６７、ＤＳＣ間通信モジュール１６８、ＳＣＴＰ／ＤＩＡＭＥＴＥＲモジュール１６９、Ｌ２バッファモジュール１７０及びＬ１バッファモジュール１７１を含み得る。ＭＭＥ  １３０は、非アクセス層（ＮＡＳ）セキュリティモジュール１７２、アイドル状態モビリティー処理モジュール１７３及び進化型パケットシステム（ＥＰＳ）ベアラ制御モジュール１７４を含み得る。ＳＧＷ  １１８は、モビリティーアンカリングモジュール１７６を含み得る。ＰＧＷ  １２８は、ＵＥ  ＩＰアドレス割り当てモジュール１７８及びパケットフィルタリングモジュール１７９を含み得る。これらのモジュール１６２〜１７９の各々は、ハードウェア、ソフトウェア又はハードウェアとソフトウェアの組合せで実装することができる。
【００６７】
ｅＮｏｄｅＢ  １１６は、Ｓ１インタフェース／プロトコルを介してＳＧＷ  １１８及び／又はＭＭＥ  １３０と通信するように構成することができる。また、ｅＮｏｄｅＢ  １１６は、Ｘｅインタフェース／プロトコルを介してＤＳＣ  １４４と通信するように構成することもできる。ＤＳＣ  １４４は、Ｘｄインタフェース／プロトコルを介してＤＰＣ  １４６と通信するように構成することができる。
【００６８】
ｅＮｏｄｅＢ  １１６は、無線ベアラ制御、無線許可制御、接続モビリティー制御、アップリンクとダウンリンク（スケジューリング）の両方におけるワイヤレスデバイス１０２への資源の動的割り当てなどの無線資源管理のための機能を含む様々な機能を提供するために様々な動作を実行する（例えば、モジュール／層１５０〜１６１を介して）ように構成することができる。また、これらの機能は、ＩＰヘッダ圧縮及びユーザデータストリームの暗号化、ＵＥによって提供された情報からＭＭＥ  １３０へのルーティングが決定されない際のＵＥアタッチメントにおけるＭＭＥの選択、ＳＧＷ  １１８に対するユーザプレーンデータのルーティング、ページングメッセージのスケジューリング及び伝送（ＭＭＥから生じる）、放送情報のスケジューリング及び伝送（ＭＭＥから生じる）、モビリティー及びスケジューリングのための測定及び測定レポート構成、公的警報システム（例えば、地震及び津波警報システム、商用モバイル警告サービスなど）メッセージのスケジューリング及び伝送（ＭＭＥから生じる）、閉鎖された加入者グループ（ＣＳＧ）取り扱い、ならびに、アップリンクにおけるトランスポートレベルパケットマーキングも含み得る。一つの実施形態では、ｅＮｏｄｅＢ  １１６は、Ｓ１／Ｘ２プロキシ機能性、Ｓ１１終端及び／又は中継ノード（ＲＮ）をサポートするためのＳＧＷ／ＰＧＷ機能性などの追加の機能を提供するために様々な動作を実行するように構成されたドナーｅＮｏｄｅＢ（ＤｅＮＢ）であり得る。
【００６９】
ＭＭＥ  １３０は、非アクセス層（ＮＡＳ）シグナリング、ＮＡＳシグナリングセキュリティ、アクセス層（ＡＳ）セキュリティ制御、３ＧＰＰアクセスネットワーク間の移動のためのＣＮノード間シグナリング、アイドルモードＵＥ到達可能性（ページング再伝送の制御及び実行を含む）、追跡エリアリスト管理（例えば、アイドル及びアクティブモードのワイヤレスデバイスのため）、ＰＧＷ及びＳＧＷ選択、ＭＭＥ変更に伴うハンドオーバのためのＭＭＥ選択、２Ｇ又は３Ｇ  ３ＧＰＰアクセスネットワークへのハンドオーバのためのＳＧＳＮ選択、ローミング、認証、専用ベアラ確立を含むベアラ管理機能、公的警報システム（例えば、地震及び津波警報システム、商用モバイル警告サービスなど）メッセージ伝送のためのサポート、ならびに、ページング最適化の実行を含む様々な機能を提供するために様々な動作を実行する（例えば、モジュール１７２〜１７５を介して）ように構成することができる。また、ＭＭＥモジュールは、様々なデバイス状態及び取り付け／取り外し状態情報をＤＳＣに伝達することもできる。一つの実施形態では、ＭＭＥ  １３０は、マクロｅＮｏｄｅＢに対するＣＳＧ  ＩＤに基づいてページングマッサージをフィルタリングしないように構成することができる。
【００７０】
ＳＧＷ  １１８は、モビリティーアンカリング（例えば、３ＧＰＰ間の移動のため）、ｅＮｏｄｅＢ間ハンドオーバのためのローカルモビリティーアンカポイントとしての働き、Ｅ−ＵＴＲＡＮアイドルモードダウンリンクパケットバッファリング、ネットワークトリガサービス要求手順の開始、合法的通信傍受、パケットルーティング及び転送、アップリンク（ＵＬ）及びダウンリンク（ＤＬ）におけるトランスポートレベルパケットマーキング、オペレータ間請求のためのユーザ及びＱｏＳクラス識別子（ＱＣＩ）粒度に関する説明、アップリンク（ＵＬ）及びダウンリンク（ＤＬ）請求（例えば、デバイス、ＰＤＮ及び／又はＱＣＩ毎）などを含む様々な機能を提供するために様々な動作を実行する（例えば、モジュール１７６を介して）ように構成することができる。
【００７１】
ＰＧＷ  １２８は、ユーザ毎のパケットフィルタリング（例えば、徹底的なパケット検査によって）、合法的通信傍受、ＵＥ  ＩＰアドレス割り当て、アップリンク及びダウンリンクにおけるトランスポートレベルパケットマーキング、ＵＬ及びＤＬサービスレベル請求、ゲーティング及びレート実施、ＡＰＮ総最大ビットレート（ＡＭＢＲ）に基づくＤＬレート実施などを含む様々な機能を提供するために様々な動作を実行する（例えば、モジュール１７８〜１７９を介して）ように構成することができる。
【００７２】
ＤＳＣ  １４４は、ネットワーク（例えば、ＰＬＭＮ）内の資源アービトレーション動作の管理、ネットワーク資源リストの追跡、進行中の現在の入札の追跡、実行された入札の追跡、ならびに、貸主ネットワークにおける借主ワイヤレスデバイス１０２のモビリティー管理のための入札特有の閉鎖された加入者グループ（ＣＳＧ）識別子（ＣＳＧ−ＩＤ）の追跡を含む様々な機能を提供するために様々な動作を実行する（例えば、モジュール１６２〜１６６を介して）ように構成することができる。ＤＳＣ  １４４は、借主ネットワークから貸主ネットワークにワイヤレスデバイス１０２を引き渡し（すなわち、ハンドインを実行する）、貸主ネットワークから借主ネットワークにワイヤレスデバイス１０２を引き戻す（すなわち、バックオフを実行する）ように構成することができる。
【００７３】
また、ＤＳＣ  １４４は、ｅＮｏｄｅＢの混雑状態を追跡し、ハンドオーバに対する対象ｅＮｏｄｅＢを選択し、貸主ｅＮｏｄｅＢ上のトラフィックを管理するように構成することもできる。ＤＳＣ  １４４は、構成されたポリシに基づいて、借主ネットワークから貸主ネットワーク内の他の負荷が少ないｅＮｏｄｅＢ  １１６にユーザトラフィックをオフロードする（例えば、優先度の低いユーザトラフィックをオフロードする、優先度の高いユーザトラフィックをオフロードする、特定のＱｏＳを有するユーザトラフィックをオフロードするなど）ように構成することができる。また、ＤＳＣ  １４４は、貸主ネットワークから借主ネットワークにワイヤレスデバイス１０２を引き戻すためにバックオフ動作を実行することもできる。また、ＤＳＣ  １４４は、システムの１つ又は複数のｅＮｏｄｅＢから収集又は受信される混雑情報の履歴をモニタ、管理及び／又は維持するように構成することもできる。
【００７４】
ＤＰＣ  １４６は、貸主及び借主ネットワーク（例えば、ＰＬＭＮ）のＤＳＣ  １４４間の資源アービトラージブローカとしての機能、オークションのための様々な貸主ネットワークからの資源のリストアップ、オークションプロセスの管理を含む様々な機能を提供するために様々な動作を実行する（例えば、モジュール１６７〜１７１を介して）ように構成することができる。ＤＰＣ  １４６は、高値での入札、落札、入札取消、入札撤回及び入札終了の通知をＤＳＣ  １４４に送信し、借主及び貸主ネットワークのオンライン及び／又はオフライン請求システムで入札特有の請求規則をインストールし、借主及び貸主ＤＳＣ  １４４間のゲートウェイの役割を果たすことによってＤＳＣ  １４４間の資源使用量を調整するように構成することができる。
【００７５】
図１Ｅは、ＤＳＡ動作及び相互作用を管理するように構成されたＤＰＣ  １４６によって相互接続された２つのＥ−ＵＴＲＡＮ  １４０ａ、１４０ｂを含む例示的な通信システム１０３のネットワークコンポーネント及び情報フローを示す。図１Ｅに示される例では、各Ｅ−ＵＴＲＡＮ  １４０ａ、１４０ｂは、そのコアネットワーク１２０ａ、１２０ｂの外側のｅＮｏｄｅＢ  １１６ａ、１１６ｂと、コアネットワーク１２０ａ、１２０ｂの内側のＤＳＣ  １４４ａ、１４４ｂとを含む。
【００７６】
ＤＳＣ  １４４ａ、１４４ｂは、Ｘｄインタフェースを介してＤＰＣ  １４６と通信するように構成することができる。また、ＤＳＣ  １４４ａ、１４４ｂは、ＰＣＲＦ  １３４、ＨＳＳ  １３２及びＰＣＥＦ／ＰＧＷ  １２８（図１Ｅでは図示せず）など、ＤＳＣ  １４４ａ、１４４ｂのそれぞれのコアネットワーク１２０ａ、１２０ｂの様々なネットワークコンポーネントに直接又は間接的に接続することもできる。一つの実施形態では、ＤＳＣ  １４４ａ、１４４ｂのうちの１つ又は複数は、ｅＮｏｄｅＢ  １１６ａ、１１６ｂのうちの１つ又は複数に直接接続することができる。
【００７７】
上記で言及される接続及び通信リンクに加えて、システム１０３は、異なるＥ−ＵＴＲＡＮ（例えば、Ｅ−ＵＴＲＡＮ  １４０ａ及び１４０ｂ）のコンポーネント間のデータフロー及び通信に対応するために追加の接続／リンクを含み得る。例えば、システム１０３は、第２のＥ−ＵＴＲＡＮ  １４０ｂのｅＮｏｄｅＢ  １１６ｂと第１のＥ−ＵＴＲＡＮ  １４０ａのＳＧＷ  １１８との間の接続／通信リンクを含み得る。別の例として、システム１０３は、第２のＥ−ＵＴＲＡＮ  １４０ｂのＳＧＷ  １１８と第１のＥ−ＵＴＲＡＮ  １４０ａのＰＧＷ  １２８との間の接続／通信リンクを含み得る。関連実施形態の論考に焦点を置くため、図１Ｅでは、これらの追加のコンポーネント、接続及び通信リンクは示さない。
【００７８】
以下でさらに詳細に論じられるように、ＤＳＣ  １４４ａ、１４４ｂは、スペクトル資源の利用可能性に関する情報（例えば、ｅＮｏｄｅＢ、ＰＣＲＦ、ＰＣＥＦ、ＰＧＷなどから受信された情報）をＤＰＣ  １４６に送信するように構成することができる。この情報は、各ネットワーク又はサブネットワークの現在の及び予想される将来の使用及び／又は容量に関連するデータを含み得る。ＤＰＣ  １４６は、そのような情報を受信及び使用して、第１のＥ−ＵＴＲＡＮ  １４０ａからの第２のＥ−ＵＴＲＡＮ  １４０ｂへの（逆もまた同様）利用可能な資源のインテリジェントな割り当て、転移、管理、調整又はリースを行うように構成することができる。
【００７９】
例えば、ＤＰＣ  １４６は、動的スペクトルアービトラージ動作の一部として、Ｅ−ＵＴＲＡＮ  １４０ａ（すなわち、貸主ネットワーク）から第２のＥ−ＵＴＲＡＮ  １４０ｂ（すなわち、借主ネットワーク）へのスペクトル資源の割り当てを調整するように構成することができる。そのような動作は、第１のＥ−ＵＴＲＡＮ  １４０ａの割り当てられたスペクトル資源を使用できるように、通信リンク１４３を介して第２のＥ−ＵＴＲＡＮ  １４０ｂのｅＮｏｄｅＢ  １１６ｂにワイヤレスで接続されたワイヤレスデバイス１０２を第１のＥ−ＵＴＲＡＮ  １４０ａのｅＮｏｄｅＢ  １１６ａに受け渡すことができるようにすることができる。このハンドオフ手順の一部として、ワイヤレスデバイス１０２は、第１のＥ−ＵＴＲＡＮ  １４０ａのｅＮｏｄｅＢ  １１６ａへの新しい接続１４１を確立し、元のｅＮｏｄｅＢ  １１６ｂへのワイヤレス接続１４３を終了し、まるで第２のＥ−ＵＴＲＡＮ  １４０ｂに含まれているかのように、第１のＥ−ＵＴＲＡＮ  １４０ａの割り当てられた資源を使用することができる。ＤＳＡ動作は、第１のＤＳＣ  １４４ａが、第１の資源／時間帯に対しては貸主ＤＳＣであり、第２の資源又は別の時間帯に対しては借主ＤＳＣであるように実行することができる。
【００８０】
一つの実施形態では、ＤＳＡ及び／又はハンドオフ動作は、ワイヤレスデバイス１０２が受け渡された後に元のネットワークへのデータ接続（又は元のネットワークによって管理されるデータ接続）を維持するように実行することができる。例えば、ＤＳＡ及び／又はハンドオフ動作は、ワイヤレスデバイス１０２が第１のＥ−ＵＴＲＡＮ  １４０ａのｅＮｏｄｅＢ  １１６ａに受け渡された後に第２のＥ−ＵＴＲＡＮ  １４０ｂのＰＧＷ  １２８へのデータフロー接続を維持するように実行することができる。
【００８１】
図２Ａは、一つの実施形態による、資源を割り当てる例示的なＤＳＡ方法２００を示す。方法２００は、ＤＰＣ  １４６コンポーネントの処理コア（例えば、サーバコンピューティングデバイスなど）によって実行することができる。
【００８２】
ブロック２０２では、ＤＰＣ  １４６は、第１の通信ネットワーク（例えば、Ｅ−ＵＴＲＡＮなど）の第１のＤＳＣ  １４４ａへの第１の通信リンクを確立することができる。ブロック２０４では、ＤＰＣ  １４６は、第２の通信ネットワークの第２のＤＳＣ  １４４ｂへの第２の通信リンクを確立することができる。ブロック２０６では、ＤＰＣ  １４６は、無線周波数（ＲＦ）スペクトル資源が第２の通信ネットワーク内での割り当てに対して利用可能であるかどうかを判断することができる。このことは、ＤＳＡＡＰプロトコルを使用して第２の通信リンクを介して第２の通信ネットワークのＤＳＣ  １４４と通信することによって実現することができ、第２の通信リンクは、有線又は無線通信リンクであり得る。ブロック２０８では、ＤＰＣ  １４６は、割り当てに対して利用可能なＲＦスペクトル資源の量を決定することができる。ブロック２１０では、ＤＰＣ  １４６は、第１の通信ネットワークのワイヤレスデバイス１０２によるアクセス及び使用のために第２の通信ネットワークの利用可能なＲＦ資源の全て又は一部分を割り当てるために様々な動作を実行することができる。
【００８３】
ブロック２１２では、ＤＰＣ  １４６は、割り当てられたＲＦスペクトル資源の使用を開始できることを第１の通信ネットワークに通知するため、通信メッセージを第１のＤＳＣ  １４４ａに送信することができる（例えば、ＤＳＡＡＰプロトコルを使用することによって）。ブロック２１４では、ＤＰＣ  １４６は、第１の通信ネットワークによる使用のために割り当てられたＲＦスペクトル資源の量を特定するトランザクションをトランザクションデータベースに記録することができる。
【００８４】
ブロック２１６では、ＤＰＣ  １４６は、割り当てられた資源が消費されたことを示す及び／又は割り当てられた資源のリリースを要求する情報を含む通信メッセージを第２のＤＳＣ  １４４ｂから受信することができる。ブロック２１８では、ＤＰＣ  １４６は、第１のネットワークによる割り当てられた資源のその使用を終了させるため、資源消費／リリースメッセージを第１のＤＳＣ  １４４ａに送信することができる。
【００８５】
図２Ｂは、資源を割り当てるためのＤＳＡ方法２５０の別の実施形態を実行する際のＤＰＣ  １４６と多数のＤＳＣ  １４４ａ〜ｄとの間の例示的な情報フローを示す。以下の説明では、ＤＳＡ方法２５０は、ＤＰＣ  １４６コンポーネントの観点から論じており、ＤＰＣ  １４６の処理コアによって実行することができる。しかし、ＤＰＣ  １４６コンポーネントの処理コア、ＤＳＣ  １４４ａ〜ｄの処理コア又はそれらの組合せによってＤＳＡ方法２５０を実行できることを理解すべきである。それに加えて、ＤＰＣ  １４６と他のコンポーネントとの間の全ての相互作用及び通信はＤＳＡＡＰコンポーネントによって及び／又はＤＳＡＡＰプロトコルを使用して実現できることを理解すべきである。従って、そのような全ての相互作用及び通信はＤＳＡＡＰプロトコルに含めることができる。
【００８６】
動作２５２では、ＤＰＣ  １４６コンポーネントの処理コアは、第１のネットワーク（例えば、Ｅ−ＵＴＲＡＮなど）の第１のＤＳＣ  １４４ａコンポーネントから「資源要求」通信メッセージを受信することができる。本出願で論じられる「資源要求」通信メッセージ及び他の全ての通信メッセージはＤＳＡＡＰメッセージであり得ることを理解すべきである。
【００８７】
「資源要求」通信メッセージは、第１のネットワークが他のネットワークからの資源の購入、リース、アクセス及び／又は使用に関心を示していることをＤＰＣ  １４６に通知するのに適した情報を含み得る。また、「資源要求」通信メッセージは、第１のネットワークによって要求された資源（例えば、ＲＦスペクトル資源など）のタイプ及び／又は量、要求された資源が割り当てられるワイヤレスデバイス１０２のタイプ及び能力、ならびに、他の同様の情報を特定するのに適した情報も含み得る。
【００８８】
動作２５４、２５６及び２５８では、ＤＰＣ  １４６は、「資源問い合わせ」通信メッセージを生成し、第２のネットワークの第２のＤＳＣ  １４４ｂコンポーネント、第３のネットワークの第３のＤＳＣ  １４４ｃコンポーネント及び第４のネットワークの第４のＤＳＣ  １４４ｄコンポーネントの各々にそれぞれ送信することができる。ＤＰＣ  １４６は、様々なコンポーネント、デバイス及び資源の要件、基準及び情報を含む「資源問い合わせ」通信メッセージを生成するように構成することができる。例えば、ＤＰＣ  １４６は、資源が割り当てられる予定の第１のネットワーク（及び他のネットワーク）のユーザワイヤレスデバイス１０２のタイプ、能力及び地理的基準を特定する情報を含む「資源問い合わせ」通信メッセージを生成することができる。地理的基準は、資源が割り当てられる予定のユーザワイヤレスデバイス１０２の地理的場所、地理的多角形及び／又はライセンスエリアを含み得る。
【００８９】
動作２６０及び２６２では、ＤＰＣ  １４６は、第２及び第３のＤＳＣ  １４４ｂ、１４４ｃから「資源問い合わせに対する応答」通信メッセージを受信することができる。これらの「資源問い合わせに対する応答」通信メッセージは、資源問い合わせメッセージに含まれる要件／基準に準拠する余分な資源の利用可能性を特定する情報を含み得る。動作２６４では、ＤＰＣ  １４６は、第４のＤＳＣ  １４４ｄから別の「資源問い合わせに対する応答」通信メッセージを受信することができる。この「資源問い合わせに対する応答」通信メッセージは、第４のネットワークが要求された要件／基準を満たす資源を含まないことを示す情報を含み得る。
【００９０】
一つの実施形態では、動作２６０〜２６４の一部として、ＤＰＣ  １４６は、割り当てに対して利用可能な資源を有するものとして第２及び第３のネットワークを特定するため、ならびに／あるいは、そのような資源を含まないものとして第４のネットワークを特定するため、データベース記録を更新することができる。
【００９１】
動作２６６では、ＤＰＣ  １４６は、「資源の利用可能性」通信メッセージを生成し、第１のネットワークの第１のＤＳＣ  １４４ａを含む多数のネットワークの多数のＤＳＣに送信することができる。ＤＰＣ  １４６は、資源が割り当てに対して利用可能であることをネットワークに通知するのに適した情報を含む「資源の利用可能性」通信メッセージを生成するように構成することができる。一つの実施形態では、ＤＰＣ  １４６は、オークションを介して資源が割り当てに対して利用可能であること及び／又はオークションに対するオークション開始時刻をネットワークに通知するのに適した情報を含む通信信号を放送することによって、資源が割り当てに対して利用可能であることをネットワークに通知するように構成することができる。
【００９２】
動作２６８では、ＤＰＣ  １４６は、第１のＤＳＣ  １４４ａから「資源確保要求」通信メッセージを受信することができる。受信された「資源確保要求」通信メッセージは、第１のネットワークが利用可能な資源の少なくとも一部分に対するオークション及び／又は入札に参加するつもりであることをＤＰＣ  １４６に通知するのに適した情報を含み得る。
【００９３】
動作２７０及び２７２では、ＤＰＣ  １４６は、第２及び第３のＤＳＣ  １４４ｂ、１４４ｃにそれぞれ「資源確保要求」通信メッセージを送信することができる。「資源確保要求」通信メッセージは、他のネットワークによる割り当て及び使用に対して利用可能な資源の全て又は一部分を第２及び第３のＤＳＣ  １４４ｂ、１４４ｃに確保させるのに適した情報を含み得る。
【００９４】
動作２７４及び２７６では、ＤＰＣ  １４６は、第２及び第３のＤＳＣ  １４４ｂ、１４４ｃの各々から「資源確保に対する応答」通信メッセージを受信することができる。「資源確保に対する応答」メッセージは、確保された要求資源について及び／又は確保された資源の特定に適した情報についてＤＰＣ  １４６に通知するのに適した情報を含み得る。
【００９５】
任意選択により、動作ブロック２７８では、ＤＰＣ  １４６は、他のネットワーク（例えば、第１のネットワーク）のワイヤレスデバイス１０２による割り当て及び使用のために確保された資源をプールすることができる。例えば、ＤＰＣ  １４６は、第２のネットワークで確保されたスペクトル群を第３のネットワークで確保されたスペクトル群と組み合わせることができる。別の例として、ＤＰＣ  １４６は、第２のネットワークで確保されたスペクトル群の第１及び第４のチャネルに利用可能な資源をプールすることができる。
【００９６】
動作２８０では、ＤＰＣ  １４６は、第１のネットワークの第１のＤＳＣ  １４４ａを含む多数のネットワークから「資源入札」通信メッセージを受信することができる。各「資源入札」通信メッセージは、資源のアクセス、使用、リース及び／又は購入に対する入札又は申し出、ならびに、他の関連入札情報（例えば、価格、要求された割り当て／アクセス方法など）を含み得る。動作２８０の一部として、ＤＰＣ  １４６は、受信された資源入札がＤＳＡシステムのポリシ及び規則ならびに／あるいは割り当てのための資源を申し出るネットワークによって規定された要件（例えば、最低希望価格を満たすなど）に準拠するかどうかを判断することができる。
【００９７】
動作２８２では、ＤＰＣ  １４６は、第１のネットワークから受信された資源入札がＤＳＡシステムのポリシ／規則及び資源を申し出るネットワークによって規定された要件（例えば、第２のネットワークによって指定された最低金額以上の、利用可能な資源のプールの資源の全て又は一部分の使用に対する金額を申し出る）に準拠するという判断に応答して、第１のネットワークからの入札／申し出を受諾することができる。また、動作２８２では、ＤＰＣ  １４６は、「入札受諾」通信メッセージを生成し、第１のＤＳＣ  １４４ａに送信することもできる。
【００９８】
動作２８４では、ＤＰＣ  １４６は、「資源割り当て要求」通信メッセージを第２のＤＳＣ  １４４ｂに送信することによって、第１のネットワークのワイヤレスデバイス１０２によるアクセス及び使用のために第２のネットワークの資源を割り当てることができる。すなわち、動作２８４では、ＤＰＣは、第１のＤＳＣ  １４４ａによって落札された資源の一部分（例えば、利用可能な資源のプールの）が第２のネットワークを介して完全に利用可能であると判断し、それに応答して、資源割り当て要求メッセージを第２のネットワークにのみ送信することができる。
【００９９】
動作２８６では、ＤＰＣ  １４６は、第２のＤＳＣ  １４４ｂから「資源割り当て済み」通信メッセージを受信することができる。動作２８８では、ＤＰＣ  １４６は、そのワイヤレスデバイス１０２によるアクセス及び使用のために資源が割り当てられたことならびに／あるいは割り当てられた資源の使用を開始できることを第１のネットワークに通知するため、「資源割り当て済み」通信メッセージを第１のＤＳＣ  １４４ａに送信することができる。動作ブロック２９０では、ＤＰＣ  １４６は、第１のネットワークによるアクセス及び使用のために割り当てられたものとしてこれらの資源を特定するトランザクションをトランザクションデータベースに記録することができる。
【０１００】
動作２９２では、ＤＰＣ  １４６は、割り当てられた資源が消費されたことを示す情報及び／又は割り当てられた資源のリリースを要求するのに適した情報を含む「資源のリリース」通信メッセージを第２のＤＳＣ  １４４ｂから受信することができる。動作２９４では、ＤＰＣ  １４６は、割り当てられた資源のその使用を第１のネットワークに終了させるため、資源消費済み／リリースメッセージを第１のＤＳＣ  １４４ａに送信することができる。
【０１０１】
図３〜７は、ＤＰＣ  １４６コンポーネント、２つのＤＳＣ  １４４ａ、１４４ｂコンポーネント及びワイヤレスデバイス１０２を含む通信システムにおける資源の割り当て及びアクセスを行うためのＤＳＡ方法３００の一つの実施形態を示す。全て又は一定の部分のＤＳＡ方法３００は、ＤＰＣ  １４６、ＤＳＣ  １４４ａ〜ｂ及び／又はワイヤレスデバイス１０２の処理コアによって実行するあことができる。様々な実施形態では、コンポーネント１４６、１４４ａ、１４４ｂ及び１０２間の相互作用及び通信の全てのいずれかは、ＤＳＡＡＰコンポーネントによって及び／又はＤＳＡＡＰプロトコルを使用して実現又は促進することができる。従って、そのような全ての相互作用及び通信は、ＤＳＡＡＰプロトコルに含めることができる。
【０１０２】
図３を参照すると、ブロック３０２では、第１のネットワークの第１のＤＳＣ  １４４ａは、第１のネットワークが利用可能な全スペクトル資源との比較を行い、ユーザトラフィック（例えば、通話及びデータトラフィックなど）をモニタすることができる。ブロック３０４では、第１のＤＳＣ  １４４ａは、そのモニタリングの結果に基づいて資源状態レポートを生成し、資源状態レポートをメモリに記録／格納し、資源状態レポート通信メッセージを介して資源状態レポートをＤＰＣ  １４６に送信することができる。判断ブロック３０６では、第１のＤＳＣ  １４４ａは、第１のネットワークの既存のワイヤレスデバイス１０２に適切なサービスを提供するため、受信された資源状態レポートに基づいて、追加の資源が必要かどうか（及び／又は近い将来に追加の資源が必要になる確率が高いかどうか）を判断することができる。追加の資源が必要であるという判断（すなわち、判断ブロック３０６＝「はい」）に応答して、ブロック３０８では、第１のＤＳＣ  １４４ａは、「資源要求」通信メッセージをＤＰＣ  １４６に送信することができる。追加の資源が必要でないという判断（すなわち、判断ブロック３０６＝「いいえ」）に応答して、ブロック３０２では、第１のＤＳＣ  １４４ａは、ユーザトラフィックのモニタリングを続行すること及び／又は他のＤＳＣ動作を実行することができる。
【０１０３】
ブロック３１０では、第２のネットワークの第２のＤＳＣ  １４４ｂは、第２のネットワークが利用可能な全スペクトル資源との比較を行い、ユーザトラフィックをモニタすること、資源状態レポートを生成すること及び／又は本出願で論じられるＤＳＣ動作のいずれかもしくは全てを実行することができる。判断ブロック３１２では、第２のＤＳＣ  １４４ｂは、第２のネットワークに余分な量の利用可能な資源があるかどうかを判断することができる。第２のネットワークに余分な利用可能な資源がないという判断（すなわち、判断ブロック３１２＝「いいえ」）に応答して、ブロック３１０では、第２のＤＳＣ  １４４ｂは、ユーザトラフィックのモニタリングを続行すること及び／又は他のＤＳＣ動作を実行することができる。
【０１０４】
第２のネットワークに余分な利用可能な資源があるという判断（すなわち、判断ブロック３１２＝「はい」）に応答して、ブロック３１４では、第２のＤＳＣ  １４４ｂは、他のネットワーク（例えば、第１のネットワークなど）によるアクセス及び使用のために全て又は一定の部分のその余分な資源のマーク付け、指定又は割り当てを行うことができる。ブロック３１６では、第２のＤＳＣ  １４４ｂは、資源割り当てレポートを生成し、生成された資源割り当てレポートをＤＰＣ  １４６に送信することができる（例えば、資源通信メッセージを介して）。ＤＳＣ  １４４ｂは、割り当てに対して利用可能な及び／又は第２のネットワークによるマーク付け、指定もしくは割り当てが行われた資源（又は一定の部分もしくは一定の量の資源）を特定する情報を含む資源割り当てレポートを生成するように構成することができる。
【０１０５】
ブロック３２０では、ＤＰＣ  １４６は、第１及び第２のネットワークの第１及び第２のＤＳＣ  １４４ａ、１４４ｂを含む多くの異なるネットワークのＤＳＣ  １４４から様々な資源状態及び割り当てレポートを受信することができる。これらのレポートは、利用可能な全スペクトル資源に対する検出されたユーザトラフィックの比率、ネットワークによって必要とされる資源の量、ネットワークでの割り当てに対して利用可能な資源の量、割り当てられた資源を使用するワイヤレスデバイス１０２のタイプ及び能力、ワイヤレスデバイス１０２が割り当てられた資源にアクセスする前に満たさなければならないシステム要件、資源のアクセス及び使用に関するネットワーク規則及びポリシ、ならびに、他の同様の情報など、ネットワーク及びそれらのコンポーネントの様々な特徴、基準、要件及び条件を特定する情報を含み得る。
【０１０６】
ブロック３２２では、ＤＰＣ  １４６は、受信レポート（例えば、資源状態レポート、資源割り当てレポートなど）をメモリ（例えば、不揮発性メモリ）に格納することができる。ブロック３２４では、ＤＰＣ  １４６は、第１のネットワークの第１のＤＳＣ  １４４ａを含む異なるネットワークのＤＳＣ  １４４から資源要求を受信することができる。ブロック３２６では、ＤＰＣ  １４６は、受信された／格納された情報（例えば、資源要求、資源割り当てレポート、資源状態レポートなどで受信された情報）を使用して、第１のネットワークが追加の資源をリースするか又は購入することができる最適な／最良の利用可能なネットワークを特定及び選択することができる。図３に示される例では、ＤＰＣ  １４６は、第１のネットワークに資源を提供する最適なネットワークとして第２のネットワークを特定及び選択している。
【０１０７】
ブロック３２８では、ＤＰＣ  １４６は、資源問い合わせ通信メッセージを第２のＤＳＣ  １１４４ｂに送信することができる。ブロック３３０では、第２のＤＳＣ  １１４４ｂは、資源問い合わせ通信メッセージを受信することができる。ブロック３３２では、第２のＤＳＣ  １１４４ｂは、第２のネットワークによるマーク付け、指定又は割り当てが行われた余分な資源の利用可能性、金額及び／又は量を決定することができる。ブロック３３４では、第２のＤＳＣ  １１４４ｂは、「資源問い合わせに対する応答」通信メッセージを生成し、ＤＰＣ  １４６に送信することができる。第２のＤＳＣ  １１４４ｂは、他のネットワーク（例えば、第１のネットワーク）によるアクセス及び使用のためにマーク付け、指定又は割り当てが行われた資源の利用可能性及び量の特定における使用に適した情報を含む資源問い合わせに対する応答を生成することができる。ブロック３３６では、ＤＰＣ  １４６は、第２のＤＳＣ  １１４４ｂから「資源問い合わせに対する応答」通信メッセージを受信し、それに応答して、図４に示される判断ブロック４００の動作を実行することができる。
【０１０８】
図４を参照すると、判断ブロック４００では、ＤＰＣ  １４６は、第２のネットワークの第２のＤＳＣ  １４４ｂから受信されたデータ（例えば、資源問い合わせに対する応答メッセージ）に基づいて資源が利用可能であるかどうかを判断することができる。例えば、ＤＰＣ  １４６は、確保される前に資源の全て又は一部分が他の入札者により購入されたか又は落札されたという判断に応答して、特定された資源が利用可能ではないと判断することができる。
【０１０９】
資源が利用可能ではないという判断（すなわち、判断ブロック４００＝「いいえ」）に応答して、ブロック４０２では、ＤＰＣ  １４６は、「資源利用不可能」通信メッセージを第１のネットワークの第１のＤＳＣ  １４４ａに送信することができる。ブロック４０４では、第１のＤＳＣ  １４４ａは、「資源利用不可能」通信メッセージを受信することができる。ブロック４０６では、第１のＤＳＣ  １４４ａは、他の利用可能な資源を探索すること（例えば、ＤＰＣ  １４６を介して）、異なるネットワークからの資源を要求すること、異なる資源を要求すること、資源を解放するためにユーザとの接続もしくは通信セッションを終了すること、又は、第１のネットワークのネットワークトラフィック及び混雑を管理するために他の同様の動作を実行することができる。
【０１１０】
資源が利用可能であるという判断（すなわち、判断ブロック４００＝「はい」）に応答して、ブロック４０８では、ＤＰＣ  １４６は、「資源利用可能」通信メッセージを第１のＤＳＣ  １４４ａに送信することができる。資源利用可能メッセージは、第１のネットワークのワイヤレスデバイス１０２によって使用することができる第２のネットワークの資源の品質及び量を決定するために第１のＤＳＣ  １４４ａによって使用することができる情報を含み得る。
【０１１１】
ブロック４１０では、第１のＤＳＣ  １４４ａは、ＤＰＣ  １４６から送信された資源利用可能通信メッセージを受信することができる。ブロック４１２では、第１のＤＳＣ  １４４ａは、第１のネットワークが必要とする及び／又は取得を試みる資源の金額／量を決定し、この及び他の資源情報を「資源要求」通信メッセージでＤＰＣ  １４６に送信することができる。
【０１１２】
ブロック４１４では、ＤＰＣ  １４６は、第１のＤＳＣ  １４４ａから「資源要求」メッセージを受信することができる。ブロック４１６では、ＤＰＣ  １４６は、受信されたれたメッセージに含まれる情報を使用して、「資源確保要求」通信メッセージを生成し、第２のネットワークの第２のＤＳＣ  １４４ｂに送信することができる。
【０１１３】
ブロック４１８では、第２のＤＳＣ  １４４ｂは、ＤＰＣ  １４６から「資源確保要求」メッセージを受信することができる。ブロック４２０では、第２のＤＳＣ  １４４ｂは、受信された「資源確保要求」メッセージに含まれる情報を使用して、他のネットワークのコンポーネントによるアクセス及び使用のために割り当てられた資源の要求量を確保することができる。ブロック４２２では、第２のＤＳＣ  １４４ｂは、「資源確保済み」通信メッセージをＤＰＣ  １４６に送信して、資源の要求量が確保されたことを確認すること及び／又は確保された資源を特定することができる。
【０１１４】
ブロック４２４では、ＤＰＣ  １４６は、第２のＤＳＣ  １４４ｂから「資源確保済み」通信メッセージを受信することができる。ブロック４２６では、ＤＰＣ  １４６は、オークションのための確保された資源を提供すること及び／又は確保された資源に対する資源入札の受諾を開始することができる。
【０１１５】
図５は、ＤＰＣ  １４６が、オークションのための確保された資源を提供した後及び／又は確保された資源に対する資源入札の受諾を開始した後（例えば、図４に示されるブロック４２６の動作を実行した後）に実行することができるＤＳＡ方法３００の入札手順を示す。
【０１１６】
図５を参照すると、ブロック５００では、第１のネットワークの第１のＤＳＣ  １４４ａは、ＤＰＣ  １４６に資源入札を送信することによって（例えば、通信メッセージを介して）、第２のネットワークの確保された資源へのアクセスについて交渉することができる。ブロック５０２では、ＤＰＣ  １４６は、第１のＤＳＣ  １４４ａから資源入札を受信することができる。
【０１１７】
判断ブロック５０４では、ＤＰＣ  １４６は、受信された資源入札を受諾すべきかどうかを判断することができ、このことは、資源入札がＤＳＡシステムのポリシ及び規則ならびに第２のネットワークの要件（例えば、最低金額を超えるなど）に準拠するかどうかを判断することによって実現することができる。第１のＤＳＣ  １４４ａから受信された資源入札を受諾すべきであるという判断（すなわち、判断ブロック５０４＝「はい」）に応答して、ブロック５０６では、ＤＰＣ  １４６は、「入札受諾」通信メッセージを第１のＤＳＣ  １４４ａに送信することができる。ブロック５０８では、第１のＤＳＣ  １４４ａは、「入札受諾」メッセージを受信し、資源アクセス指示の受信を待つことができる。ブロック５１０では、ＤＰＣ  １４６は、「資源割り当て」通信メッセージを第２のネットワークの第２のＤＳＣ  １４４ｂに送信することができる。
【０１１８】
ブロック５１２では、第２のＤＳＣ  １４４ｂは、ＤＰＣ  １４６から「資源割り当て」通信メッセージを受信することができる。ブロック５１４では、第２のＤＳＣ  １４４ｂは、受信された「資源割り当て」メッセージに含まれる情報を使用して、第１のネットワークのコンポーネントによるアクセス及び使用のために確保された全て又は一定の部分の資源を割り当てることができる。ブロック５１６では、第２のＤＳＣ  １４４ｂは、割り当てられた資源にアクセスするためにワイヤレスデバイス１０２（すなわち、第１のネットワークの）によって使用することができる情報（例えば、アクセスパラメータなど）を含む「資源アクセス」通信メッセージを生成し、「資源アクセス」メッセージをＤＰＣ  １４６に送信することができる。ブロック５１８では、第２のＤＳＣ  １４４ｂは、音声又はデータ呼び出しを構成又は準備することによってなど、第１のネットワークのワイヤレスデバイス１０２への通信セッション／リンクの確立に備えるために様々な動作を実行することができる。
【０１１９】
ブロック５２２では、ＤＰＣ  １４６は、第２のＤＳＣ  １４４ｂから「資源アクセス」通信メッセージを受信し、資源アクセスメッセージを第１のＤＳＣ  １４４ａに中継することができる。ブロック５２４では、第１のＤＳＣ  １４４ａは、ＤＰＣ  １４６から「資源アクセス」メッセージを受信することができる。受信された「資源アクセス」メッセージは、第２のネットワークに割り当てられた資源にアクセスするためにワイヤレスデバイス１０２によって使用することができるアクセスパラメータを含み得る。ブロック５２６では、第１のＤＳＣ  １４４ａは、第１のネットワークとの通信セッションを有するワイヤレスデバイス１０２及び／又は他のネットワークへの移動のために第１のネットワークが指定／マーク付けしたワイヤレスデバイス１０２にアクセスパラメータを送信することができる。
【０１２０】
ブロック５２８では、ワイヤレスデバイス１０２は、第１のＤＳＣ  １４４ａから第２のネットワークのアクセスパラメータを受信することができる。ブロック５３０及び５２０では、ワイヤレスデバイス１０２及び／又は第２のＤＳＣ  １４２ｂは、ワイヤレスデバイス１０２と第２のネットワークとの間の通信セッション／リンクを確立するために様々な動作を実行することができる。次いで、第２のＤＳＣ  １４４ｂは、図７に示されるブロック７００の動作を実行することができ、ブロック７００の動作については以下でさらに論じる。
【０１２１】
上記で言及されるように、判断ブロック５０４では、ＤＰＣ  １４６は、第１のＤＳＣ  １４４ａから受信された資源入札を受諾すべきかどうかを判断することができる。第１のＤＳＣ  １４４ａから受信された資源入札を受諾すべきではないという判断（すなわち、判断ブロック５０４＝「いいえ」）に応答して、ＤＰＣ  １４６は、図６に示されるブロック６００の動作を実行することができる。
【０１２２】
図６を参照すると、ブロック６００では、ＤＰＣ  １４６は、「入札拒否」通信メッセージを第１のＤＳＣ  １４４ａに送信することができる。ブロック６０２では、第１のＤＳＣ  １４４ａは、ＤＰＣ  １４６から、「入札拒否」メッセージを受信することができる。判断ブロック６０４では、第１のＤＳＣ  １４４ａは、第１のネットワークが資源に対する再入札を行う／行うべきかどうかを判断することができる。第１のネットワークが資源に対する再入札を行う／行うべきであるという判断（すなわち、判断ブロック６０４＝「はい」）に応答して、ブロック６０６では、第１のＤＳＣ  １４４ａは、新しい資源入札をＤＰＣ  １４６に送信することができる（例えば、資源入札通信メッセージで）。
【０１２３】
ブロック６０８では、ＤＰＣ  １４６は、第１のＤＳＣ  １４４ａから新しい資源入札（又は再入札）を受信することができる。判断ブロック６１０では、ＤＰＣ  １４６は、新しい資源入札がＤＳＡシステムのポリシ及び規則ならびに第２のネットワークの要件に準拠するかどうかを判断することによって、新しい資源入札を受諾するかどうかを判断することができる。新しい資源入札を受諾すべきであるという判断（すなわち、判断ブロック６１０＝「はい」）に応答して、ＤＰＣ  １４６は、図５に示されるブロック５０６の動作を実行することができる。新しい資源入札を受諾すべきではないという判断（すなわち、判断ブロック６１０＝「いいえ」）に応答して、ＤＰＣ  １４６は、ブロック６００の動作を実行することができる。
【０１２４】
第１のネットワークが資源に対する再入札を行うべきであるという判断（すなわち、判断ブロック６０４＝「いいえ」）に応答して、ブロック６１２では、第１のＤＳＣ  １４４ａは、「資源要求取消」通信メッセージをＤＰＣ  １４６に送信することができる。ブロック６１４では、ＤＰＣ  １４６は、第１のＤＳＣ  １４４ａから「資源要求取消」メッセージを受信することができる。ブロック６１６では、ＤＰＣ  １４６は、「資源のリリース」通信メッセージを第２のＤＳＣ  １４４ｂに送信することができる。
【０１２５】
ブロック６１８では、第２のＤＳＣ  １４４ｂは、ＤＰＣ  １４６から「資源のリリース」メッセージを受信することができる。ブロック６２０では、第２のＤＳＣ  １４４ｂは、他のネットワークが資源を使用できるように、確保された資源をリリースすることができる。次いで、第２のＤＳＣ  １４４ｂは、割り当てられた資源の状態をＤＰＣ  １４６に報告することができ、このことは、図３に示されて上記で論じられるブロック３１６の動作を実行することによって実現することができる。
【０１２６】
図７は、第２のネットワークが第１のネットワークの二次ユーザワイヤレスデバイス１０２へのアクセスを提供した後（すなわち、図５に示されるブロック５２０の動作を実行した後）に実行することができるＤＳＡ方法３００の清算手順を示す。
【０１２７】
ブロック７００では、第２のＤＳＣ  １４４ｂは、第１のネットワークによる割り当てられた資源の使用に関連するインボイス及び支払い指示をＤＰＣ  １４６に送信することができる。ブロック７０４では、ＤＰＣ  １４６は、受信されたインボイス及び支払い指示を第１のＤＳＣ  １４４ａに中継することができる。ブロック７０６では、第１のＤＳＣ  １４４ａは、インボイス及び支払い指示を受信し、ブロック７１８では、第２のネットワークから課された料金を清算することができる。
【０１２８】
任意選択により又は代替として、ブロック７０８では、第２のＤＳＣ  １４４ｂは、使用パラメータ及び支払い指示をＤＰＣ  １４６に送信することができる。ブロック７１０では、ＤＰＣ  １４６は、第２のＤＳＣ  １４４ｂから使用パラメータ及び支払い指示を受信することができる。ブロック７１２では、ＤＰＣ  １４６は、資源のアクセス及び使用に対するインボイスを作成することができる。ブロック７１４では、ＤＰＣ  １４６は、第１のネットワークの第１のＤＳＣ  １４４ａにインボイスを送信することができる。ブロック７１６では、第１のＤＳＣ  １４４ａは、インボイス及び支払い指示を受信し、ブロック７１８では、第２のネットワークから課された料金を清算するために様々な動作を実行することができる。
【０１２９】
様々な実施形態では、ＤＰＣ  １４６及びＤＳＣ  １４４コンポーネントは、インタフェースを介して通信するように構成することができ、インタフェースは、Ｘｅ及び／又はＸｄ基準点上で定義される動的スペクトルアービトラージアプリケーションパート（ＤＳＡＡＰ）プロトコル／モジュール／コンポーネントに実装するか又はそれを介して提供することができる。ＤＳＡＡＰは、ＤＳＡシステム及び電気通信ネットワークの効率及び速度を向上させるため、ＤＰＣ  １４６とＤＳＣ  １４４との間の通信を可能にする、促進する、サポートする又は増大することができる。様々な実施形態では、全て又は一定の部分のＤＳＡＡＰモジュール／コンポーネントは、ＤＰＣ  １４６コンポーネント、ＤＳＣ  １４４コンポーネント、ＤＰＣ  １４６及びＤＳＣ  １４４コンポーネントとは無関係のコンポーネント、又は、それらの任意の組合せに含めることができる。ＤＳＡＡＰモジュール／コンポーネントは、これらの及び他のＤＳＡコンポーネントがＤＳＡＡＰプロトコルを使用して情報を伝達できるようにすることができる。
【０１３０】
例えば、ＤＳＡＡＰは、ＤＰＣ  １４６及びＤＳＣ  １４４コンポーネントが、特定の情報を伝達できるように、ならびに／あるいは、ＤＳＣ登録機能、資源利用可能性広告機能、資源の入札及び割り当て機能、借主ユーザから貸主ネットワークへのハンドイン機能、貸主ネットワークからのバックオフ機能、エラー処理機能（例えば、機能特有のエラーメッセージが定義されない一般エラー状況の報告など）、ＤＳＣ登録解除機能、エラー表示機能、ＤＳＣ落札成功及び落札失敗表示機能、ＤＳＣ資源割り当て撤回機能を含む様々な機能を共に提供する動作を実行できるようにすることができる。様々な実施形態では、これらの機能は、図８Ａ〜１７Ｂを参照して以下で論じられるＤＳＡＡＰ方法のうちの１つ又は組合せを実行するようにＤＰＣ  １４６及び／又はＤＳＣ  １４４コンポーネントを構成することによって提供、実装又は実現することができる。ＤＳＡＡＰプロトコルの使用及びＤＳＡＡＰ方法の実行は、１つ又は複数のＤＳＡＡＰメッセージを介する通信を含み得る。
【０１３１】
様々な実施形態では、ＤＳＣ  １４４とＤＰＣ  １４６との間の情報の伝達に使用されるＤＳＡＡＰメッセージは、ＤＳＣ登録要求メッセージ、ＤＳＣ登録受諾メッセージ、ＤＳＣ登録拒否メッセージ、ＤＳＣ登録解除メッセージ、ＤＳＣ資源登録要求メッセージ、ＤＳＣ資源登録受諾メッセージ、ＤＳＣ資源登録拒否メッセージ、利用可能な入札要求メッセージ、利用可能な入札応答メッセージ、利用可能な入札拒否メッセージ、ＤＳＣ入札要求メッセージ、ＤＳＣ入札受諾メッセージ、ＤＳＣ入札拒否メッセージ、ＤＳＣ高値での入札メッセージ、ＤＳＣ落札メッセージ、ＤＳＣ落札失敗メッセージ、ＤＳＣ入札取消メッセージ、ＤＳＣ買い要求メッセージ、ＤＳＣ買い受諾メッセージ、ＤＳＣを買い拒否メッセージ、ＤＳＣ資源割り当て済みメッセージ、ＤＳＣ資源撤回済みメッセージ及び／又はＤＳＣバックオフコマンドメッセージを含み得る。これらのメッセージの各々は、臨界情報、存在情報、範囲情報及び割り当てられた臨界情報を含み得るか又はそれらと関連付けることができる。これらのメッセージ及びそれらのコンテンツについては、以下でさらに詳細に論じる。
【０１３２】
様々な実施形態では、ＤＳＡＡＰ方法は、第１の電気通信ネットワーク（例えば、借主ネットワーク）の第１のＤＳＣサーバと、第２の電気通信ネットワーク（例えば、貸主ネットワーク）の第２のＤＳＣサーバと、第１及び第２の電気通信ネットワーク外のＤＰＣサーバとを含むＤＳＡシステムで実行することができる。第１のＤＳＣは、第１の通信リンクを介してＤＰＣと結合された第１のＤＳＣプロセッサを含むことができ、第２のＤＳＣは、第２の通信リンクを介してＤＰＣと結合された第２のＤＳＣプロセッサを含み得る。第２のＤＳＣは、第３の通信リンクを介して第２の電気通信ネットワークのｅＮｏｄｅＢと結合することができる。第１及び第２の通信リンクは、Ｘｄインタフェース上で定義することができ、第３の通信リンクは、Ｘｅインタフェース上で定義される。
【０１３３】
図８Ａ〜８Ｃは、ＤＰＣ  １４６がＤＳＣ  １４４に様々なサービス（例えば、入札のために貸主ＤＳＣの１４４の資源を広告すること、借主ＤＳＣ  １４４が他のネットワークによって提供される資源に対する入札を行えるようにすることなど）を提供できるようにするため、ＤＳＣ  １４４  コンポーネントをＤＰＣ  １４６に登録するためのＤＳＡＡＰ登録方法８００の一つの実施形態を示す。図８Ａ〜８Ｃに示される例では、ＤＳＡＡＰ登録方法８００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。ＤＳＡＡＰ登録方法８００の動作は、ＸＥシグナリングトランスポート又は通信リンクが確立されたことをＤＳＣ  １４４又はＤＰＣ  １４６が検出した後又はその検出に応答して実行することができる。
【０１３４】
図８Ａ〜８Ｃに示される動作８０２では、ＤＳＣ  １４４は、ＤＳＣ登録要求メッセージを生成し、ＤＰＣ  １４６に送信することによって、ＤＳＡＡＰ登録方法８００を開始することができる。一つの実施形態では、ＤＳＣ  １４４は、ＤＰＣ  １４６からのサービスを必要とするという判断に応答して、ＤＳＣ登録要求メッセージを生成及び／又は送信するように構成することができる。例えば、ＤＳＣ  １４４は、その対応するネットワーク（すなわち、ＤＳＣによって表されるネットワーク）が他のネットワークに割り当てることができる余分な資源を含むという判断に応答して、ＤＳＣ登録要求メッセージを生成するように構成することができる。別の例として、ＤＳＣ  １４４は、現在の又は予想される将来のユーザトラフィック、ネットワーク混雑などを考慮してその既存のワイヤレスデバイス１０２に適切なサービスを提供するためにそのネットワークが追加の資源を必要とするという判断に応答して、ＤＳＣ登録要求メッセージを生成するように構成することができる。
【０１３５】
様々な実施形態では、ＤＳＣ  １４４は、メッセージタイプ情報要素（ＩＥ）、メッセージＩＤ  ＩＥ、ＤＳＣアイデンティティＩＥ、ＤＳＣ  インターネットプロトコル（ＩＰ）アドレスＩＥ、ＤＳＣタイプＩＥ、ＤＳＣ  ＰＬＭＮ−ＩＤ  ＩＥ、ＰＬＭＮタイプＩＥ及びＤＳＣ資源更新タイマＩＥのいずれか又は全てを含むＤＳＣ登録要求メッセージを生成するように構成することができる。ＤＳＣ  ＰＬＭＮ−ＩＤ  ＩＥは、ＤＳＣ  １４４と関連付けられるか又はＤＳＣ  １４４によって表されるネットワーク（例えば、Ｅ−ＵＴＲＡＮ）の特定使用に適したＰＬＭＮ  ＩＤを含み得る。ＰＬＭＮタイプＩＥは、ＤＳＣ  １４４によって表されるネットワークのタイプ（例えば、公安、商用など）の決定における使用に適した情報を含み得る。ＤＳＣ  ＩＰアドレスＩＥは、ＤＳＡＡＰのＸＥインタフェースの管理、維持又は提供に対する責任を有するＤＳＣ  １４４のＩＰアドレスを含み得る。
【０１３６】
図８Ａ及び８Ｂに示される動作ブロック８０４では、ＤＰＣ  １４６は、ＤＳＣ  １４４をＤＰＣ  １４６に登録するために様々な登録動作（すなわち、ＤＳＣの認証、メモリへのＤＳＣ識別子情報の格納など）を実行することができる。一つの実施形態では、これらの登録動作の一部として、ＤＰＣ  １４６は、重複ＤＳＣ登録要求メッセージの受信に応答して（すなわち、同じ一意ＤＳＣアイデンティティによって識別された既に登録されているＤＳＣに対して）など、既存の登録を新しい登録で上書き／オーバーライドすることができる。
【０１３７】
図８Ａに示される動作ブロック８０６では、ＤＰＣ  １４６は、登録動作が成功したと判断することができる。動作８０８では、ＤＰＣ  １４６は、ＤＳＣ  １４４の受諾及び登録を示すため、ＤＳＣ登録受諾メッセージを生成し、ＤＳＣ  １４４に送信することができる。様々な実施形態では、ＤＰＣ  １４６は、メッセージタイプ情報要素（ＩＥ）、メッセージＩＤ  ＩＥ、ＤＰＣ  ＩＤ  ＩＥ、ＸＥｈシグナリングトランスポートネットワーク層（ＴＮＬ）アドレスＩＥ及びトンネリング情報ＩＥのいずれか又は全てを含むＤＳＣ登録受諾メッセージを生成することができる。ＸＥｈシグナリングＴＮＬアドレスＩＥは、トランスポート層セッションの確立における使用に適したアドレス値を含み得る。トンネリング情報ＩＥは、異なるペイロードプロトコルをカプセル化するため、信頼できないもしくは未証明のネットワークを通じて安全な通信を確立するため、互換性がない配信ネットワーク上でペイロードを運ぶため、及び／又は、他の同様のトンネリング動作を実行するために使用することができる情報を含み得る。
【０１３８】
ＤＰＣ  １４６を介する／ＤＰＣ  １４６へのＸＥｈ接続性をサポートするため、動作ブロック８１０では、ＤＳＣ  １４４は、ＤＳＣ登録受諾メッセージのＸＥｈシグナリングＴＮＬアドレスＩＥに含まれるアドレス値を使用して、トランスポート層セッションを確立することができる。一つの実施形態では、ＤＳＣ  １４４は、ＤＳＣ登録受諾メッセージがＸＥｈシグナリングＴＮＬアドレス情報要素にアドレス値を含むという判断に応答して、トランスポート層セッションを確立するように構成することができる。一つの実施形態では、ＤＳＣ  １４４は、ＸＥｈシグナリングＴＮＬアドレス情報要素が存在しない、ヌルである、空である又は有効でないという判断に応答して、ＤＰＣ  １４６を介する／ＤＰＣ  １４６へのＸＥｈ接続性がサポートされない又は必要とされないと判断するように構成することができる。
【０１３９】
図８Ｂを参照すると、動作ブロック８１２では、ＤＰＣ  １４６は、動作８０４の一部として実行された登録動作が失敗したと判断することができる。ＤＰＣ  １４６は、ＤＳＣの認証又は許可の失敗、ネットワーク又はコンポーネントの過負荷、ＤＳＣパラメータの不一致を含む各種の状態／事象のいずれかの検出に応答して、登録が失敗したと判断することができる。動作８１４では、ＤＰＣ  １４６は、登録が失敗したこと及び／又はＤＰＣ  １４６がＤＳＣ  １４４を登録できないことをＤＳＣ  １４４に通知するため、ＤＳＣ登録拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、原因ＩＥ、臨界診断ＩＥ及びバックオフタイマＩＥのいずれか又は全てを含むＤＳＣ登録拒否メッセージを生成することができる。原因ＩＥは、失敗の具体的な理由（例えば、過負荷がかかっているなど）を特定するか又は失敗の理由が知られていないもしくは詳細不明であることを示すのに適した情報を含み得る。
【０１４０】
動作ブロック８１６では、ＤＳＣ  １４４は、受信された登録拒否メッセージに含まれる情報に基づいて、様々な登録失敗に対する応答動作を実行することができる。例えば、ＤＳＣ  １４４は、受信された登録拒否メッセージの原因ＩＥの値が「過負荷」に設定されたという判断に応答して、その同じＤＰＣ  １４６への登録に再度試みる前に、受信された登録拒否メッセージのバックオフタイマＩＥに示される時間の間待つことができる。
【０１４１】
図８Ｃを参照すると、動作ブロック８５２では、ＤＳＣ  １４４は、ＤＰＣ  １４６へのＤＳＣ登録要求メッセージの送信（例えば、動作８０２の一部として）に応答して、登録応答タイマを開始することができる。動作ブロック８５４では、ＤＳＣ  １４４は、ＤＳＣ  １４４がＤＳＣ登録応答メッセージを受信する前に登録応答タイマが切れたと判断することができる。動作８５６では、ＤＳＣ  １４４は、対応するＤＳＣ登録応答メッセージを受信する前にタイマが切れたという判断に応答して、ＤＳＣ登録要求メッセージをＤＰＣ  １４６に再送信することができる。動作ブロック８５８では、ＤＳＣ  １４４は、登録応答タイマをリスタート又はリセットすることができる。動作８６０では、ＤＰＣは、ＤＳＣ登録応答メッセージをＤＳＣ  １４４に送信することができる。動作ブロック８６２では、ＤＳＣ  １４４は、ＤＳＣ登録応答メッセージの受信に応答して、登録応答タイマを止めることができる。
【０１４２】
図９Ａ及び９Ｂは、ＤＰＣ  １４６が金融仲介プラットフォームを介して入札／割り当てのためにそれらの資源を格納、組織化及び／又は利用可能にすることができるようにするため、入札／買いに対して利用可能な資源を広告するためのＤＳＡＡＰ広告方法９００を示す。図９Ａ及び９Ｂに示される例では、ＤＳＡＡＰ広告方法９００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０１４３】
図９Ａ及び９Ｂに示される動作ブロック９０２では、ＤＳＣ  １４４は、そのＤＳＣ  １４４によってサービス提供されるセル内に、割り当てに対して利用可能な資源があると判断することができる。動作ブロック９０４では、ＤＳＣ  １４４は、ＤＳＣ資源登録要求メッセージを生成し、ＤＰＣ  １４６に送信することができる。様々な実施形態では、ＤＳＣ  １４４は、メッセージタイプ情報要素（ＩＥ）、メッセージＩＤ  ＩＥ、ＤＳＣアイデンティティＩＥ、ＤＳＣタイプＩＥ、ＰＬＭＮ−ＩＤリストＩＥ、資源利用可能性ＩＥ、資源利用可能性開始時刻ＩＥ、データ帯域幅ＩＥ、グリッドリストＩＥ、入札又は買いＩＥ、最小入札額ＩＥ、資源利用可能性終了時刻ＩＥ、時刻ＩＥ、継続時間ＩＥ、１秒当たりのメガビット（ＭＢＰＳ）ＩＥ及びセルアイデンティティＩＥのいずれか又は全てを含むＤＳＣ資源登録要求メッセージを生成することができる。
【０１４４】
ＤＳＣアイデンティティＩＥは、ＤＳＣ  １４４のアイデンティティを決定するためにＤＰＣ  １４６によって使用することができる情報を含み得る。例えば、ＤＳＣアイデンティティＩＥは、ＤＳＣプールＩＤ、ＤＳＣインスタンス情報、及び、ＤＳＣが管理しているか又は表しているネットワークのＰＬＭＮ  ＩＤを含み得る。ＤＳＣプールＩＤは、利用可能な資源のプールの一意の識別子であり、ならびに／あるいは、３ＧＰＰ  ＥＰＣアーキテクチャのＭＭＥプールＩＤ及びＭＭＥ  ＩＤと同じ又は同様であり得る。
【０１４５】
メッセージＩＤ  ＩＥは、ＤＳＣ  １４４から送信される特定のＤＳＣ資源登録要求メッセージのためのメッセージ識別子を含み得る。ＤＳＣ  １４４及びＤＰＣ  １４６は、シーケンス番号としてメッセージＩＤ  ＩＥを使用して、ＤＳＣ資源登録要求、ＤＳＣ資源登録受諾及び／又はＤＳＣ資源登録拒否メッセージを特定及び相関するように構成することができる。
【０１４６】
資源利用可能性ＩＥは、他のネットワークによる割り当て及び使用のために資源について広告するネットワークのＰＬＭＮ  ＩＤを決定する際のＤＰＣ  １４６による使用に適した情報を含み得る。ＤＰＣ  １４６は、複数のＤＳＣのため及び／又は複数の異なるネットワーク（すなわち、異なるＰＬＭＮ  ＩＤ）のための資源利用可能性ＩＥを受信、格納及び／又は維持するように構成することができる。従って、各資源利用可能性ＩＥは、資源について広告するネットワークのうちの１つ又は複数の特定に適した情報を含み得る。
【０１４７】
時刻ＩＥは、ＤＳＣ  １４４がＤＳＣ資源登録要求メッセージを送信した時刻を決定する際のＤＰＣ  １４６による使用に適した情報を含み得る。継続時間ＩＥは、入札又は買いのために資源を利用可能にすべき時間帯の決定における使用に適した情報を含み得る。
【０１４８】
データ帯域幅ＩＥは、任意選択の継続時間ＩＥで指定された継続時間に対して利用可能な帯域幅（例えば、単位：ＭＢＰＳ）の決定における使用に適した情報を含み得る。ＤＰＣ  １４６は、受信されたＤＳＣ資源登録要求メッセージに継続時間ＩＥが含まれていないという判断に応答して（又は継続時間ＩＥが有効値を含まないという判断に応答して）、ＭＢＰＳ  ＩＥで指定された帯域幅が落札者又は購入者によって消費されるまでその帯域幅を利用可能にすべきであると判断することができる。
【０１４９】
グリッドリストＩＥは、入札又は買いに対して利用可能にすべきネットワーク帯域幅の場所に対するグリッド識別子の決定における使用に適した情報を含み得る。セルアイデンティティＩＥは、ＤＳＣ資源登録要求メッセージで申し出の一部として入札又は買いのために提供された利用可能な資源を有する各グリッド内の個々のセル（グリッドＩＤ及びセルＩＤによって特定される）の決定における使用に適した情報を含み得る。最小入札額ＩＥは、米ドル（ＵＳＤ）などの額面又は貨幣の金額を含み得る。
【０１５０】
図９Ａに示される動作ブロック９０６では、ＤＰＣ  １４６は、入札に対してＤＳＣ  １４４の資源を受諾することができる。動作９０８では、ＤＰＣ  １４６は、資源が受諾されたことを認めるため、ＤＳＣ資源登録応答又はＤＳＣ資源登録受諾メッセージを生成し、ＤＳＣ  １４４に送信することができる。様々な実施形態では、ＤＰＣ  １４６は、メッセージタイプ情報要素（ＩＥ）、入札ＩＤ  ＩＥ及びメッセージＩＤ  ＩＥのいずれか又は全てを含むＤＳＣ資源登録メッセージを生成することができる。メッセージＩＤ  ＩＥは、受信されたＤＳＣ資源登録要求メッセージに含まれるものと同じメッセージ識別子値を含み得る。ＤＰＣ  １４６及び／又はＤＳＣは、メッセージＩＤ  ＩＥの値を使用して、ＤＳＣ資源登録要求及びＤＳＣ資源登録受諾メッセージを特定及び相関するように構成することができる。動作ブロック９１０では、ＤＰＣ  １４６は、金融仲介プラットフォームを介して入札又は買いのためにネットワーク資源を格納、組織化及び／又は利用可能にすることができる。
【０１５１】
図９Ｂに示される動作９１２では、ＤＰＣ  １４６は、ＤＳＣ資源登録要求メッセージを拒否すること及び／又は受信されたＤＳＣ資源登録要求メッセージで特定された資源を入札に対して拒否することができる。ＤＰＣ  １４６は、各種の理由で及び／又は各種の事象もしくは状態のいずれかの検出に応答して、メッセージ／資源を拒否することができる。例えば、ＤＰＣ  １４６は、ＤＰＣ  １４６がどのオペレータからの資源も受諾していない、受信メッセージで特定された特定のオペレータに対する資源を受諾していない、メッセージで特定された資源を受諾していないという判断、ＤＰＣに過負荷がかかっているという判断、入札に対して利用可能な資源を格納及びサービス提供するための十分なメモリがないという判断などに応答して、資源を拒否することができる。また、ＤＰＣ  １４６は、ＤＰＣ  １４６の管理者が、全てのネットワーク（例えば、全てのＰＬＭＮ  ＩＤ）から、ＤＳＣ資源登録要求メッセージに含まれる特定のＰＬＭＮ  ＩＤからのさらなる入札を無効にしたという判断などに応答して、資源利用可能メッセージを拒否することもできる。
【０１５２】
図９Ｂに示される動作９１４では、ＤＰＣ  １４６は、ＤＳＣ資源登録拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、原因ＩＥ及び臨界診断ＩＥのいずれか又は全てを含むＤＳＣ資源登録拒否メッセージを生成することができる。また、ＤＰＣ  １４６は、ＤＳＣ  １４４から受信されたＤＳＣ資源登録要求メッセージに含まれるメッセージ識別子と同じ値を含むメッセージＩＤ  ＩＥを含むＤＳＣ資源登録拒否メッセージを生成することもできる。ＤＰＣ  １４６及び／又はＤＳＣ  １４４は、メッセージＩＤ  ＩＥの値を使用して、ＤＳＣ資源登録要求及びＤＳＣ資源登録拒否メッセージを特定及び相関するように構成することができる。
【０１５３】
動作ブロック９１６では、ＤＳＣ  １４４は、受信されたＤＳＣ資源登録拒否メッセージに含まれる情報に基づいて、様々な資源登録失敗に対する応答動作を実行することができる。例えば、ＤＳＣ  １４４は、ＤＳＣ資源登録拒否メッセージに含まれる情報を使用して、ＤＰＣ  １４６への資源登録を再度試みるか、別のＤＰＣへの資源の登録を試みるか、異なる資源への登録を再度試みるか、又は、本出願で論じられる他のＤＳＣ動作のいずれかを実行するかを判断することができる。
【０１５４】
図１０Ａ及び１０Ｂは、一つの実施形態による、利用可能な資源のリストを伝達するためのＤＳＡＡＰ方法１０００を示す。ＤＳＡＡＰ方法１０００は、入札／買いに対して利用可能な資源入札又は資源について借主ネットワークに通知するために実行することができる。図１０Ａ及び１０Ｂに示される例では、ＤＳＡＡＰ方法１０００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。一つの実施形態では、借主ＤＳＣ  １４４は、そのＤＳＣ  １４４がＤＰＣ  １４６からの資源に対する入札又はリースもしくは購入要求を行う前に、利用可能な資源のリストを回収／受信するためにＤＳＡＡＰ方法１０００を実行するように構成することができる。
【０１５５】
図１０Ａ及び１０Ｂに示される動作１００２では、借主ＤＳＣ  １４４は、入札又は買いのために貸主ネットワークから割り当てに対して利用可能な資源入札に関する情報を要求するため、利用可能な入札要求メッセージを生成し、ＤＰＣ  １４６に送信することができる。様々な実施形態では、借主ＤＳＣ  １４４は、シーケンス番号情報要素（ＩＥ）、メッセージタイプＩＥ、１つ又は複数のＰＬＭＮ  ＩＤ  ＩＥを含むＰＬＭＮリストＩＥ、１つ又は複数のグリッドＩＤ  ＩＥを含むグリッドＩＤリストＩＥのいずれか又は全てを含む利用可能な入札要求メッセージを生成することができる。
【０１５６】
一つの実施形態では、借主ＤＳＣ  １４４は、利用可能な入札要求メッセージのＰＬＭＮリストＩＥのＰＬＭＮ  ＩＤ  ＩＥに含まれ得る所望のネットワークのＰＬＭＮ  ＩＤを含む利用可能な入札要求メッセージを生成することによって、特定のネットワークから特定の資源を要求するように構成することができる。
【０１５７】
一つの実施形態では、借主ＤＳＣ  １４４は、利用可能な入札要求メッセージのＰＬＭＮリストＩＥに入力しないことによってならびに／あるいはＰＬＭＮリストＩＥ及び／又はＰＬＭＮ  ＩＤ値を含まない利用可能な入札要求メッセージを生成することによって、利用可能ないかなるネットワークからも資源を要求するように構成することができる。
【０１５８】
一つの実施形態では、借主ＤＳＣ  １４４は、利用可能な入札要求メッセージのグリッドＩＤリストＩＥのグリッドＩＤ  ＩＥに含まれ得る所望のグリッドのグリッドＩＤを含む利用可能な入札要求メッセージを生成することによって、貸主ネットワーク内の特定のグリッドから資源を要求するように構成することができる。
【０１５９】
一つの実施形態では、借主ＤＳＣ  １４４は、生成された利用可能な入札要求メッセージのグリッドＩＤリストＩＥに入力しないことによってならびに／あるいはグリッドＩＤを含まない利用可能な入札要求メッセージを生成することによって、ＰＬＭＮ  ＩＤ  ＩＥグリッドの指定されたＰＬＭＮ  ＩＤ内のグリッドのいずれか又は全てから資源を要求するように構成することができる。
【０１６０】
図１０Ａ及び１０Ｂに示される動作ブロック１００４では、ＤＰＣ  １４６は、受信された利用可能な入札要求メッセージに含まれるＰＬＭＮ  ＩＤ及びグリッドＩＤが有効であるかどうかを判断することができる。ＰＬＭＮ  ＩＤ及びグリッドＩＤが間違っていれば、動作ブロック１００５では、ＤＰＣ  １４６は、エラー／間違った値の理由コードを決定することができる。動作ブロック１００６では、ＤＰＣ  １４６は、受信された利用可能な入札要求メッセージで特定された各グリッドに対して又は全ての利用可能なグリッドに対して（例えば、受信された利用可能な入札要求メッセージのグリッドＩＤリストＩＥが有効値を含まない時）利用可能な資源／入札があるかどうかを判断することができる。
【０１６１】
図１０Ａに示される動作１００８では、ＤＰＣ  １４６は、利用可能な入札応答メッセージを生成し、ＤＳＣ  １４４に送信することができる。ＤＰＣ  １４６は、メッセージタイプ情報要素（ＩＥ）、メッセージＩＤ  ＩＥ、ＤＳＣアイデンティティＩＥ、ＰＬＭＮ−ＩＤグリッドセル入札情報リストＩＥ、シーケンス番号ＩＥ、１つ又は複数のＰＬＭＮ  ＩＤ  ＩＥを含むＰＬＭＮリストＩＥ及びグリッドリストＩＥのいずれか又は全てを含む利用可能な入札応答メッセージを生成するように構成することができる。一つの実施形態では、ＰＬＭＮリストＩＥ及びグリッドリストＩＥは、ＰＬＭＮ−ＩＤグリッドセル入札情報リストＩＥに含めることができる。一つの実施形態では、グリッドリストＩＥは、１つ又は複数のセルＩＤ  ＩＥを含む１つ又は複数のセルＩＤリストＩＥを含み得る。
【０１６２】
様々な実施形態では、ＤＰＣ  １４６は、絶対無線周波数チャネル数（ＡＲＦＣＮ）ＩＥ、チャネル帯域幅ＩＥ、利用可能な全帯域幅を特定するためのメガビット又はメガバイトＩＥ、資源のピークデータレートを特定するためのＭＢＰＳ  ＩＥ、資源利用可能時間ＩＥ、資源有効時間ＩＥ、入札／買いＩＥ、入札／買い終了時刻ＩＥ、最小入札額ＩＥ及び買値ＩＥのいずれか又は全ても含む利用可能な入札応答メッセージを生成することができる。ＤＰＣ  １４６は、メッセージで特定された各ＰＭＬＮ、各資源、各グリッド及び／又は各セルに対するそのような情報を含む利用可能な入札応答メッセージを生成することができる。
【０１６３】
一つの実施形態では、ＤＰＣ  １４６は、オークションに対して利用可能な資源に対する入札があるという判断に応答して、ＰＬＭＮ  ＩＤのリスト、各ＰＬＭＮ内のグリッドＩＤのリスト及び各グリッド内の利用可能な資源／入札を含む利用可能な入札応答メッセージを生成するように構成することができる。
【０１６４】
一つの施形態では、ＤＰＣ  １４６は、関連ネットワーク／ＰＬＭＮ  ＩＤのためのそのＤＰＣ  １４６による、オークションに対して利用可能な資源／資源に対する入札がないという判断に応答して、メッセージタイプ及びシーケンス番号ＩＥ（又はこれらのＩＥの有効値）を含む利用可能な入札応答メッセージを生成するように構成することができる。一つの実施形態では、ＤＰＣ  １４６は、受信された利用可能な入札要求メッセージに含まれるシーケンス番号ＩＥと同じ値を有するシーケンス番号ＩＥを含む利用可能な入札応答メッセージを生成するように構成することができる。一つの実施形態では、ＤＳＣ  １４４は、これらの要求及び応答メッセージのシーケンス番号ＩＥを使用して、メッセージを相関させるように構成することができる。
【０１６５】
一つの実施形態では、ＤＰＣ  １４６は、ＰＬＭＮ  ＩＤを含むＰＬＭＮリストＩＥ及びグリッドＩＤリストＩＥを含む利用可能な入札応答メッセージを生成するように構成することができる。グリッドＩＤリストＩＥは、グリッド内のオークションに対して利用可能なセルのリストを含み得る。セルＩＤリストＩＥは、セルＩＤを含むことができ、各セルに対し、ＡＲＦＣＮ、チャネル帯域幅、利用可能な全帯域幅、許容ピークデータレート、資源が利用可能な及び資源の有効期限が切れる／終了する時刻（例えば、ＵＴＣ）、入札タイプオークションか又は買いタイプオークションか、最小入札額又は買値、入札終了時刻（例えば、ＵＴＣ）ならびに他の同様の情報を含み得る。
【０１６６】
動作ブロック１０１０では、ＤＳＣ  １４４は、利用可能な入札応答メッセージに含まれる情報を使用して、入札に対して利用可能な資源を特定すること、ＤＳＣ  １４４が利用可能な資源に対する入札を提出するかどうかを判断すること、ＤＳＣ  １４４が入札を提出する資源を決定すること、及び／又は、他の同様の動作を実行することができる。
【０１６７】
図１０Ｂを参照すると、動作１０１２では、ＤＰＣ  １４６は、利用可能な入札拒否メッセージを生成し、ＤＳＣ  １４４に送信することによって、借主ＤＳＣ  １４４から受信された利用可能な入札要求メッセージを拒否することができる。ＤＰＣ  １４６は、要求メッセージで供給されるＰＬＭＮ  ＩＤのうちの１つ又は複数が公知のネットワークのいずれかからのものではないという判断（例えば、動作１００４又は１００６の一部として）、要求メッセージで供給されるグリッドＩＤのうちの１つ又は複数が供給されたＰＬＭＮ  ＩＤに関して有効ではないという判断、ならびに／あるいは、関連グリッドで利用可能な資源／入札がないという判断に応答して、利用可能な入札要求メッセージを拒否するように構成することができる。
【０１６８】
一つの実施形態では、ＤＰＣ  １４６は、メッセージタイプ情報要素（ＩＥ）、メッセージＩＤ  ＩＥ、原因ＩＥ、臨界診断ＩＥ及びシーケンス番号ＩＥを含む利用可能な入札拒否メッセージを生成するように構成することができる。原因ＩＥは、動作ブロック１００５で決定することができる利用可能な入札要求の拒否に対する理由コード（例えば、無効なＰＬＭＮ  ＩＤ、無効なグリッドＩＤなど）を含み得る。シーケンス番号ＩＥは、借主ＤＳＣ  １４４から受信された利用可能な入札要求メッセージに含まれているものと同じシーケンス番号値を含み得る。従って、ＤＰＣ  １４６及び／又はＤＳＣ  １４４は、要求及び応答メッセージのシーケンス番号ＩＥを使用して、それらのメッセージを相関させるように構成することができる。
【０１６９】
動作ブロック１０１４では、ＤＳＣ  １４４は、利用可能な入札拒否メッセージに含まれる情報を使用して、様々な失敗に対する応答動作を実行することができる。例えば、ＤＳＣ  １４４は、別の利用可能な入札要求メッセージをＤＰＣ  １４６に送信するかどうかを判断すること、別の利用可能な入札要求メッセージを異なるＤＰＣに送信するかどうかを判断することなどができる。
【０１７０】
図１１Ａ及び１１Ｂは、ＤＳＣ資源に対して入札するＤＳＡＡＰ入札方法１１００を示し、これにより、異なる借主ネットワークは、貸主ネットワークから利用可能な資源に対する入札を行うことができる。図１１Ａ及び１１Ｂに示される例では、ＤＳＡＡＰ方法１１００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０１７１】
一つの実施形態では、ＤＳＣ  １４４及び／又はＤＰＣ  １４６は、ＤＳＣ  １４４が入札に対して利用可能な資源のリストを回収した後（例えば、ＤＳＡＡＰ方法１０００を実行した後）にＤＳＡＡＰ方法１１００を実行するように構成することができる。様々な実施形態では、ＤＳＣ  １４４及び／又はＤＰＣ  １４６は、入札時間切れになるまで連続して又は繰り返してＤＳＡＡＰ方法１１００を実行するように構成することができる。一つの実施形態では、ＤＰＣ  １４６は、入札時間切れ時に落札した入札（すなわち、最高入札値が付いたもの）を選択するように構成することができる。
【０１７２】
図１１Ａ及び１１Ｂに示される方法１１００の動作１１０２では、貸主ネットワークから利用可能であると判断された資源のうちの１つ又は複数（すなわち、方法１０００の実行を介して得られた資源のリストに含まれる資源のうちの１つ又は複数）に対する入札を行うため、借主ＤＳＣ  １４４は、ＤＳＣ入札要求メッセージを生成し、ＤＰＣ  １４６に送信することができる。借主ＤＳＣ  １４４は、メッセージタイプ情報要素（ＩＥ）、メッセージＩＤ  ＩＥ、ＤＳＣアイデンティティＩＥ、ＤＳＣタイプＩＥ、入札ＩＤ  ＩＥ、ＰＬＭＮ  ＩＤ  ＩＥ及び入札額ＩＥのいずれか又は全てを含むＤＳＣ入札要求メッセージを生成するように構成することができる。入札ＩＤ  ＩＥは、借主ＤＳＣ  １４４が入札を行う特定の資源の特定に適した情報を含み得る。ＰＬＭＮ  ＩＤ  ＩＥは、入札ＩＤ  ＩＥで特定された資源と関連付けられたネットワークのＰＬＭＮ  ＩＤの特定における使用に適した情報を含み得る。入札額ＩＥは、貨幣（例えば、ＵＳＤ）の金額又は入札値を含み得る。
【０１７３】
一つの実施形態では、借主ＤＳＣ  １４４は、特定の資源／入札ＩＤの入札リストで指定される最小入札額より大きい入札額ＩＥ値を含むＤＳＣ入札要求メッセージを生成するように構成することができる。一つの実施形態では、借主ＤＳＣ  １４４は、受信された利用可能な入札応答メッセージ（例えば、図１０Ａに示される動作１００８の一部として送信されたメッセージ）から最小入札額及び／又は入札リストを得るように構成することができる。
【０１７４】
図１１Ａに示される動作ブロック１１０４では、ＤＰＣ  １４６は、受信されたＤＳＣ入札要求メッセージに含まれる情報を使用して、入札がＤＳＡシステムのポリシ及び規則ならびに貸主ネットワークの要件に準拠するかどうかを判断することによってなど、入札（資源入札）が有効であるかどうか及び受諾すべきかどうかを判断することができる。動作１１０６では、ＤＰＣ  １４６は、入札が有効である及び／又は受諾すべきであるという判断に応答して、ＤＳＣ入札受諾メッセージを生成し、ＤＳＣに送信することができる。ＤＰＣ  １４６は、メッセージタイプ情報要素（ＩＥ）、メッセージＩＤ  ＩＥ、入札ＩＤ  ＩＥ、ならびに、入札が有効であると判断されたこと及び／又は受諾されたことをＤＳＣ  １４４に通知するのに適した他の情報のいずれか又は全てを含むＤＳＣ入札受諾メッセージを生成するように構成することができる。
【０１７５】
上記で論じられる例では、ＤＳＣ入札受諾メッセージは、入札が有効である／受諾されたことをＤＳＣ  １４４に通知するものであり、借主ＤＳＣ  １４４が落札したことを通知するものではないことに留意すべきである。落札した借主ＤＳＣは、入札時間切れとなり、入札終了時に借主ＤＳＣが最高入札者であるとＤＰＣ  １４６が判断した際に、ＤＳＣ落札メッセージを介して通知を受けることができる。同様に、ＤＰＣ  １４６は、ＤＳＣ落札失敗メッセージを介して、入札プロセスに参加したが落札失敗入札を提出した借主ＤＳＣに、落札入札を提出しなかったことを通知することができる。ＤＳＣ落札メッセージ及びＤＳＣ落札失敗メッセージについては、以下でさらに詳細に論じる。
【０１７６】
図１１Ｂを参照すると、動作ブロック１１０８では、ＤＰＣ  １４６は、受信されたＤＳＣ入札要求メッセージに含まれる情報を使用して、入札が有効ではない及び受諾すべきではないと判断することができる。例えば、ＤＰＣ  １４６は、受信された情報を使用して、入札がＤＳＡシステムのポリシ／規則に準拠しない及び／又は貸主ネットワークの要件に準拠しない（例えば、最小希望価格を満たさない）と判断することができる。さらなる例として、ＤＰＣ  １４６は、入札要求メッセージの入札額ＩＥで指定される入札額が最小入札より高いものではないという判断、入札額が現在申し出を受けている入札の中で最も高いものではないという判断、入札ＩＤ  ＩＥに含まれる入札ｉｄが無効であるという判断、又は、入札／資源が入札に対してもはや利用可能ではない（例えば、有効期限切れ、オークションの終了、入札撤回又は無効な入札ｉｄが原因で）という判断に応答して、入札が有効ではない又は受諾すべきではないと判断するように構成することができる。
【０１７７】
動作１１１０では、ＤＰＣ  １４６は、ＤＳＣ入札拒否メッセージを生成し、ＤＳＣ  １４４に送信することができる。ＤＰＣ  １４６は、メッセージタイプ情報要素（ＩＥ）、メッセージＩＤ  ＩＥ、入札ＩＤ  ＩＥ、原因ＩＥ及び臨界診断ＩＥのいずれか又は全てを含むＤＳＣ入札拒否メッセージを生成するように構成することができる。ＤＳＣ入札拒否メッセージの入札ＩＤ  ＩＥは、受信されたＤＳＣ入札要求メッセージに含まれる入札識別子と同じ値を含み得る。原因ＩＥは、入札が拒否された理由（例えば、最小入札が満たされていない、高値での入札、入札が見つからないなど）を特定する理由コードを含み得る。動作ブロック１１１２では、ＤＳＣ  １４４は、ＤＳＣ入札拒否メッセージに含まれる情報を使用して、資源に対する再入札を行うかどうかを判断する動作、有効な入札ＩＤを含む新しいＤＳＣ入札要求メッセージを生成する動作など、様々な入札要求失敗に対する応答動作を実行することができる。
【０１７８】
図１２Ａ〜１２Ｄは、参加ネットワークに入札動作の結果を通知するＤＳＡＡＰ通知書方法１２００を示す。すなわち、ＤＳＡＡＰ通知方法１２００は、オークションの結果（例えば、ＤＳＣ  １４４が落札入札を提出したこと、ＤＳＣ  １４４が高値で入札したこと、ＤＳＣ  １４４が落札失敗入札を提出したこと、オークションが取り消されたことなど）をＤＳＣ  １４４に通知するために実行することができる。図１２Ａ〜１２Ｄに示される例では、ＤＳＡＡＰ通知方法１２００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０１７９】
ＤＳＡＡＰ通知方法１２００は、入札が受諾されたことをＤＰＣ  １４６がＤＳＣ  １４４に通知した後（例えば、図１１に示される動作１１０６の後）に実行することができる。また、ＤＳＡＡＰ通知方法１２００は、入札時間切れの後に及び／又はＤＰＣ  １４６による事象もしくは状態（例えば、新しい入札が受信されたこと、高値で入札されたことなど）の検出に応答して実行することもできる。
【０１８０】
図１２Ａに示される動作ブロック１２０２では、ＤＰＣ  １４６は、ＤＳＣ  １４４から受信された最後の、最近の又は最新の入札要求メッセージの入札額ＩＥで指定される入札額が現在の入札の中で最も高いものではないと判断することができる。動作１２０４では、ＤＰＣ  １４６は、その前の入札が別の借主ＤＳＣからのより高い入札によって高値が付けられたこと及び／又は前の入札がもはや有効ではないことを借主ＤＳＣ  １４４に通知するため、ＤＳＣ高値での入札メッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、原因ＩＥ、入札情報ＩＥ、臨界診断ＩＥ、ＤＳＣ  ＩＤ  ＩＥ及び入札ＩＤ  ＩＥのいずれか又は全てを含むＤＳＣ高値での入札メッセージを生成することができる。
【０１８１】
ＤＳＣ  ＩＤ  ＩＥは、特定の借主ＤＳＣ  １４４の特定における使用に適した情報を含み得る。入札ＩＤ  ＩＥは、高値が付けられた提出入札の特定における使用に適した入札ＩＤを含み得る。動作ブロック１２０６では、借主ＤＳＣ  １４４は、資源に対してより高い入札をそのＤＰＣ  １４６に提出するか、異なるＤＰＣ  １４６に入札を提出するか、帯域幅を解放するために既存の通話を終えるかなどを判断することによってなど、様々な高値での入札失敗に対する応答動作を実行することができる。
【０１８２】
図１２Ｂを参照すると、動作ブロック１２１０では、ＤＰＣ  １４６は、入札時間切れとなり、ＤＳＣ  １４４から受信された最後の、最近の又は最新の入札要求メッセージの入札額ＩＥで指定される入札額が現在の入札の中で最も高いものであると判断することができる。動作１２１２では、ＤＰＣ  １４６は、前の入札が落札入札であることを借主ＤＳＣ  １４４に通知するため、ＤＳＣ落札メッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ、入札情報ＩＥ、ＤＳＣ  ＩＤ  ＩＥ、ならびに、帯域幅、ＭＢＰＳ、時間及び落札した入札額などの元の入札詳細などのいずれか又は全てを含むＤＳＣ落札メッセージを生成することができる。ＤＳＣ  ＩＤ  ＩＥは、特定の借主ＤＳＣ  １４４の特定における使用に適した情報を含み得る。入札ＩＤ  ＩＥは、資源オークション／入札動作を落札した入札の特定に適した入札識別子を含み得る。
【０１８３】
動作ブロック１２１４では、落札した借主ＤＳＣ  １４４は、そのネットワーク機器及びデバイス（例えば、ワイヤレスデバイス）が資源の使用を開始する及び／又は使用のために資源を利用可能にするスケジューリングを行う（すなわち、落札した借主ネットワークによる資源の使用準備を整える時刻のスケジューリングを行う）前に、ＤＰＣ  １４６からのＤＳＣ資源割り当て済みメッセージの受信を待つことができる。動作ブロック１２１６では、ＤＰＣ  １４６は、借主ＤＳＣ  １４４によって提出された入札によって落札された資源に対する他のネットワークからのさらなる入札を拒否することによってなど、オークションを閉鎖することができる。
【０１８４】
図１２Ｃを参照すると、動作ブロック１２２０では、ＤＰＣ  １４６は、入札時間切れとなり、ＤＳＣ  １４４から受信された最後の、最近の又は最新の入札要求メッセージの入札額ＩＥで指定される入札額が現在の入札の中で最も高いものではないと判断することができる。動作１２２２では、ＤＰＣ  １４６は、前の入札が落札入札ではなく、別の借主ＤＳＣがオークションで落札したためにオークション／入札が閉鎖されたことを借主ＤＳＣ  １４４に通知するため、ＤＳＣ落札失敗メッセージを生成し、ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ及びＤＳＣ  ＩＤ  ＩＥのいずれか又は全てを含むＤＳＣ落札失敗メッセージを生成することができる。ＤＳＣ  ＩＤ  ＩＥは、落札失敗入札を提出した及び／又はＤＳＣ落札失敗メッセージが送信される特定の借主ＤＳＣ  １４４の特定における使用に適した情報を含み得る。入札ＩＤ  ＩＥは、提出された入札の特定における使用に適した入札識別子を含み得る。
【０１８５】
動作ブロック１２２４では、借主ＤＳＣ  １４４は、他の利用可能な資源に対する入札を提出するか、資源を解放するために既存の通話を終えるかなどを判断することなど、様々な失敗に対する応答動作を実行することができる。動作ブロック１２２６では、ＤＰＣ  １４６は、オークションを閉鎖すること及び／又は落札に失敗した借主ＤＳＣが他の利用可能な資源に対する入札を行えるようにすることができる。
【０１８６】
図１２Ｄを参照すると、動作ブロック１２３０では、ＤＰＣ  １４６は、ＤＳＣ  １４４が以前に入札を提出したネットワーク資源に対するオークションが取り消されたと判断することができる。例えば、ＤＰＣ  １４６は、貸主ネットワークオペレータによってオークションが撤回された又は管理上の理由でＤＰＣオペレータによってオークションが取り消されたと判断することができる。動作１２３２では、ＤＰＣ  １４６は、オークションが取り消されたことを借主ＤＳＣ  １４４通知するため、ＤＳＣ入札取消済みメッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ、ＤＳＣ  ＩＤ  ＩＥ及び原因ＩＥのいずれか又は全てを含むＤＳＣ入札取消済みメッセージを生成することができる。ＤＳＣ  ＩＤ  ＩＥは、特定の借主ＤＳＣ  １４４の特定における使用に適した情報を含み得る。入札ＩＤ  ＩＥは、オークションが取り消された資源／入札の特定における使用に適した入札識別子を含み得る。原因ＩＥは、入札取消に対する理由コード（例えば、オークションが撤回された、オークションが取り消されたなど）を含み得る。動作ブロック１２３４では、借主ＤＳＣ  １４４は、異なるＤＰＣ  １４６に入札を提出するか、通話を終えるかなどを判断することによってなど、様々な失敗に対する応答動作を実行することができる。
【０１８７】
図１３Ａ及び１３Ｂは、借主ネットワークが貸主ネットワークによって割り当てに対して利用可能にされた資源に対する即時の（又はほぼ即時の）購入及び／又は使用の主張を行えるようにするＤＳＡＡＰ購入方法１３００を示す。図１３Ａ及び１３Ｂに示される例では、ＤＳＡＡＰ購入方法１３００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。一つの実施形態では、ＤＳＣ  １４４及びＤＰＣ  １４６は、ＤＳＣ  １４４が購入に対して利用可能な資源のリストを回収／受信した後（例えば、図１０を参照して上記で論じられるＤＳＡＡＰ方法１０００を実行した後）にＤＳＡＡＰ方法１３００を実行するように構成することができる。
【０１８８】
図１３Ａ及び１３Ｂに示される動作ブロック１３０２では、借主ＤＳＣ  １４４は、資源のリスト（例えば、上記で論じられるＤＳＡＡＰ方法１０００の実行から得られた資源のリスト）から即時の購入のための特定の資源を特定及び選択することができる。様々な実施形態では、借主ＤＳＣ  １４４は、入札に対してスケジューリングが行われた資源、現在オークションが行われている資源、即時の購入に対してのみ利用可能にされた資源などを選択することができる。動作１３０４では、ＤＳＣ  １４４は、貸主ネットワークから特定／選択した資源の買いを要求するため、ＤＳＣ買い要求メッセージを生成し、ＤＰＣ  １４６に送信することができる。
【０１８９】
様々な実施形態では、ＤＳＣ  １４４は、メッセージタイプ情報要素（ＩＥ）、メッセージＩＤ  ＩＥ、ＤＳＣアイデンティティＩＥ、ＤＳＣタイプＩＥ、入札ＩＤ  ＩＥ、買値ＩＥ及びＰＬＭＮ  ＩＤ  ＩＥのいずれか又は全てを含むＤＳＣ買い要求メッセージを生成することができる。ＰＬＭＮ  ＩＤ  ＩＥは、入札ＩＤ  ＩＥを介して特定することができる入札と関連付けられたネットワークのＰＬＭＮ  ＩＤの特定における使用に適した情報を含み得る。買値ＩＥは、借主ＤＳＣ  １４４によって提出された入札の金額（例えば、ＵＳＤ）（すなわち、入札値）を含み得る。
【０１９０】
一つの実施形態では、ＤＳＣ  １４４は、受信された利用可能な入札応答メッセージ（図１０を参照して上記で論じられる）に含まれる入札ＩＤのリストの買値ＩＥを介して特定された金額と等しい買値を含むＤＳＣ買い要求メッセージを生成するように構成することができる。
【０１９１】
図１３Ａに示される動作ブロック１３０６では、ＤＰＣ  １４６は、受信されたＤＳＣ買い要求メッセージに含まれる情報を使用して、要求された資源、要求された資源と関連付けられたネットワーク、要求された資源が現在オークションにかけられているかどうか、要求された資源が即時の購入に対して利用可能にされているかどうか、その資源の即時の購入に対して要求された最小購入額、及び／又は、受信されたＤＳＣ買い要求メッセージに含まれる買値が要求された購入額と等しい（又はそれより大きい）かどうかを特定することができる。図１３Ａに示される例では、動作ブロック１３０６の一部として、ＤＰＣ  １４６は、受信されたＤＳＣ買い要求メッセージに含まれる買値が要求された購入額以上であると判断することができる。
【０１９２】
動作１３０８では、ＤＰＣ  １４６は、使用のための資源の購入／リースに成功したことを借主ＤＳＣ  １４４に通知するため、ＤＳＣ買い受諾メッセージを生成し、借主ＤＳＣ  １４４に送信することができる。様々な実施形態では、ＤＰＣ  １４６は、メッセージタイプ情報要素（ＩＥ）、メッセージＩＤ  ＩＥ及び入札ＩＤ  ＩＥのいずれか又は全てを含むＤＳＣ買い受諾メッセージを生成することができる。動作ブロック１３１０では、ＤＰＣ  １４６は、資源がもはや他の借主ＤＳＣによる入札又は買いに対して利用可能ではなくなるように、その資源に対するアクティブなオークションを終了、停止もしくは閉鎖すること及び／又は同様の動作を実行することができる。
【０１９３】
図１３Ｂを参照すると、動作ブロック１３１２では、ＤＰＣ  １４６は、受信されたＤＳＣ買い要求メッセージ（例えば、動作１３０４の一部として）に含まれる情報を使用して、入札（買い要求）を拒否すべきであると判断することができる。例えば、ＤＰＣ  １４６は、受信されたＤＳＣ買い要求メッセージの買値ＩＥで指定される買値が要求された購入額より少ないと判断することができる。別の例として、ＤＰＣ  １４６は、入札ＩＤ  ＩＥに含まれる入札ＩＤ値が無効であるか、又は、資源／入札がもはや入札に対して利用可能ではない（例えば、有効期限切れ、オークションの終了、入札撤回又は無効な入札ＩＤなどが原因で）と判断することができる。
【０１９４】
動作１３１４では、ＤＰＣ  １４６は、ＤＳＣ買い拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ及び原因ＩＥのいずれか又は全てを含むＤＳＣ買い拒否メッセージを生成することができる。入札ＩＤ  ＩＥの値は、動作１３０４の一部として受信されたＤＳＣ買い要求メッセージに含まれる入札識別子と同じであり得る。原因ＩＥは、買い要求の拒否に対する理由コード（例えば、要求された購入価格が満たされていない、入札が見つからないなど）を含み得る。動作ブロック１３１６では、ＤＳＣ  １３１６は、より高い入札額で新しい購入要求を提出するかどうかを判断するなどの様々な失敗に対する応答動作を実行することができる。動作ブロック１３１８では、ＤＰＣ  １４６は、他の借主ＤＳＣによる入札又は買いに対してその資源が利用可能になるように様々な動作を実行する。
【０１９５】
図１４Ａ及び１４Ｂは、借主ネットワークのコンポーネントによるアクセス及び使用のために貸主ネットワークの資源を割り当てるＤＳＡＡＰ資源割り当て方法１４００を示す。図１４Ａ及び１４Ｂに示される例では、ＤＳＡＡＰ資源割り当て方法１４００は、ＤＰＣ  １４６コンポーネント、借主ＤＳＣ  １４４ａコンポーネント及び貸主ＤＳＣ  １４４ｂコンポーネントの処理コアによって実行され、それらの各々は、全て又は一定の部分のＤＳＡＡＰモジュール／コンポーネントを含み得る。
【０１９６】
図１４Ａ及び１４Ｂに示される動作ブロック１４０２では、ＤＰＣ  １４６は、借主ＤＳＣ  １４４ａが貸主ＤＳＣ  １４４ｂによって表される貸主ネットワークの資源の購入又は資源に対するオークションでの落札に成功したと判断することができる。図１４Ａに示される動作１４０４では、ＤＰＣ  １４６は、その割り当てられた資源／入札のうちの１つ又は複数が借主ＤＳＣ  １４４ａによって落札されたことを貸主ネットワーク通知するため、ＤＳＣ落札成功メッセージを生成し、貸主ＤＳＣ  １４４ｂに送信することができる。
【０１９７】
様々な実施形態では、ＤＰＣ  １４６は、メッセージタイプ情報要素（ＩＥ）、メッセージＩＤ  ＩＥ、原因ＩＥ及び臨界診断ＩＥのいずれか又は全てを含むＤＳＣ落札成功メッセージを生成することができる。さらなる実施形態では、ＤＰＣ  １４６は、入札ＩＤ  ＩＥ、ＤＳＣ  ＩＤ  ＩＥ及び入札値ＩＥのいずれか又は全ても含むＤＳＣ落札成功メッセージを生成するように構成することができる。これらの追加の情報要素は、落札入札に関する情報を伝達するために使用することができる。例えば、入札ＩＤ  ＩＥは、資源に対するオークションへの参加及びオークションでの落札に成功した入札に相当する入札ＩＤを含み得る。ＤＳＣ  ＩＤ  ＩＥは、オークション勝者（すなわち、借主ＤＳＣ  １４４ａ）のＤＳＣ  ＩＤを含み得る。入札値ＩＥは、資源の落札入札額及び／又は購入価格を含み得る。
【０１９８】
動作１４０４では、貸主ＤＳＣ  １４４ｂは、借主ネットワークのコンポーネントによるアクセス及び使用のための資源の割り当て／委任を行うため、ＤＳＣ資源割り当て済みメッセージを生成し、ＤＰＣ  １４６に送信することができる。貸主ＤＳＣ  １４４ｂは、メッセージタイプ情報要素（ＩＥ）、メッセージＩＤ  ＩＥ、入札ＩＤ、ＰＬＭＮ−ＩＤグリッドＩＤセルＩＤリストＩＥ、ＰＬＭＮ  ＩＤ  ＩＥ、グリッドＩＤ  ＩＥ、セルＩＤリストＩＥ及び様々なオークション／資源詳細（例えば、帯域幅、ＭＢＰＳ、時間など）のいずれか又は全てを含むＤＳＣ資源割り当て済みメッセージを生成するように構成することができる。一つの実施形態では、ＰＬＭＮ  ＩＤ  ＩＥ、グリッドＩＤ  ＩＥ及びセルＩＤリストＩＥは、ＰＬＭＮ−ＩＤグリッドＩＤセルＩＤリストＩＥに含めることができる。ＰＬＭＮ  ＩＤ  ＩＥは、資源を割り当てる貸主ネットワークのＰＬＭＮ  ＩＤを含むことができ、落札入札で特定されたものと同じＰＬＭＮ  ＩＤ／ネットワークであり得る。グリッドＩＤ  ＩＥ及びセルＩＤリストＩＥは、資源と関連付けられたグリッド／セルの特定に適した情報を含み得る。これらの値は、落札入札に含まれるグリッド／セル値と同じであり得る。
【０１９９】
動作１４０６では、ＤＰＣ  １４６は、借主ＤＳＣ  １４４ａが貸主ネットワーク資源のうちの割り当てられた資源の使用を開始できるようにするため、受信されたＤＳＣ資源割り当て済みメッセージを落札した借主ＤＳＣ  １４４ａに転送することができる。動作ブロック１４０８では、借主ＤＳＣ  １４４ａは、そのネットワーク機器が、入札の一部として指定される及び／又は受信されたＤＳＣ資源割り当て済みメッセージに含まれる時刻から貸主ネットワーク資源の使用を開始するスケジューリングを行うことができる。
【０２００】
図１４Ｂを参照すると、動作ブロック１４１０では、貸主ＤＳＣ  １４４ｂは、オークションの勝者への提出された資源の割り当てに先行して、オークションに対して提出された資源を撤回すべきであると判断することができる。貸主ＤＳＣ  １４４ｂは、各種の理由（例えば、思いがけない又は管理上の理由など）で、借主ネットワークがそれらの資源を購入した又は資源に対するオークションで落札したとＤＰＣ  １４６が判断した後に、資源を撤回すると判断することができる。
【０２０１】
動作１４１２では、貸主ＤＳＣ  １４４ｂは、資源を撤回するため、ＤＳＣ資源撤回済みメッセージを生成し、ＤＰＣ  １４６に送信することができる。貸主ＤＳＣ  １４４ｂは、メッセージタイプ情報要素（ＩＥ）、メッセージＩＤ  ＩＥ、入札ＩＤ  ＩＥ、原因ＩＥ及びＰＬＭＮ−ＩＤグリッドＩＤセルＩＤリストＩＥのいずれか又は全てを含むＤＳＣ資源撤回済みメッセージを生成することができる。入札ＩＤ  ＩＥは、入札の特定における使用に適した情報を含み得る。原因ＩＥは、資源割り当ての撤回の理由（例えば、資源が利用可能ではない、資源が撤回された、管理上のなど）について説明する理由コードを含み得る。
【０２０２】
動作１４１４では、ＤＰＣ  １４６は、受信されたＤＳＣ資源撤回済みメッセージを、撤回された資源に対して落札入札を提出した借主ＤＳＣ  １４４ａに転送することができる。動作ブロック１４１６では、借主ＤＳＣ  １４４ａは、別のオークションに参加するかどうかの判断、異なる資源に対する入札を行うかどうかの判断、資源を解放するために通話を終えるかどうかの判断など、様々な失敗に対する応答動作を実行することができる。
【０２０３】
図１５Ａ及び１５Ｂは、貸主ネットワークからワイヤレスデバイスが加入している借主ネットワーク（すなわち、そのホームのＰＬＭＮ）にワイヤレスデバイスを選択的に引き戻すＤＳＡＡＰバックオフ方法１５００の一つの実施形態を示す。図１５Ａ及び１５Ｂに示される例では、ＤＳＡＡＰバックオフ方法１５００は、ＤＰＣ  １４６コンポーネント、借主ＤＳＣ  １４４ａコンポーネント及び貸主ＤＳＣ  １４４ｂコンポーネントの処理コアによって実行され、それらの各々は、全て又は一定の部分のＤＳＡＡＰモジュール／コンポーネントを含み得る。
【０２０４】
図１５Ａ及び１５Ｂに示される動作ブロック１５０２では、貸主ＤＳＣ  １４４ｂは、前のオークションの一部であるセルからのそのネットワーク資源が混雑状態であると判断することができる。すなわち、貸主ＤＳＣ  １４４ｂは、その割り当てられた資源のアクセス又は使用を必要とすると判断することができる。動作１５０４では、貸主ＤＳＣ  １４４ｂは、借主ネットワーク（すなわち、そのホームのＰＬＭＮ）に貸主ネットワークの割り当てられた資源を使用するワイヤレスデバイスを選択的に引き戻すため、ＤＳＣバックオフコマンドメッセージを生成し、ＤＰＣ  １４６に送信することができる。
【０２０５】
貸主ＤＳＣ  １４４ｂは、メッセージタイプ情報要素（ＩＥ）、メッセージＩＤ  ＩＥ、入札ＩＤ  ＩＥ、ＵＥアイデンティティＩＥ、測定レポートＩＥ、ハンドオフセル情報ＩＥ、原因ＩＥ及びＤＳＣバックオフ応答タイマＩＥのいずれか又は全てを含むＤＳＣバックオフコマンドメッセージを生成するように構成することができる。
【０２０６】
ＵＥアイデンティティＩＥは、ワイヤレスデバイス又はそのネットワークの国際移動電話加入者識別番号（ＩＭＳＩ）など、ワイヤレスデバイス（又はＵＥ）のアイデンティティ関連情報の決定における使用に適した情報を含み得る。
【０２０７】
測定レポートＩＥは、特定されたワイヤレスデバイス（すなわち、借主ネットワークへのバックオフが要求されたワイヤレスデバイス）に対して貸主ネットワークによって受信された最後の、最近の又は最新の測定レポートＥ−ＵＴＲＡＮ  ＲＲＣメッセージを含み得る。
【０２０８】
入札ＩＤ  ＩＥは、オークションへの参加及びオークションの完了／オークションでの落札に成功した入札に相当する入札ＩＤ値を含み得る。入札ＩＤは、バックオフ動作と関連付けられたオークション／契約（すなわち、資源が割り当てられたオークション／契約）を特定するために使用することができる。
【０２０９】
一つの実施形態では、貸主ＤＳＣ  １４４ｂは、混雑したセルに対応する入札ＩＤが複数あるかどうかを判断するように構成することができる。一つの実施形態では、貸主ＤＳＣ  １４４ｂは、混雑したセルに対応する入札ＩＤが複数あるという判断に応答して、多数の入札ＩＤから入札ＩＤ値を選択するように構成することができる。様々な実施形態では、貸主ＤＳＣ  １４４ｂは、貸主ＤＳＣ  １４４ｂで規定されるオペレータポリシに基づいて、以前の合意に基づいて、以前に貸主及び借主ネットワークオペレータによって協議されたポリシ／規則に基づいてなど、入札ＩＤ値を選択するように構成することができる。
【０２１０】
動作１５０６では、ＤＰＣ  １４６は、受信されたＤＳＣバックオフコマンドメッセージを借主ＤＳＣ  １４４ａに転送することができる。動作ブロック１５０８では、借主ＤＳＣ  １４４ａは、受信されたＤＳＣバックオフコマンドメッセージのＵＥアイデンティティＩＥの情報を使用して、バックオフ動作の対象となるワイヤレスデバイス（すなわち、引き戻されるべきワイヤレスデバイス）を特定することができる。
【０２１１】
動作ブロック１５１０では、借主ＤＳＣ  １４４ａは、受信されたＤＳＣバックオフコマンドメッセージの測定レポートＩＥに含まれる情報を使用して、特定されたワイヤレスデバイスが引き渡されるべき対象セル（借主ネットワーク内の）を決定、特定及び／又は選択することができる（貸主ネットワークは、ワイヤレスデバイスが貸主ネットワークに取り付けられている時又は引き渡された時など、以前に、ワイヤレスデバイスからの測定レポートを可能にした可能性がある）。
【０２１２】
動作１５１２では、借主ＤＳＣ  １４４ａは、ＤＳＣバックオフ応答メッセージを生成し、ＤＰＣ  １４６に送信することができる。借主ＤＳＣ  １４４ａは、メッセージタイプ情報要素（ＩＥ）、メッセージＩＤ  ＩＥ、入札ＩＤ  ＩＥ、ＵＥアイデンティティＩＥ、ハンドオフセル情報ＩＥ及び原因ＩＥのいずれか又は全てを含むＤＳＣバックオフ応答メッセージを生成するように構成することができる。一つの実施形態では、借主ＤＳＣ  １４４ａは、ハンドオーバのための適切な対象セル（借主ネットワーク内の）を特定又は選択できなかったという判断に応答して、原因ＩＥ（又は原因ＩＥの値）を含むＤＳＣバックオフ応答メッセージを生成するように構成することができる。原因ＩＥの値は、ネットワーク過負荷、適切な対象セルが見つからない又は未知のワイヤレスデバイス／ＵＥなどの失敗の原因を特定することができる。一つの実施形態では、借主ＤＳＣ  １４４ａは、ワイヤレスデバイスが引き渡され得る対象セル（借主ネットワーク内の）の特定の成功に応答して、ハンドオフセル情報ＩＥに対する値（例えば、対象セル情報）を含むＤＳＣバックオフ応答メッセージを生成するように構成することができる。
【０２１３】
動作１５１４では、ＤＰＣ  １４６は、受信されたＤＳＣバックオフ応答メッセージに含まれる入札ｉｄ  ＩＥに基づいて貸主ＤＳＣ  １４４ａを特定し、受信されたＤＳＣバックオフ応答メッセージを貸主ＤＳＣ  １４４ｂに転送することができる。動作ブロック１５１６では、貸主ＤＳＣ  １４４ｂは、受信されたＤＳＣバックオフ応答メッセージがハンドオフセル情報ＩＥ（又はハンドオフセル情報ＩＥに対する有効値）を含むかどうかを判断することができる。受信されたＤＳＣバックオフ応答メッセージがハンドオフセル情報ＩＥ（又はハンドオフセル情報ＩＥに対する有効値）を含むという判断に応答して、動作ブロック１５１８では、貸主ＤＳＣ  １４４ｂは、ハンドオフセル情報ＩＥに含まれる対象セル情報を使用して、ハンドオーバ要メッセージを符号化することができる。動作ブロック１５２０では、貸主ＤＳＣ  １４４ｂは、貸主ネットワークから借主ネットワークにワイヤレスデバイスを引き渡すためにＳ１ベースのハンドオーバ手順を開始することができる。
【０２１４】
図１５Ｂを参照すると、動作ブロック１５５２では、貸主ＤＳＣ  １４４ｂは、ＤＰＣ  １４６がＤＳＣバックオフコマンドメッセージに含まれるＤＳＣバックオフ応答タイマＩＥで特定された時間内にＤＳＣバックオフコマンドメッセージ（動作１５０４の一部として送信された）に応答しなかったと判断することができる。その代替として又はそれに加えて、動作ブロック１５５４では、貸主ＤＳＣ  １４４ｂは、ＤＳＣバックオフコマンドメッセージに含まれるか又はＤＳＣバックオフコマンドメッセージで特定された資源／入札ｉｄに関する全ての残りのネットワーク資源の割り当ての撤回を必要とする、かなりのもしくは激しいネットワーク混雑又は管理上の理由があると判断することができる。
【０２１５】
動作１５５６では、貸主ＤＳＣ  １４４ｂは、ＤＳＣ資源撤回済みメッセージを生成し、ＤＰＣ  １４６に送信することができる。動作１５５８では、ＤＰＣ  １４６は、残りのネットワーク資源の割り当てを撤回するため、受信されたＤＳＣ資源撤回済みメッセージを借主ＤＳＣ  １４４ａに転送することができる。動作ブロック１５６０では、借主ＤＳＣ  １４４ａは、通話を終える、新しい資源に対する入札を行うかどうかの判断など、様々な資源撤回失敗に対する応答動作を実行することができる。
【０２１６】
図１６Ａは、動作を終了するためのＤＳＣ始動ＤＳＡＡＰ登録解除方法１６００の一つの実施形態を示す。図１６Ａに示される例では、ＤＳＣ始動ＤＳＡＡＰ登録解除方法１６００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０２１７】
動作ブロック１６０２では、ＤＳＣ  １４４は、ＤＳＡ動作を終了する必要があると判断することができる。動作１６０４では、ＤＳＣ  １４４は、ＤＳＣ登録解除メッセージを生成し、ＤＰＣ  １４６に送信することができる。ＤＳＣ  １４４は、メッセージタイプ情報要素（ＩＥ）、メッセージＩＤ  ＩＥ、バックオフタイマＩＥ、及び、動作終了の原因を特定する原因ＩＥのいずれか又は全てを含むＤＳＣ登録解除メッセージを生成するように構成することができる。動作ブロック１６０６では、ＤＰＣ  １４６は、ＤＳＣ登録解除メッセージの受信に応答して、ＤＳＣ  １４４と関連付けられた全ての関連資源を消去すること及び／又はＤＳＣ  １４４を登録解除するための他の同様の動作を実行することができる。
【０２１８】
図１６Ｂは、動作を終了するためのＤＰＣ始動ＤＳＡＡＰ登録解除方法１６５０の一つの実施形態を示す。図１６Ｂに示される例では、ＤＰＣ始動ＤＳＡＡＰ登録解除方法１６５０は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０２１９】
動作ブロック１６５２では、ＤＰＣ  １４６は、ＤＳＣ  １４４とのＤＳＡ動作を終了する必要があると判断することができる。動作１６５４では、ＤＰＣ  １４６は、ＤＳＣ登録解除メッセージを生成し、ＤＳＣ  １４４に送信することができる。ＤＰＣ  １４６は、メッセージタイプ情報要素（ＩＥ）、メッセージＩＤ  ＩＥ、バックオフタイマＩＥ、及び、動作終了の原因（例えば、過負荷、詳細不明であるなど）を特定する原因ＩＥのいずれか又は全てを含むＤＳＣ登録解除メッセージを生成するように構成することができる。動作ブロック１６５６では、ＤＰＣ  １４６は、ＤＳＣ  １４４と関連付けられた全ての関連資源を消去すること及び／又はＤＳＣ  １４４を登録解除するための他の同様の動作を実行することができる。
【０２２０】
動作ブロック１６５８では、ＤＳＣ  １４４は、受信されたＤＳＣ登録解除メッセージに含まれる情報に基づいて様々な登録解除失敗に対する応答動作を実行することができる。例えば、ＤＳＣ  １４４は、ＤＳＣ登録解除メッセージの原因ＩＥの値が「過負荷」に設定されている際は、少なくとも受信されたＤＳＣ登録解除メッセージに含まれるバックオフタイマＩＥで示される時間の間に同じＤＰＣ  １４６への登録を再度試みることがないように構成することができる。
【０２２１】
図１７Ａは、一つの実施形態によるエラーを報告するためのＤＳＣ始動ＤＳＡＡＰエラー表示方法１７００を示す。図１７Ａに示される例では、方法１７００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０２２２】
動作ブロック１７０２では、ＤＳＣ  １４４は、エラー又はエラー状態（例えば、プロトコルエラーなど）を検出することができる。動作１７０４では、ＤＳＣ  １４４は、エラー表示メッセージを生成し、ＤＰＣ  １４６に送信することができる。ＤＳＣ  １４４は、メッセージタイプ情報要素（ＩＥ）、メッセージＩＤ  ＩＥ、原因ＩＥ及び臨界診断ＩＥのいずれか又は全てを含むエラー表示メッセージを生成するように構成することができる。原因ＩＥは、エラーの原因又はタイプ（例えば、転送構文エラー、抽象構文エラー、論理エラーなど）の特定における使用に適した情報を含み得る。臨界診断ＩＥは、手順コードＩＥ、トリガメッセージＩＥ及び手順臨界ＩＥを含み得る。動作ブロック１７０６では、ＤＳＣ  １４４及び／又はＤＰＣ  １４６は、受信されたエラー表示メッセージに含まれる検出されたエラー又は情報に基づいて様々なエラーに対する応答動作を実行することができる。エラー検出及び応答動作については、以下でさらに詳細に論じる。
【０２２３】
図１７Ｂは、別の実施形態によるエラーを報告するためのＤＰＣ始動ＤＳＡＡＰエラー表示方法１７５０の一つの実施形態を示す。図１７Ｂに示される例では、方法１７５０は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０２２４】
動作ブロック１７５２では、ＤＰＣ  １４６は、エラー状態を検出することができる。動作１７５４では、ＤＰＣ  １４６は、エラー表示メッセージを生成し、ＤＳＣ  １４４に送信することができる。ＤＰＣ  １４６は、エラーの原因を特定する原因情報要素（ＩＥ）を含むエラー表示メッセージを生成するように構成することができる。動作ブロック１７５６では、ＤＳＣ  １４４及び／又はＤＰＣ  １４６は、受信されたエラー表示メッセージに含まれる情報に基づいて様々なエラーに対する応答動作を実行することができる。
【０２２５】
上記で言及されるように、ＤＳＣ  １４４及びＤＰＣ  １４６は、エラー又は失敗状態の検出に応答して、様々なエラーに対する応答又は失敗に対する応答動作を実行するように構成することができる。これらの動作の一部として、ＤＳＣ  １４４及び／又はＤＰＣ  １４６は、エラー／失敗状態のタイプ又は原因を特定し、特定されたタイプ又は原因に基づいてそれらの応答を調整することができる。例えば、ＤＳＣ  １４４及び／又はＤＰＣ  １４６は、検出されたエラーがプロトコルエラーかどうかを判断し、それらの応答を相応に調整するように構成することができる。
【０２２６】
プロトコルエラーは、転送構文エラー、抽象構文エラー及び論理エラーを含む。転送構文エラーは、受信側の機能ＤＳＡＡＰ実体（例えば、ＤＳＣ、ＤＰＣなど）が受信した物理的なメッセージを復号できない際に起こり得る。例えば、転送構文エラーは、受信メッセージのＡＳＮ．１情報の復号の間に検出することができる。一つの実施形態では、ＤＳＣ  １４４及びＤＰＣ  １４６コンポーネントは、検出されたエラーが転送構文エラーであるという判断に応答して、ＤＳＡＡＰメッセージを再伝送又は再要求する（例えば、エラーに対する応答動作の一部として）ように構成することができる。
【０２２７】
抽象構文エラーは、受信側の機能ＤＳＡＡＰ実体（例えば、ＤＳＣ、ＤＰＣなど）が把握又は理解できない情報要素（ＩＥ）又はＩＥグループ（すなわち、未知のＩＥ  ｉｄ）を受信した際に起こり得る。また、抽象構文エラーは、実体が論理的な範囲（例えば、コピーの許容数）に違反した情報要素（ＩＥ）を受信した際にも起こり得る。ＤＳＣ  １４４及びＤＰＣ  １４６コンポーネントは、これらのタイプの抽象構文エラー（すなわち、把握できない抽象構文エラー）を検出又は特定し、それに応答して、対応するＤＳＡＡＰメッセージに含まれる臨界情報に基づいてエラーに対する応答動作を実行するように構成することができる。これらの動作及び臨界情報に関する追加の詳細については、以下でさらに提供する。
【０２２８】
また、抽象構文エラーは、受信側の機能ＤＳＡＡＰ実体がＩＥ又はＩＥグループを受信しなかったが、オブジェクトの指定された存在によれば、ＩＥ又はＩＥグループが受信メッセージに存在すべきであった際にも起こり得る。ＤＳＣ  １４４及びＤＰＣ  １４６コンポーネントは、これらの特定のタイプの抽象構文エラー（すなわち、不在のＩＥ又はＩＥグループ）を検出又は特定し、それに応答して、不在のＩＥ／ＩＥグループの臨界情報及び存在情報に基づいてエラーに対する応答動作を実行するように構成することができる。これらの動作、臨界情報及び存在情報に関する追加の詳細については、以下でさらに提供する。
【０２２９】
また、抽象構文エラーは、受信側の実体が、間違った順番の又は同じＩＥもしくはＩＥグループの発生が多過ぎる、そのメッセージの一部であるように定義されるＩＥ又はＩＥグループを受信した際にも起こり得る。それに加えて、抽象構文エラーは、受信側の実体がＩＥ又はＩＥグループを受信したが、関係オブジェクトの条件付きの存在及び指定された条件によれば、ＩＥ又はＩＥグループが受信メッセージに存在すべきではなかった際にも起こり得る。ＤＳＣ  １４４及びＤＰＣ  １４６コンポーネントは、そのような抽象構文エラー（すなわち、間違った順番、多過ぎる発生、誤った存在など）を検出又は特定し、それに応答して、エラーと関連付けられた手順又は方法（例えば、エラーを引き起こした方法）を拒否又は終了するように構成することができる。ＤＳＣ  １４４及びＤＰＣ  １４６コンポーネントは、エラーに対する応答動作の一部として手順／方法を拒否又は終了することができる。
【０２３０】
様々な実施形態では、ＤＳＣ  １４４及びＤＰＣ  １４６コンポーネントは、そのメッセージに対して抽象構文エラーが起こったことを検出、特定又は判断した後に、ＤＳＡＡＰメッセージの復号、読み取り又は処理を続行するように構成することができる。例えば、ＤＳＣ  １４４及びＤＰＣ  １４６コンポーネントは、エラーを含むメッセージの一部分を飛ばして進み、メッセージの他の部分の処理を続行することができる。この続行処理の一部として、ＤＳＣ  １４４及びＤＰＣ  １４６コンポーネントは、追加の抽象構文エラーを検出又は特定することができる。
【０２３１】
一つの実施形態では、ＤＳＣ  １４４及びＤＰＣ  １４６コンポーネントは、検出された各抽象構文エラーに対してならびに／あるいは抽象構文エラーと関連付けられたＩＥ／ＩＥグループの臨界情報及び存在情報に基づいてエラーに対する応答動作を実行するように構成することができる。
【０２３２】
上記で言及されるように、各ＤＳＡＡＰメッセージは、臨界情報、存在情報、範囲情報及び割り当てられた臨界情報を含むこと又はそれらと関連付けることができる。様々な実施形態では、受信側の機能ＤＳＡＡＰ実体（例えば、ＤＳＣ、ＤＰＣなど）は、エラーを検出するか、エラーのタイプを特定するか又は実行すべき特定のエラーに対する応答を特定する際に、そのような情報（例えば、臨界情報、存在情報など）のいずれか又は全てを使用するように構成することができる。すなわち、実体は、臨界情報、存在情報、範囲情報及び／又は割り当てられた臨界情報の値に応じて異なる動作を実行することができる。
【０２３３】
一つの実施形態では、受信側の機能ＤＳＡＡＰ実体（例えば、ＤＳＣ、ＤＰＣなど）は、エラーのタイプを特定する際及び特定されたエラータイプに対して実行すべき特定のエラーに対する応答動作を特定する際に、ＤＳＡＡＰメッセージに含まれる存在情報を使用するように構成することができる。例えば、実体は、存在情報を使用して、情報要素（ＩＥ）の存在がそのメッセージ又は通信に対して任意選択のものであるか、条件付きのものであるか又は義務的なものであるか（例えば、ＲＮＳアプリケーションに関して）どうかを判断することができる。実体は、受信したメッセージが義務的なものである（又は条件が真の場合は条件付きのものである）と判断された１つ又は複数の情報要素を欠如している際に抽象構文エラーが起こったと判断することができる。
【０２３４】
一つの実施形態では、受信側の機能ＤＳＡＡＰ実体（例えば、ＤＳＣ、ＤＰＣなど）は、実行すべき特定のエラーに対する応答動作を特定する際に、臨界情報を使用するように構成することができる。すなわち、各ＤＳＡＡＰメッセージは、そのメッセージに含まれる個々の情報要素（ＩＥ）又はＩＥグループの各々に対する臨界情報を含み得る。各ＩＥ又はＩＥグループに対する臨界情報の値は、「ＩＥを拒否」「ＩＥを無視して送信者に通知」及び「ＩＥを無視」を含み得る。受信側の実体（例えば、ＤＳＣ、ＤＰＣなど）は、この臨界情報を使用して、ＩＥ、ＩＥグループ又はＥＰが把握できないと判断すること、抽象構文エラー（すなわち、把握できない抽象構文エラー）として状態を特定すること、ならびに／あるいは、実行すべきエラーに対する応答動作（例えば、拒否する、無視する、通知するなど）を特定することができる。
【０２３５】
一つの実施形態では、受信側の実体（例えば、ＤＳＣ、ＤＰＣなど）は、その方法／手順の実行の間に受信されたメッセージに含まれる情報要素（ＩＥ）が把握できないという判断、及び、そのＩＥに対する臨界情報のその値が「ＩＥを拒否」に設定されているという判断に応答して、方法／手順を拒否し、ＤＳＡＡＰエラー表示方法（図１７Ａ〜Ｂを参照して上記で論じられる）を開始するように構成することができる。
【０２３６】
例えば、方法／手順（例えば、ＤＳＣ登録要求メッセージなど）を開始するメッセージが受信され、把握できない１つ又は複数のＩＥ／ＩＥグループを含むと判断され、「ＩＥを拒否」とマーク付けされた際は、受信側の実体は、そのメッセージに含まれる機能要求のいずれも実行しないことによって、方法／手順を拒否することができる。また、受信側の実体は、普段は手順の不成功結果の報告に使用されるメッセージを使用して、１つ又は複数のＩＥ／ＩＥグループの拒否について報告することができる。受信された開始メッセージの情報が不十分であり、手順の不成功結果の報告に使用されるメッセージに存在する必要がある全てのＩＥの値の決定に使用できない際は、受信側の実体は、手順を終了し、ＤＳＡＡＰエラー表示方法／手順を開始することができる。
【０２３７】
さらなる例として、不成功結果を報告するためのメッセージを有さない方法／手順を開始するメッセージが受信され、そのメッセージが受信側の実体が把握できない「ＩＥを拒否」とマーク付けされた１つ又は複数のＩＥ／ＩＥグループを含む際は、受信側の実体は、方法／手順を終了し、ＤＳＡＡＰエラー表示方法／手順を開始することができる。
【０２３８】
さらなる別の例として、受信側の実体が把握できない「ＩＥを拒否」とマーク付けされた１つ又は複数のＩＥを含む応答メッセージ（例えば、ＤＳＣ登録応答メッセージなど）が受信された際は、受信側の実体は、方法／手順を終了に失敗したものと見なし、ローカルエラー処理方法を開始することができる。
【０２３９】
一つの実施形態では、受信側の実体（例えば、ＤＳＣ、ＤＰＣなど）は、方法／手順を無視するか又は飛ばして進み、その方法／手順の実行の間に受信されたメッセージに含まれる情報要素（ＩＥ）が把握できないという判断、及び、そのＩＥに対する臨界情報のその値が「ＩＥを無視して送信者に通知」に設定されているという判断に応答してＤＳＡＡＰエラー表示方法（図１７Ａ〜Ｂを参照して上記で論じられる）を開始するように構成することができる。
【０２４０】
例として、受信側の実体が把握できない「ＩＥを無視して送信者に通知」とマーク付けされた１つ又は複数のＩＥ／ＩＥグループを含む、方法／手順を開始するメッセージが受信された際は、受信側の実体は、把握できないＩＥ／ＩＥグループのコンテンツを無視し、把握されたＩＥ／ＩＥグループを使用して、把握できないＩＥ／ＩＥグループが受信されなかったかのように方法／手順を続行し（報告を除いて）、１つ又は複数のＩＥ／ＩＥグループが無視されたことを方法／手順の応答メッセージで報告することができる。開始メッセージで受信された情報が応答メッセージに存在する必要がある全てのＩＥの値の決定に不十分である際は、受信側の実体は、方法／手順を終了し、ＤＳＡＡＰエラー表示方法／手順を開始することができる。
【０２４１】
さらなる例として、受信側の実体が把握できない「ＩＥを無視して送信者に通知」とマーク付けされた１つ又は複数のＩＥ／ＩＥグループを含む方法／手順の結果を報告するためのメッセージを有さない方法／手順を開始するメッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行し（報告を除いて）、１つ又は複数のＩＥ／ＩＥグループが無視されたことを報告するためにＤＳＡＡＰエラー表示方法／手順を開始することができる。
【０２４２】
さらなる別の例として、受信側の実体が把握できない「ＩＥを無視して送信者に通知」とマーク付けされた１つ又は複数のＩＥ／ＩＥグループを含む応答メッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行し（報告を除いて）、ＤＳＡＡＰエラー表示方法／手順を開始することができる。
【０２４３】
一つの実施形態では、受信側の実体（例えば、ＤＳＣ、ＤＰＣなど）は、その方法／手順の実行の間に受信されたメッセージに含まれる情報要素（ＩＥ）が把握できないという判断、及び、そのＩＥに対する臨界情報の値が「ＩＥを無視」に設定されているという判断に応答して、方法／手順を無視するか又は飛ばして進むように構成することができる。
【０２４４】
例として、受信側の実体が把握できない「ＩＥを無視」とマーク付けされた１つ又は複数のＩＥ／ＩＥグループを含む方法／手順を開始するメッセージが受信された際は、受信側の実体は、把握できないＩＥ／ＩＥグループのコンテンツを無視し、理解されたＩＥ／ＩＥグループのみを使用して、把握できないＩＥ／ＩＥグループが受信されなかったかのように方法／手順を続行することができる。
【０２４５】
さらなる例として、受信側の実体が把握できない「ＩＥを無視」とマーク付けされた１つ又は複数のＩＥ／ＩＥグループを含む応答メッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行することができる。
【０２４６】
方法／手順のために定義された応答メッセージを使用して「ＩＥを拒否」又は「ＩＥを無視して送信者に通知」とマーク付けされた把握できないＩＥ／ＩＥグループについて報告する際は、情報要素臨界診断ＩＥは、報告された各ＩＥ／ＩＥグループに対する臨界診断ＩＥに含めることができる。
【０２４７】
一つの実施形態では、受信側の実体（例えば、ＤＳＣ、ＤＰＣなど）は、受信メッセージのあるタイプのメッセージＩＥを復号できないという判断に応答してＤＳＡＡＰエラー表示方法（図１７Ａ〜Ｂを参照して上記で論じられる）を開始するように構成することができる。一つの実施形態では、実体は、メッセージに含まれるＩＥに対する正しい順番を決定する際にコンポーネントによって使用される仕様バージョンで指定されたＩＥのみ考慮するように構成することができる。
【０２４８】
一つの実施形態では、受信側の実体（例えば、ＤＳＣ、ＤＰＣなど）は、レシーバによって使用される現在の文書のバージョンで指定された受信メッセージの不在のＩＥ／ＩＥグループに対する臨界情報に従って不在のＩＥ／ＩＥグループを処理するように構成することができる。
【０２４９】
例として、受信側の実体（例えば、ＤＳＣ、ＤＰＣなど）は、受信メッセージが指定された臨界「ＩＥを拒否」を有する１つ又は複数のＩＥ／ＩＥグループを欠如しているという判断に応答して、受信された開始メッセージの機能要求のいずれも実行しないように構成することができる。受信側の実体は、方法／手順を拒否し、普段は方法／手順の不成功結果の報告に使用されるメッセージを使用して、不在のＩＥ／ＩＥグループについて報告することができる。開始メッセージで受信された情報が方法／手順の不成功結果の報告に使用されるメッセージに存在する必要がある全てのＩＥの値の決定に不十分であると判断された際は、受信側の実体は、方法／手順を終了し、ＤＳＡＡＰエラー表示方法／手順を開始することができる。
【０２５０】
さらなる例として、不成功結果を報告するためのメッセージを有さない方法／手順を開始する受信メッセージが指定された臨界「ＩＥを拒否」を有する１つ又は複数のＩＥ／ＩＥグループを欠如している際は、受信側の実体は、方法／手順を終了し、ＤＳＡＡＰエラー表示方法／手順を開始することができる。
【０２５１】
さらなる別の例として、受信された応答メッセージが指定された臨界「ＩＥを拒否」を有する１つ又は複数のＩＥ／ＩＥグループを欠如している際は、受信側の実体は、方法／手順を終了に失敗したものと見なし、ローカルエラー処理方法／手順を開始することができる。
【０２５２】
別の例として、方法／手順を開始する受信メッセージが指定された臨界「ＩＥを無視して送信者に通知」を有する１つ又は複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つ又は複数のＩＥ／ＩＥグループを欠如していたことを方法／手順の応答メッセージで報告することができる。開始メッセージで受信された情報が応答メッセージに存在する必要がある全てのＩＥの値の決定に不十分である際は、受信側の実体は、方法／手順を終了し、ＤＳＡＡＰエラー表示方法／手順を開始することができる。
【０２５３】
別の例として、方法／手順の結果を報告するためのメッセージを有さない方法／手順を開始する受信メッセージが指定された臨界「ＩＥを無視して送信者に通知」を有する１つ又は複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つ又は複数のＩＥ／ＩＥグループを欠如していたことを報告するためにＤＳＡＡＰエラー表示方法／手順を開始することができる。
【０２５４】
別の例として、受信メッセージ受信された応答メッセージが指定された臨界「ＩＥを無視して送信者に通知」を有する１つ又は複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つ又は複数のＩＥ／ＩＥグループを欠如していたことを報告するためにＤＳＡＡＰエラー表示方法／手順を開始することができる。
【０２５５】
別の例として、方法／手順を開始する受信メッセージが指定された臨界「ＩＥを無視」を有する１つ又は複数のＩＥ／ＩＥグループを欠如している際は、受信側の実体は、それらのＩＥを欠如していることを無視し、メッセージに存在する他のＩＥ／ＩＥグループに基づいて方法／手順を続行することができる。
【０２５６】
別の例として、受信された応答メッセージが指定された臨界「ＩＥを無視」を有する１つ又は複数のＩＥ／ＩＥグループを欠如している際は、受信側の実体は、それらのＩＥ／ＩＥグループを欠如していることを無視し、メッセージに存在する他のＩＥ／ＩＥグループに基づいて方法／手順を続行することができる。
【０２５７】
受信側の実体（例えば、ＤＳＣ、ＤＰＣなど）は、様々な方法で、間違った順番で受信されるか、多過ぎる発生を含むか又は誤って存在する（すなわち、条件が満たされない際に「条件付き」として含まれるか又はマーク付けされる）ＩＥ又はＩＥグループを含むメッセージに応答するように構成することができる。例えば、受信側の実体（例えば、ＤＳＣ、ＤＰＣなど）は、受信メッセージが間違った順番のＩＥもしくはＩＥグループを含むか、発生が多過ぎるＩＥを含むか又は誤って存在するＩＥを含むという判断に応答して、受信された開始メッセージの機能要求のいずれも実行しないように構成することができる。受信側の実体は、方法／手順を拒否し、普段は方法／手順の不成功結果の報告に使用されるメッセージを使用して、原因値「抽象構文エラー（偽って構築されたメッセージ）」について報告することができる。開始メッセージで受信された情報が方法／手順の不成功結果の報告に使用されるメッセージに存在する必要がある全てのＩＥの値の決定に不十分である際は、受信側の実体は、方法／手順を終了し、ＤＳＡＡＰエラー表示方法／手順を開始することができる。
【０２５８】
別の例として、間違った順番の、発生が多過ぎる又は誤って存在するＩＥ又はＩＥグループを含む、不成功結果を報告するためのメッセージを有さない方法／手順を開始するメッセージが受信された際は、受信側の実体は、方法／手順を終了し、原因値「抽象構文エラー（偽って構築されたメッセージ）」を使用してＤＳＡＡＰエラー表示方法／手順を開始することができる。
【０２５９】
別の例として、間違った順番の、発生が多過ぎる又は誤って存在するＩＥ又はＩＥグループを含む応答メッセージが受信された際は、受信側の実体は、方法／手順を終了に失敗したものと見なし、ローカルエラー処理を開始することができる。
【０２６０】
上記で言及されるように、プロトコルエラーは、転送構文エラー、抽象構文エラー及び論理エラーを含む。論理エラーは、メッセージが正しく把握されたが、メッセージ内に含まれる情報が有効ではない（すなわち、意味エラー）か又は受信側の実体の状態との互換性がない方法／手順について説明する際に起こる。
【０２６１】
一つの実施形態では、受信側の実体（例えば、ＤＳＣ、ＤＰＣなど）は、論理エラーの決定／検出に応答して、方法／手順のクラスに基づいて及び誤った値を含むＩＥ／ＩＥグループの臨界情報に関係なく、エラーに対する応答動作を実行するように構成することができる。
【０２６２】
例えば、クラス１の方法／手順の要求メッセージで論理エラーが検出され、方法／手順がこの不成功結果について報告するためのメッセージを有する際は、このメッセージは、「意味エラー」又は「レシーバ状態との互換性がないメッセージ」などの適切な原因値（すなわち、原因ＩＥの）と共に送信することができる。クラス１の方法／手順の要求メッセージで論理エラーが検出され、方法／手順がこの不成功結果について報告するためのメッセージを有さない際は、方法／手順を終了し、適切な原因値でＤＳＡＡＰエラー表示方法／手順を開始することができる。論理エラーがクラス１の手順の応答メッセージに存在する場合は、手順を終了に失敗したものと見なし、ローカルエラー処理を開始することができる。
【０２６３】
クラス２の手順のメッセージで論理エラーが検出された際は、手順を終了し、適切な原因値でＤＳＡＡＰエラー表示手順を開始することができる。
【０２６４】
様々な実施形態では、受信側の実体（例えば、ＤＳＣ、ＤＰＣなど）は、エラー表示メッセージでプロトコルエラーが検出された際には、ローカルエラー処理方法／手順（ＤＳＡＡＰエラー表示方法／手順とは対照的に）を実行するように構成することができる。応答メッセージ又はエラー表示メッセージを返送する必要があるが、そのメッセージのレシーバの決定に必要な情報を欠如している場合は、手順を終了に失敗したものと見なし、ローカルエラー処理を開始することができる。手順を終了するエラーが起こった際には、返された原因値は、臨界「無視して通知」を有する１つ又は複数の抽象構文エラーが同じ手順内で以前に起こった場合でさえ、手順の終了を引き起こしたエラーを反映することができる。
【０２６５】
図１８は、一つの実施形態によるＤＳＡ資源更新方法１８００を実行する場合の動作及び様々なコンポーネント間の情報フローを示す。図１８に示される例では、ＤＳＡ資源更新方法１８００の動作は、ワイヤレスデバイス１０２、第１のｅＮｏｄｅＢ  １１６ａ、第１のＳＧＷ  １１８ａ、第１のＤＳＣ  １４４ａ、ＤＰＣ  １４６、第２のＤＳＣ  １４４ｂ、第２のＳＧＷ  １１８ｂ、及び第２のｅＮｏｄｅＢ  １１６ｂを含む様々なコンポーネントによって実行される。第１のｅＮｏｄｅＢ  １１６ａ、第１のＳＧＷ  １１８ａ、及び第１のＤＳＣ  １４４ａは、第１のネットワーク（すなわち、借主ネットワーク）に含まれる。第２のＤＳＣ  １４４ｂ、第２のＳＧＷ  １１８ｂ、及び第２のｅＮｏｄｅＢ  １１６ｂは、第２のネットワーク（すなわち、貸主ネットワーク）に含まれる。
【０２６６】
動作１８０２において、ワイヤレスデバイス１０２は、借主ネットワークに取り付けられ得る。動作１８０４において、第１のｅＮｏｄｅＢ  １１６ａは、資源の使用及びノードレベル輻輳レベルをモニタし、第１のＤＳＣ  １１４ａに報告し得る。これは、第１のｅＮｏｄｅＢ  １１６ａが資源更新メッセージを生成し、直接（例えば、Ｘｅインタフェースを介して）又は第１のＳＧＷ  １１８ａを介して（例えば、Ｓ１−Ｕインタフェースを介して）第１のＤＳＣ  １４４ａに送信することによって達成し得る。一つの実施形態では、第１のｅＮｏｄｅＢ  １１６ａは、ワイヤレスデバイス１０２が取り付けられたセルを含む複数のセルの資源使用レベルの報告に適する情報を含むように、資源更新メッセージを生成し得る。様々な実施形態では、第１のｅＮｏｄｅＢ  １１６ａは、周期的に又は状況若しくは事象（例えば、取り付けられた新しいデバイスなど）の検出に応答して、そのような資源更新メッセージを送信するように構成し得る。
【０２６７】
動作１８０６において、第１のＳＧＷ  １１８ａは、受信した資源更新メッセージに含まれる情報を使用して、資源使用記録を更新し、且つ／又は資源更新メッセージをＤＳＣ  １４４ａに転送し得る。動作１８０８において、第１のＳＧＷ  １１８ａは、資源更新肯定応答タイマを開始し得る。動作１８１０において、第１のＤＳＣ  １４４ａは、資源更新肯定応答メッセージを生成し、直接又は第１のＳＧＷ  １１８ａを介して第１のｅＮｏｄｅＢに送信し得る。動作１８１２において、第１のＳＧＷ  １１８ａは、資源更新肯定応答メッセージを第１のｅＮｏｄｅＢ  １１６ａを転送し、且つ／又は受信した肯定応答メッセージに含まれる情報を使用して、資源使用記録を更新し得る。動作１８１４において、第１のＳＧＷ  １１８ａは、肯定応答メッセージの受信及び／又は資源更新肯定応答タイマが切れる前に、資源更新肯定応答メッセージを受信したとの判断に応答して、資源更新肯定応答タイマを停止させ得る。
【０２６８】
動作１８１６〜１８２２において、第１のｅＮｏｄｅＢ  １１６ａは周期的に、使用／輻輳レベルを報告することができ、第１のＤＳＣ  １１４ａ及び第１のＳＧＷ  １１８ａは、資源使用記録を更新することができ、これは、動作１８０４〜１８１４において実行された動作と同じ又は同様の動作を実行することによって達成し得る。同様に、動作１８５０〜１８６６において、第２のｅＮｏｄｅＢ  １１６ｂ、第２のＤＳＣ  １１４ｂ、及び第２のＳＧＷ  １１８ｂも、動作１８０４〜１８２２の一環として実行される動作と同じ又は同様の動作を実行し得る。
【０２６９】
動作１８２４及び１８２６において、第１のＤＳＣ  １１４ａは、第１のネットワークに、他のネットワークに割り当てに利用可能な余剰資源があるかどうかを判断し、資源可用性メッセージをＤＰＣ  １４６に送信し得る。資源可用性メッセージは、割り当てに利用可能であると判断された資源をＤＰＣ  １４６に通知するのに適する情報を含み得る。ＤＰＣ  １４６は、複数のＤＳＣ及び／又は複数の異なるネットワーク（すなわち、異なるＰＬＭＮ  ＩＤ）についての資源可用性情報を受信し、記憶し、又は保持するように構成し得る。
【０２７０】
動作１８２８において、第１のＤＳＣ  １１４ａはタイマを開始し得る。動作１８３０及び１８３２において、第１のＤＳＣ  １１４ａは、利用可能な／残っている資源をモニタし、資源可用性広告をＤＰＣ１８３０に送信することにより、オークションを開始又は参加し得る。動作１８３４において、第１のＤＳＣ  １１４ａは、タイマが切れたと判断し、資源の広告を打ち切り得る。動作１８７０〜１８８０において、第２のＤＳＣ  １１４ｂは、動作１８２４〜１８３４の一環として実行される動作と同じ又は同様の動作を実行し得る。
【０２７１】
図１９は、第２の通信ネットワークによるアクセス及び使用に第１の通信ネットワーク内の資源を割り当てるＤＳＡ方法の一つの実施形態１９００を示す。ＤＳＡ方法１９００の動作は、ＤＰＣ  １４６コンポーネントの処理コアによって実行し得る。
【０２７２】
動作１９０２では、ＤＰＣ  １４６コンポーネントは、第１の通信ネットワークのＤＳＣ  １４４ａへの通信リンクを確立することができる。動作１９０４では、ＤＰＣ  １４６は、通信リンクを介して受信された情報に基づいて、第１の通信ネットワークの電気通信資源が割り当てに対して利用可能であるかどうかを判断することができる。一つの実施形態では、ＤＰＣ  １４６は、後の日時において電気通信資源が割り当てに対して利用可能であると判断することができる。
【０２７３】
動作１９０６では、ＤＰＣ  １４６は、オークションを介して割り当てに対して電気通信資源が利用可能であることを多数の通信ネットワークに通知するのに適した情報を含み、オークションに対するオークション開始時刻を含む通信信号を放送することができる。動作１９０８では、ＤＰＣ  １４６は、通信メッセージの放送に応答して、放送通信信号に含まれるオークション開始時刻後に、割り当てに対して利用可能であると判断された電気通信資源に対して、多数の通信ネットワークから入札を受信することができる。一つの実施形態では、多数の通信ネットワークから入札を受信することは、後の日時において判断された電気通信資源のアクセス及び使用に対する入札を受信することを含み得る。
【０２７４】
動作１９１０では、ＤＰＣ  １４６は、オークションへの参加資格を有すると判断された認可ネットワークから受信された入札のみを受諾することができる。例えば、ＤＰＣ  １４６は、電気通信資源が多数の通信ネットワークの各々との互換性を有するかどうかを判断し、電気通信資源とのネットワークの互換性に基づいてオークションへの参加資格を有するものとして多数の通信ネットワークのうちのいくつかネットワークを許可し、認可ネットワークからの入札のみを受諾することができる。
【０２７５】
動作１９１２では、ＤＰＣ  １４６は、受諾された入札に基づいて、多数の通信ネットワークのうちの第２の通信ネットワークによるアクセス及び使用のために、第１の通信ネットワークの電気通信資源を割り当てることができる。一つの実施形態では、電気通信資源を割り当てることは、後の日時において第２の通信ネットワークによるアクセス及び使用のために第１の通信ネットワークの電気通信資源を割り当てることを含み得る。動作１９１４では、ＤＰＣ  １４６は、割り当てられた電気通信資源の使用を開始できることを第２の通信ネットワークに通知するのに適した情報を含む通信メッセージを第２の通信ネットワークに送信することができる。動作１９１６では、ＤＰＣ  １４６は、第２の通信ネットワークによる使用のために割り当てられるものとして電気通信資源を特定するトランザクションをトランザクションデータベースに記録することができる。
【０２７６】
動作１９１８では、ＤＰＣ  １４６は、割り当てられた電気通信資源の返却を要求することができる。動作１９２０では、ＤＰＣ  １４６は、電気通信資源が第２のオークションを介して再割り当てに対して利用可能であることを多数の通信ネットワークに通知するため、第２の通信信号を放送することができる。
【０２７７】
図２０は、第２の通信ネットワークによるアクセス及び使用のために第１の通信ネットワークの資源を割り当てるＤＳＡ方法２０００の別の実施形態を示す。ＤＳＡ方法２０００の動作は、ＤＰＣ  １４６コンポーネントの処理コアによって実行することができる。
【０２７８】
ブロック２００２では、ＤＰＣ  １４６コンポーネントは、第１の通信ネットワークのＤＳＣ  １４４ａへの通信リンクを確立することができる。ブロック２００４では、ＤＰＣ  １４６コンポーネントは、第１の通信ネットワークの資源が割り当てに対して利用可能であると判断することができる。ブロック２００６では、ＤＰＣ  １４６コンポーネントは、資源が割り当てに対して利用可能であることや、資源と関連付けられた地理的エリアについて、多数の通信ネットワークに通知する第１の通信信号を放送することができる。ブロック２００８では、ＤＰＣ  １４６コンポーネントは、多数の通信ネットワークのうちの第２の通信ネットワークによるアクセス及び使用のために第１の通信ネットワークの資源を割り当てることができる。ブロック２０１０では、ＤＰＣ  １４６コンポーネントは、割り当てられた電気通信資源の使用を地理的エリアで開始できることを第２の通信ネットワークに通知する第２の通信信号を放送することができる。ブロック２０１２では、ＤＰＣ  １４６コンポーネントは、第２の通信ネットワークによる使用のために割り当てられるものとして電気通信資源を特定するトランザクションをトランザクションデータベースに記録することができる。
【０２７９】
動作２０１４では、ＤＰＣ  １４６コンポーネントは、割り当てられた電気通信資源の返却を要求することができる。動作２０１６では、ＤＰＣ  １４６は、電気通信資源が第２のオークションを介して再割り当てに対して利用可能であることを多数の通信ネットワークに通知するため、第２の通信信号を放送することができる。
【０２８０】
一つの実施形態では、ＤＳＡ方法２０００は、ＤＰＣ  １４６コンポーネントが、第１の通信ネットワークの第１のＤＳＣ  １４４から、資源割り当てスキームに関連する資源構成情報を受信すること、及び、第２の通信ネットワークの第２のＤＳＣ  １４４に資源構成情報を送信することをさらに含み得る。さらなる実施形態では、ＤＳＡ方法２０００は、ＤＰＣ  １４６コンポーネントが、第１のＤＳＣ  １４４から地理的エリアに基づいて電気通信資源の利用可能性に関連する調整情報を受信すること、及び、調整構成情報を第２のＤＳＣ  １４４に送信することを含み得る。
【０２８１】
さらなる実施形態では、ＤＰＣ  １４６コンポーネントは、資源の使用に対して第１の通信ネットワークと第２の通信ネットワークとの間で資源リーススキームについて交渉し、資源リーススキームで定義される地理的境界に基づいて第１の通信ネットワークと第２の通信ネットワークとの間でモバイルデバイスのハンドオーバを調整するように構成することができる。ＤＰＣ  １４６は、地理的エリアへの加入者デバイスの近接度、加入者デバイスで利用可能なサービス品質レベル及び／又は資源リーススキームに含まれる情報に基づいて、第２の通信ネットワークの加入者デバイス（例えば、ワイヤレスデバイス１０２）の有効性を判断するようにさらに構成することができる。
【０２８２】
様々な実施形態では、ＤＰＣ  １４６は、地理的エリアへの加入者デバイスの近接度、加入者デバイスで利用可能なサービス品質レベル及び／又は資源リーススキームの諸条件に基づいて、ネットワークを変更するか又は第１の通信ネットワークの資源への通信リンクを確立するように加入者デバイスに指示するように構成することができる。ＤＰＣ  １４６は、地理的エリアへの加入者デバイスの近接度に基づいて、ネットワークを変更する及び／又は別の資源に取り付けるように、電気通信資源に能動的に接続されるか又は電気通信資源を使用している加入者デバイスに指示するように構成することができる。
【０２８３】
様々な実施形態は、ＤＳＡシステムの効率及び速度を向上させるため、２つ以上のＤＳＡコンポーネント（例えば、ＤＰＣ、ＤＳＣ、ｅＮｏｄｅＢ、ＭＭＥ、ＨＳＳなど）間の通信を可能にする、促進する、サポートする又は増大するように構成された動的スペクトルアービトラージアプリケーションパート（ＤＳＡＡＰ）プロトコル及び／又はコンポーネントを含むか又は使用することができる。ＤＳＡコンポーネントは、本出願で論じられるいかなるコンポーネントでも及び／又は本出願で論じられるＤＳＡ動作、通信もしくは方法のいずれかに参加するいかなるコンポーネントでもあり得る。従って、ＤＳＡＡＰコンポーネントは、本出願で論じられるいかなるコンポーネント間の通信（ＤＰＣコンポーネントとＤＳＣコンポーネントとの間、ＤＳＣコンポーネントとｅＮｏｄｅＢコンポーネントとの間、ＤＳＣコンポーネントとＭＭＥコンポーネントとの間、ＤＳＣコンポーネントとＨＳＳコンポーネントとの間、ＭＭＥコンポーネントとＨＳＳコンポーネントとの間、ｅＮｏｄｅＢコンポーネントとワイヤレスデバイスとの間などの通信を含む）も可能にする、促進する、サポートする又は増大するように構成することができる。
【０２８４】
２つ以上のＤＳＡコンポーネント間の通信を促進するため、ＤＳＡＡＰコンポーネントは、アプリケーションプログラミングインタフェース（ＡＰＩ）を公開すること及び／又はＤＳＡコンポーネント間の通信を促進するクライアントモジュールを含むことができる。それに加えて、ＤＳＡＡＰコンポーネントは、ＤＳＡコンポーネントが特定の情報の伝達、使用特有の通信メッセージの使用、ならびに／あるいは、ＤＳＡシステム及び参加ネットワークの効率及び速度をさらに向上する様々なＤＳＡ機能を共に提供する特定の動作の実行を行えるように構成することができる。
【０２８５】
例として、ＤＳＡＡＰコンポーネントは、ｅＮｏｄｅＢがＤＳＣコンポーネントと（例えば、Ｘｅインタフェースを介して）、他のｅＮｏｄｅＢと（例えば、Ｘ２インタフェースを介して）及び様々な他のコンポーネントと（例えば、Ｓ１インタフェースを介して）と通信できるように構成することができる。さらなる例として、ＤＰＣ及び／又はＤＳＣコンポーネントが異なるネットワークにわたって資源をより良くプールできるように、様々なネットワークにおけるトラフィック及び資源使用をより良くモニタできるように、入札及び入札情報についてより効率的に伝達できるように、素早く且つ効率的にコンポーネントの登録及び登録解除を行えるように、ならびに、バックオフ動作をより良く実行できるように、ＤＳＡＡＰコンポーネントは、ＤＳＣコンポーネントとＤＰＣコンポーネントとの間の通信を可能にする、促進する、サポートする又は増大するように構成することができる。また、ＤＳＡＡＰコンポーネントは、入札、インボイスの生成、資源の広告、資源の要求、資源の購入、入札認証情報の有効性の確認などの手順の性能及び効率を向上することによって、ＤＳＡ資源オークション動作を改善することもできる。
【０２８６】
様々な実施形態では、全て又は一定の部分のＤＳＡＡＰコンポーネントは、ＤＰＣコンポーネント、ＤＳＣコンポーネント、ｅＮｏｄｅＢコンポーネント、ＭＭＥコンポーネント、ＨＳＳコンポーネントなどの１つ又は複数のＤＳＡコンポーネントに含めることができる。ＤＳＡＡＰコンポーネントは、ハードウェア、ソフトウェア、又は、ハードウェアとソフトウェアの組合せで実装することができる。一つの実施形態では、ＤＳＡＡＰコンポーネントは、Ｘｅ、Ｘｄ及び／又はＸ２基準点上で定義することができるＤＳＡＡＰプロトコルを実装するように構成することができる。様々な実施形態では、ＤＳＣとｅＮｏｄｅＢとの間のＸｅ基準点は、ＤＳＡＡＰプロトコル、ＴＲ−０６９プロトコル及び／又はＴＲ−１９２データモデル拡張を使用して、ｅＮｏｄｅＢにおける利用可能な資源のリストアップ及びｅＮｏｄｅＢへの入札／買い確認の通知をサポートすることができる。ＤＳＣとＤＰＣとの間のＸｄ基準点は、動的スペクトル及び資源アービトラージ動作のためのＤＳＡＡＰプロトコルを使用することができる。ｅＮｏｄｅＢ間のＸ２インタフェース／基準点もまた、ＤＳＡＡＰプロトコルを使用して、情報を伝達することができる。
【０２８７】
様々な実施形態では、ＤＳＡＡＰコンポーネントは、様々なＤＳＡコンポーネント（例えば、ＤＳＣ、ＤＰＣ、ｅＮｏｄｅＢなど）がＤＳＡＡＰプロトコルをした通信及び／又は様々なＤＳＡＡＰ方法の実行を行えるように構成することができる。ＤＳＡＡＰ方法は、第１の電気通信ネットワーク（例えば、借主ネットワーク）の第１のＤＳＣサーバ、第２の電気通信ネットワーク（例えば、貸主ネットワーク）の第２のＤＳＣサーバ、ならびに、第１及び第２の電気通信ネットワーク外のＤＰＣサーバを含むシステムなど、本出願で論じられるいずれのＤＳＡシステムでも実行することができる。
【０２８８】
様々な実施形態は、各種のモバイルワイヤレスコンピューティングデバイス上で実装することができ、その例を図２１に示す。具体的には、図２１は、一つの実施形態のいずれかでの使用に適したスマートフォン／セルフォン２１００の形態のモバイルトランシーバデバイスのシステムブロック図である。セルフォン２１００は、内部メモリ２１０２と結合されたプロセッサ２１０１と、ディスプレイ２１０３と、スピーカ２１０４とを含み得る。それに加えて、セルフォン２１００は、ワイヤレスデータリンクに接続することができる電磁放射線を送信及び受信するためのアンテナ２１０５及び／又はプロセッサ２１０１と結合されたセルラフォントランシーバ２１０６を含み得る。また、セルフォン２１００は、通常、ユーザ入力を受信するためのメニュー選択ボタン又はロッカスイッチ２１０７も含み得る。
【０２８９】
また、典型的なセルフォン２１００は、マイクロフォンから受信された音声をワイヤレス伝送に適したデータパケットにデジタル化し、受信された音声データパケットを復号してアナログ信号を生成し、音声を生成するためにスピーカ２１０４にアナログ信号を提供する音声符号化／復号（ＣＯＤＥＣ）回路２１０８も含み得る。また、プロセッサ２１０１、ワイヤレストランシーバ２１０６及びＣＯＤＥＣ  ２１０８のうちの１つ又は複数は、デジタル信号プロセッサ（ＤＳＰ）回路（別々に図示せず）を含み得る。セルフォン２１００は、ワイヤレスデバイス間の低出力狭域通信のためのＺｉｇＢｅｅトランシーバ（すなわち、ＩＥＥＥ８０２．１５．４トランシーバ）又は他の同様の通信回路（例えば、Ｂｌｕｅｔｏｏｔｈ（登録商標）もしくはＷｉＦｉプロトコルなどを実装している回路）をさらに含み得る。
【０２９０】
スペクトルアービトラージ機能を含む上記で説明される実施形態は、図２２に示されるサーバ２２００などの各種の市販のサーバデバイス上の放送システム内で実装することができる。そのようなサーバ２２００は、通常、揮発性メモリ２２０２及び大容量不揮発性メモリ（ディスクドライブ２２０３など）と結合されたプロセッサ２２０１を含む。また、サーバ２２００は、プロセッサ２２０１と結合されたフロッピー（登録商標）ディスクドライブ、コンパクトディスク（ＣＤ）又はＤＶＤディスクドライブ２２０４も含み得る。また、サーバ２２００は、他の通信システムコンピュータ及びサーバと結合されたローカルエリアネットワークなどのネットワーク２２０７とのデータ接続を確立するためにプロセッサ２２０１と結合されたネットワークアクセスポート２２０６も含み得る。
【０２９１】
プロセッサ２１０１、２２０１は、以下で説明される様々な実施形態の機能を含む各種の機能を実行するようにソフトウェア命令（アプリケーション）によって構成することができる、いかなるプログラマブルマイクロプロセッサ、マイクロコンピュータ又は複数のプロセッサチップもしくはチップでもあり得る。いくつかのワイヤレスデバイスでは、あるプロセッサはワイヤレス通信機能専用であり、あるプロセッサは他のアプリケーションの実行専用である、複数のプロセッサ２２０１を提供することができる。通常、ソフトウェアアプリケーションは、アクセスされたり、プロセッサ２１０１、２２０１にロードされたりする前に、内部メモリ２１０２、２２０２に格納することができる。プロセッサ２１０１、２２０１は、アプリケーションソフトウェア命令の格納に十分な内部メモリを含み得る。いくつかのサーバでは、プロセッサ２２０１は、アプリケーションソフトウェア命令の格納に十分な内部メモリを含み得る。いくつかのレシーバデバイスでは、セキュアメモリが、プロセッサ２１０１と結合された別々のメモリチップにあり得る。内部メモリ２１０２、２２０２は、揮発性又は不揮発性メモリ（フラッシュメモリなど）あるいは両方の混合物であり得る。この説明の目的のため、メモリへの一般的な言及は、プロセッサ２１０１、２２０１によるアクセスが可能な全てのメモリを指し、内部メモリ２１０２、２２０２、デバイスに差し込まれた取り外し可能メモリ及びプロセッサ２１０１、２２０１自体内のメモリを含む。
【０２９２】
前述の方法説明及びプロセスフロー図は、単に例示的な例として提供され、提示される順番で様々な実施形態のステップを実行しなければならないことを必要とするか又は含意することを意図しない。当業者によって理解されるように、前述の実施形態のステップの順番は、いかなる順番でも実行することができる。「その後」、「次いで」「次に」などの用語は、ステップの順番を限定することを意図しない。すなわち、これらの用語は、単に、方法の説明を通じて読者を導くために使用される。さらに、例えば、冠詞（「ａ」、「ａｎ」又は「ｔｈｅ」）を使用した単数形でのクレーム要素へのいかなる言及も、要素を単数形に限定するものと解釈してはならない。
【０２９３】
本明細書で開示される一つの実施形態に関連して説明される様々な例示的な論理ブロック、モジュール、回路及びアルゴリズムステップは、電子ハードウェア、コンピュータソフトウェア又は両方の組合せとして実装することができる。ハードウェアとソフトウェアのこの互換性を明確に示すため、上記では、様々な例示的なコンポーネント、ブロック、モジュール、回路及びステップについて、一般に、それらの機能性の観点から説明してきた。そのような機能性がハードウェアとして実装されるか又はソフトウェアとして実装されるかは、全システムに課される特定のアプリケーション及び設計制約に依存する。当業者は、特定のアプリケーションの各々に対して様々な方法で説明される機能性を実装することができるが、そのような実装決定は、本発明の範囲からの逸脱を引き起こすものと解釈すべきではない。
【０２９４】
本明細書で開示される一つの実施形態に関連して説明される様々な例示的な論理、論理ブロック、モジュール及び回路を実装するために使用されるハードウェアは、汎用プロセッサ、デジタル信号プロセッサ（ＤＰＣ）、特定用途向け集積回路（ＡＳＩＣ）、フィールドプログラマブルゲートアレイ（ＦＰＧＡ）もしくは他のプログラマブル論理デバイス、離散ゲートもしくはトランジスタ論理、離散ハードウェアコンポーネント、又は、本明細書で説明される機能を実行するように設計されたそれらの任意の組合せで実装又は実行することができる。汎用プロセッサは、マイクロプロセッサであり得るが、代替の方法では、プロセッサは、いかなる従来のプロセッサ、コントローラ、マイクロコントローラ又は状態マシンでもあり得る。また、プロセッサは、コンピューティングデバイスの組合せ（例えば、ＤＰＣとマイクロプロセッサの組合せ、多数のマイクロプロセッサ、ＤＰＣコアと連結された１つもしくは複数のマイクロプロセッサ、又は、他の任意のそのような構成）として実装することもできる。あるいは、いくつかのステップ又は方法は、所与の機能に特有の回路によって実行することができる。
【０２９５】
１つ又は複数の例示的な態様では、説明される機能は、ハードウェア、ソフトウェア、ファームウェア又はそれらの任意の組合せで実装することができる。ソフトウェアで実装される場合は、機能は、非一時的なコンピュータ可読媒体又は非一時的なプロセッサ可読媒体上に１つ又は複数の命令又はコードとして格納することができる。本明細書で開示される方法又はアルゴリズムのステップは、非一時的なコンピュータ可読又はプロセッサ可読記憶媒体上に存在し得るプロセッサ実行可能ソフトウェアモジュールで実施することができる。非一時的なコンピュータ可読又はプロセッサ可読記憶媒体は、コンピュータ又はプロセッサによるアクセスが可能ないかなる記憶媒体でもあり得る。限定ではなく、例として、そのような非一時的なコンピュータ可読又はプロセッサ可読媒体は、ＲＡＭ、ＲＯＭ、ＥＥＰＲＯＭ、フラッシュメモリ、ＣＤ−ＲＯＭもしくは他の光ディスク記憶装置、磁気ディスク記憶装置もしくは他の磁気記憶デバイス、又は、命令もしくはデータ構造の形態での所望のプログラムコードの格納に使用することができ、コンピュータによるアクセスが可能な他の任意の媒体を含み得る。ディスク（「Ｄｉｓｋ」及び「ｄｉｓｃ」）は、本明細書で使用されるように、コンパクトディスク（ＣＤ）、レーザディスク、光ディスク、デジタル多用途ディスク（ＤＶＤ）、フロッピー（登録商標）ディスク及びブルーレイディスクを含み、通常はディスクはデータを磁気的に再生するが、ディスクはレーザを用いてデータを光学的に再生する。上記の組合せもまた、非一時的なコンピュータ可読及びプロセッサ可読媒体の範囲内に含まれる。それに加えて、方法又はアルゴリズムの動作は、非一時的なプロセッサ可読媒体及び／又はコンピュータ可読媒体上にコード及び／又は命令の１つ、任意の組合せ又はセットとして存在することができ、コンピュータプログラム製品に組み込むことができる。
【０２９６】
開示される実施形態の先行する説明は、当業者が本発明を作成又は使用できるようにするために提供される。これらの実施形態への様々な変更は、当業者であれば容易に明らかであり、本明細書で定義される一般原理は、本発明の精神又は範囲から逸脱することなく、他の実施形態に適用することができる。従って、本発明は、本明細書に示される実施形態に限定されることを意図しないが、以下の請求項の範囲ならびに本明細書で開示される原理及び新規の特徴と一致する最も広い範囲が与えられるべきである。
【図１Ａ】
2016525819.tif 000003
【図１Ｂ】
2016525819.tif 000004
【図１Ｃ】
2016525819.tif 000005
【図１Ｄ】
2016525819.tif 000006
【図１Ｅ】
2016525819.tif 000007
【図２Ａ】
2016525819.tif 000008
【図２Ｂ】
2016525819.tif 000009
【図３】
2016525819.tif 000010
【図４】
2016525819.tif 000011
【図５】
2016525819.tif 000012
【図６】
2016525819.tif 000013
【図７】
2016525819.tif 000014
【図８Ａ】
2016525819.tif 000015
【図８Ｂ】
2016525819.tif 000016
【図８Ｃ】
2016525819.tif 000017
【図９Ａ】
2016525819.tif 000018
【図９Ｂ】
2016525819.tif 000019
【図１０Ａ】
2016525819.tif 000020
【図１０Ｂ】
2016525819.tif 000021
【図１１Ａ】
2016525819.tif 000022
【図１１Ｂ】
2016525819.tif 000023
【図１２Ａ】
2016525819.tif 000024
【図１２Ｂ】
2016525819.tif 000025
【図１２Ｃ】
2016525819.tif 000026
【図１２Ｄ】
2016525819.tif 000027
【図１３Ａ】
2016525819.tif 000028
【図１３Ｂ】
2016525819.tif 000029
【図１４Ａ】
2016525819.tif 000030
【図１４Ｂ】
2016525819.tif 000031
【図１５Ａ】
2016525819.tif 000032
【図１５Ｂ】
2016525819.tif 000033
【図１６Ａ】
2016525819.tif 000034
【図１６Ｂ】
2016525819.tif 000035
【図１７Ａ】
2016525819.tif 000036
【図１７Ｂ】
2016525819.tif 000037
【図１８】
2016525819.tif 000038
【図１９】
2016525819.tif 000039
【図２０】
2016525819.tif 000040
【図２１】
2016525819.tif 000041
【図２２】
2016525819.tif 000042
【国際調査報告】
2016525819.tif 000043
2016525819.tif 000044